(57)【要約】  ワイヤレス通信システムのダウンリンク上での干渉管理を可能にするためのシステム、方法、装置およびコンピュータ・プログラム製品を提供する。いくつかの実施形態では、本方法は、いくつかの送信属性を用いて基地局が送信するときのセル外ユーザ機器に対する利益をセル内の基地局が判断することであって、送信属性が、送信電力、ビーム・フォーミング・ベクトルまたは多入力多出力送信のうちの少なくとも１つである、判断することと、いくつかの送信属性を用いて基地局が送信するときのセル内のユーザ機器に対する利益を基地局が判断することと、セル外ユーザ機器とセル内のユーザ機器とに対する総利益を基地局が判断することとを含むことができる。
2012527855.tif 000002
【特許請求の範囲】
【請求項１】
ワイヤレス通信システムのダウンリンク上での干渉管理を可能にするための方法であって、前記方法が、
いくつかの送信属性を用いて基地局が送信するときのセル外ユーザ機器に対する利益をセル内の基地局が判断することであって、前記送信属性が、送信電力、ビーム・フォーミング・ベクトルまたは多入力多出力送信のうちの少なくとも１つである、判断することと、
いくつかの送信属性を用いて前記基地局が送信するときの前記セル内のユーザ機器に対する利益を前記基地局が判断することと、
前記セル外ユーザ機器と前記セル内の前記ユーザ機器とに対する総利益を前記基地局が判断することと、
を備える方法。
【請求項２】
いくつかの送信属性を用いて基地局が送信するときのセル外ユーザ機器に対する利益を判断することをコンピュータに行わせるための第１のコードセットであって、前記送信属性が、送信電力、ビーム・フォーミング・ベクトルまたは多入力多出力送信のうちの少なくとも１つである、第１のコードセットと、
いくつかの送信属性を用いて前記基地局が送信するときのセル内のユーザ機器に対する利益を判断することを前記コンピュータに行わせるための第２のコードセットと、
前記セル外ユーザ機器とセル内の前記ユーザ機器とに対する総利益を判断することを前記コンピュータに行わせるための第３のコードセットと、
を備えるコンピュータ可読媒体を備えるコンピュータ・プログラム製品。
【請求項３】
いくつかの送信属性を用いて基地局が送信するときのセル外ユーザ機器に対する利益を判断するための手段であって、前記送信属性が、送信電力、ビーム・フォーミング・ベクトルまたは多入力多出力送信のうちの少なくとも１つである、判断するための手段と、
いくつかの送信属性を用いて前記基地局が送信するときのセル内のユーザ機器に対する利益を判断するための手段と、
前記セル外ユーザ機器とセル内の前記ユーザ機器とに対する総利益を判断するための手段と、
を備える装置。
【請求項４】
いくつかの送信属性を用いて基地局が送信するときのセル外ユーザ機器に対する利益を判断することであって、前記送信属性が、送信電力、ビーム・フォーミング・ベクトルまたは多入力多出力送信のうちの少なくとも１つである、判断することと、
いくつかの送信属性を用いて前記基地局が送信するときのセル内のユーザ機器に対する利益を判断することと、
前記セル外ユーザ機器とセル内の前記ユーザ機器とに対する総利益を判断することと
を行うように構成された干渉管理モジュール、
を備える装置。
【請求項５】
ワイヤレス通信システムのダウンリンク上でのデータ・パケットの送信のために干渉管理を可能にするための方法であって、前記方法が、
リソースを求めて競合するユーザ機器の第１のセットをサービング基地局が判断することと、
ユーザ機器の前記第１のセットによる１つまたは複数の調整メッセージの送信を前記サービング基地局がスケジュールすることと、
ユーザ機器の前記第１のセットから干渉情報を前記サービング基地局が受信することと、
情報を送信するためのユーザ機器の第２のセットを前記サービング基地局が判断することと、
ユーザ機器の前記第２のセットに対して前記情報の送信を前記サービング基地局がスケジュールすることと、
を備える方法。
【請求項６】
ユーザ機器の前記第２のセットのユーザ機器のうちの１つまたは複数が、ユーザ機器の前記第１のセット中に含まれる請求項５に記載の方法。
【請求項７】
ユーザ機器の前記第１のセットが１次セットと２次セットとを含み、前記１次セットは、ユーザ機器の前記第１のセットのうち、干渉基地局が電力を低下させる場合に推定されるチャネル品質インジケータから判断される信号対干渉雑音比、干渉基地局が電力を低下させない場合に推定されるチャネル品質インジケータから判断される信号対干渉雑音比、トラフィック優先度、またはユーザ機器に対する利益のうちの少なくとも１つを有する前記ユーザ機器を含む請求項５に記載の方法。
【請求項８】
前記１つまたは複数の調整メッセージが、ユーザ機器の前記第１のセットによる、リソースを求めて競合したいという要求を示す情報を含む干渉管理要求である請求項５に記載の方法。
【請求項９】
リソースを求めて競合するユーザ機器の前記第１のセットのうちの少なくとも１つからの干渉情報が、１つまたは複数の基地局からの送信電力レベル、１つまたは複数の基地局のうちの少なくとも１つによる送信におけるバックオフを示す情報、あるいは１つまたは複数のパイロットの電力から判断される信号対干渉雑音比またはチャネル品質インジケータを示す情報のうちの少なくとも１つを含む請求項５に記載の方法。
【請求項１０】
ユーザ機器の前記第２のセットに対して前記情報の送信をスケジュールすることが、情報を送信するためのユーザ機器の前記第２のセットにダウンリンク送信許可を送信することを備える請求項５に記載の方法。
【請求項１１】
データを送信するためのユーザ機器の前記第２のセットを前記判断することが、トラフィック優先度、ユーザ機器から受信した調整メッセージに応答して干渉基地局によってシグナリングされるパイロットのうちの少なくとも１つに基づいて干渉を測定した結果としてユーザ機器において計算された信号対干渉雑音比、またはチャネル品質インジケータを計算するために使用されるパイロットに基づいて計算された信号対干渉雑音比のうちの少なくとも１つに基づいて、複数のユーザ機器を選択することをさらに備える請求項５に記載の方法。
【請求項１２】
データを送信するためのユーザ機器の前記第２のセットを前記判断することが、選択されたしきい値よりも小さい予測される干渉または選択されたしきい値よりも大きい信号対干渉雑音比を有する複数のユーザ機器を選択することを備える請求項５に記載の方法。
【請求項１３】
リソースを求めて競合するユーザ機器の前記第１のセットを前記判断することが、セル中の１つまたは複数の他のユーザ機器に関連する利益のレベルよりも大きいレベルで利益を得る、前記セル中の１つまたは複数のユーザ機器を判断することを備える請求項５に記載の方法。
【請求項１４】
リソースを求めて競合するユーザ機器の前記第１のセットを前記判断することは、ユーザ機器の前記第１のセットのうちの１つのユーザ機器のための調整メッセージが近隣セル中の基地局に送信された場合、前記ユーザ機器が受ける可能性のある干渉の量を判断することを備える請求項５に記載の方法。
【請求項１５】
リソースを求めて競合するユーザ機器の前記第１のセットを前記判断することは、
ユーザ機器の前記第１のセットのうちの前記ユーザ機器に対する利益が、選択されたしきい値よりも大きいかどうかを判断することと、
前記利益が前記選択されたしきい値よりも大きい場合、ユーザ機器の前記第１のセットのうちの前記ユーザ機器を選択することと、
を備える請求項５に記載の方法。
【請求項１６】
リソースを求めて競合するユーザ機器の前記第１のセットを前記判断することは、
ユーザ機器の前記第１のセットのうちの前記ユーザ機器に対する利益が、ユーザ機器の第２のセットに対する利益よりも大きいかどうかを判断することと、
前記利益がユーザ機器の前記第２のセットよりも大きい場合、ユーザ機器の前記第１のセットのうちの前記ユーザ機器を選択することと、
を備える請求項５に記載の方法。
【請求項１７】
リソースを求めて競合するユーザ機器の前記第１のセットを前記判断することが、セル中の１つまたは複数のユーザ機器に関連するトラフィック優先度を判断することを備え、セル中の１つまたは複数のユーザ機器に関連するトラフィック優先度を前記判断することは、
セル中の前記１つまたは複数のユーザ機器に関連するトラフィック・タイプを判断することと、
セル中の前記１つまたは複数のユーザ機器のバッファ状態を判断することであって、前記セル中の前記１つまたは複数のユーザ機器の前記バッファ状態が、前記セル中の前記１つまたは複数のユーザ機器に関連する１つまたは複数のパラメータに基づき、前記１つまたは複数のパラメータは、セル中の前記ユーザ機器のヘッド・オブ・ライン遅延、セル中の前記ユーザ機器のパケット遅延、セル中の前記ユーザ機器のキュー長さ、セル中の前記ユーザ機器のシステム・リセレクション、またはセル中の前記ユーザ機器のキューが過去にサービスされた平均レートを含む、判断することと、
セル中の前記１つまたは複数のユーザ機器に関連する前記１つまたは複数のパラメータを、セル中の前記１つまたは複数のユーザ機器に関連するトラフィックの１つまたは複数のフローの優先度メトリックにマッピングすることと、
リソースを求めて競合するユーザ機器の前記第１のセットとして選択することと、
を備える請求項５に記載の方法。
【請求項１８】
サービング基地局が、前記１つまたは複数の調整メッセージを送信するように前記ユーザ機器をスケジュールするときに、トラフィック優先度が前記ユーザ機器に送信される請求項５に記載の方法。
【請求項１９】
選択することは、前記１つまたは複数のユーザ機器の第２のセットの優先度メトリックよりも大きい優先度メトリック、調整メッセージが送信されないときの予想される信号対干渉雑音比、調整メッセージが送信されるときの予想される信号対干渉雑音比、サービス品質クラス識別子ラベル、またはバッファ状態のうちの１つまたは複数に基づいて実行され、前記バッファ状態は、ヘッド・オブ・ライン遅延、パケット遅延、システム・リセレクション、キュー長さ、キューサイズ、平均レート、または前記セル中の前記ユーザ機器の前記キューが過去にサービスされた平均レートのうちの１つまたは複数によって示される請求項１７に記載の方法。
【請求項２０】
リソースを求めて競合するユーザ機器の前記第１のセットとして選択することが、選択されたしきい値よりも大きい優先度メトリックを有する、前記セル中の前記１つまたは複数のユーザ機器のうちの複数を選択することを備える請求項１７に記載の方法。
【請求項２１】
前記バッファ状態が、前記セル中の前記１つまたは複数のユーザ機器の１つまたは複数の論理チャネルのバッファ状態である請求項１７に記載の方法。
【請求項２２】
調整メッセージが送信されないときの前記予想される信号対干渉雑音比がチャネル品質インジケータ報告を介して取得される請求項１９に記載の方法。
【請求項２３】
調整メッセージが送信されるときの前記予想される信号対干渉雑音比が、前記ユーザ機器よって報告された過去の干渉の履歴、または前記ユーザ機器から基地局への１つまたは複数の測定報告のうちの少なくとも１つを介して取得される請求項１９に記載の方法。
【請求項２４】
リソースを求めて競合するユーザ機器の第１のセットを判断することをコンピュータに行わせるための第１のコードセットと、
ユーザ機器の前記第１のセットによる１つまたは複数の調整メッセージの送信をスケジュールすることを前記コンピュータに行わせるための第２のコードセットと、
ユーザ機器の前記第１のセットから干渉情報を受信することを前記コンピュータに行わせるための第３のコードセットと、
情報を送信するためのユーザ機器の第２のセットを判断することを前記コンピュータに行わせるための第４のコードセットと、
ユーザ機器の前記第２のセットに対して前記情報の送信をスケジュールすることを前記コンピュータに行わせるための第５のコードセットと、
を備えるコンピュータ可読媒体を備えるコンピュータ・プログラム製品。
【請求項２５】
リソースを求めて競合するユーザ機器の第１のセットを判断するための手段と、
ユーザ機器の前記第１のセットによる１つまたは複数の調整メッセージの送信をスケジュールするための手段と、
ユーザ機器の前記第１のセットから干渉情報を受信するための手段と、
情報を送信するためのユーザ機器の第２のセットを判断するための手段と、
ユーザ機器の前記第２のセットに対して前記情報の送信をスケジュールするための手段と、
を備える装置。
【請求項２６】
ユーザ機器の前記第２のセットのユーザ機器のうちの１つまたは複数が、ユーザ機器の前記第１のセット中に含まれる請求項２５に記載の装置。
【請求項２７】
ユーザ機器の前記第１のセットが１次セットと２次セットとを含み、前記１次セットは、ユーザ機器の前記第１のセットのうち、干渉基地局が電力を低下させる場合に推定されるチャネル品質インジケータから判断される信号対干渉雑音比、干渉基地局が電力を低下させない場合に推定されるチャネル品質インジケータから判断される信号対干渉雑音比、トラフィック優先度、またはユーザ機器に対する利益のうちの少なくとも１つを有する前記ユーザ機器を含む請求項２５に記載の装置。
【請求項２８】
前記１つまたは複数の調整メッセージが、ユーザ機器の前記第１のセットによる、リソースを求めて競合したいという要求を示す情報を含む干渉管理要求である請求項２５に記載の装置。
【請求項２９】
リソースを求めて競合するユーザ機器の前記第１のセットのうちの少なくとも１つからの干渉情報が、１つまたは複数の基地局からの送信電力レベル、１つまたは複数の基地局のうちの少なくとも１つによる送信におけるバックオフを示す情報、あるいは１つまたは複数のパイロットの電力から判断される信号対干渉雑音比またはチャネル品質インジケータを示す情報のうちの少なくとも１つを含む請求項２５に記載の装置。
【請求項３０】
ユーザ機器の前記第２のセットに対して前記情報の送信をスケジュールすることが、情報を送信するためのユーザ機器の前記第２のセットにダウンリンク送信許可を送信することを備える請求項２５に記載の装置。
【請求項３１】
データを送信するためのユーザ機器の前記第２のセットを前記判断することが、トラフィック優先度、ユーザ機器から受信した調整メッセージに応答して干渉基地局によってシグナリングされるパイロットのうちの少なくとも１つに基づいて干渉を測定した結果としてユーザ機器において計算された信号対干渉雑音比、またはチャネル品質インジケータを計算するために使用されるパイロットに基づいて計算された信号対干渉雑音比のうちの少なくとも１つに基づいて、複数のユーザ機器を選択することをさらに備える請求項２５に記載の装置。
【請求項３２】
データを送信するためのユーザ機器の前記第２のセットを前記判断することが、選択されたしきい値よりも小さい予測される干渉または選択されたしきい値よりも大きい信号対干渉雑音比を有する複数のユーザ機器を選択することを備える請求項２５に記載の装置。
【請求項３３】
リソースを求めて競合するユーザ機器の前記第１のセットを前記判断することが、セル中の１つまたは複数の他のユーザ機器に関連する利益のレベルよりも大きいレベルで利益を得る、前記セル中の１つまたは複数のユーザ機器を判断することを備える請求項２５に記載の装置。
【請求項３４】
リソースを求めて競合するユーザ機器の前記第１のセットを前記判断することは、ユーザ機器の前記第１のセットのうちの１つのユーザ機器のための調整メッセージが近隣セル中の基地局に送信された場合、前記ユーザ機器が受ける可能性のある干渉の量を判断することを備える請求項２５に記載の装置。
【請求項３５】
リソースを求めて競合するユーザ機器の前記第１のセットを前記判断することは、
ユーザ機器の前記第１のセットのうちの前記ユーザ機器に対する利益が、選択されたしきい値よりも大きいかどうかを判断することと、
前記利益が前記選択されたしきい値よりも大きい場合、ユーザ機器の前記第１のセットのうちの前記ユーザ機器を選択することと
を備える請求項２５に記載の装置。
【請求項３６】
リソースを求めて競合するユーザ機器の前記第１のセットを前記判断することは、
ユーザ機器の前記第１のセットのうちの前記ユーザ機器に対する利益が、ユーザ機器の第２のセットに対する利益よりも大きいかどうかを判断することと、
前記利益がユーザ機器の前記第２のセットよりも大きい場合、ユーザ機器の前記第１のセットのうちの前記ユーザ機器を選択することと、
を備える請求項２５に記載の装置。
【請求項３７】
リソースを求めて競合するユーザ機器の前記第１のセットを前記判断することが、セル中の１つまたは複数のユーザ機器に関連するトラフィック優先度を判断することを備え、セル中の１つまたは複数のユーザ機器に関連するトラフィック優先度を前記判断することは、
前記セル中の前記１つまたは複数のユーザ機器に関連するトラフィック・タイプを判断することと、
セル中の前記１つまたは複数のユーザ機器のバッファ状態を判断することであって、セル中の前記１つまたは複数のユーザ機器の前記バッファ状態が、セル中の前記１つまたは複数のユーザ機器に関連する１つまたは複数のパラメータに基づき、前記１つまたは複数のパラメータは、セル中の前記ユーザ機器のヘッド・オブ・ライン遅延、セル中の前記ユーザ機器のパケット遅延、セル中の前記ユーザ機器のキュー長さ、セル中の前記ユーザ機器のシステム・リセレクション、またはセル中の前記ユーザ機器のキューが過去にサービスされた平均レートを含む、判断することと、
セル中の前記１つまたは複数のユーザ機器に関連する前記１つまたは複数のパラメータを、セル中の前記１つまたは複数のユーザ機器に関連するトラフィックの１つまたは複数のフローの優先度メトリックにマッピングすることと、
リソースを求めて競合するユーザ機器の前記第１のセットとして選択することと、
を備える請求項２５に記載の装置。
【請求項３８】
サービング基地局が、１つまたは複数の調整メッセージを送信するように前記ユーザ機器をスケジュールするときに、トラフィック優先度が前記ユーザ機器に送信される請求項２５に記載の装置。
【請求項３９】
選択することは、前記１つまたは複数のユーザ機器の第２のセットの優先度メトリックよりも大きい優先度メトリック、調整メッセージが送信されないときの予想される信号対干渉雑音比、調整メッセージが送信されるときの予想される信号対干渉雑音比、サービス品質クラス識別子ラベル、またはバッファ状態のうちの１つまたは複数に基づいて実行され、前記バッファ状態は、ヘッド・オブ・ライン遅延、パケット遅延、システム・リセレクション、キュー長さ、キューサイズ、平均レート、または前記セル中の前記ユーザ機器の前記キューが過去にサービスされた平均レートのうちの１つまたは複数によって示される請求項３７に記載の装置。
【請求項４０】
リソースを求めて競合するユーザ機器の前記第１のセットとして選択することが、選択されたしきい値よりも大きい優先度メトリックを有する、前記セル中の前記１つまたは複数のユーザ機器のうちの複数を選択することを備える請求項３７に記載の装置。
【請求項４１】
前記バッファ状態が、前記セル中の前記１つまたは複数のユーザ機器の１つまたは複数の論理チャネルのバッファ状態である請求項３７に記載の装置。
【請求項４２】
調整メッセージが送信されないときの前記予想される信号対干渉雑音比がチャネル品質インジケータ報告を介して取得される請求項３９に記載の装置。
【請求項４３】
調整メッセージが送信されるときの前記予想される信号対干渉雑音比が、前記ユーザ機器よって報告された過去の干渉の履歴、または前記ユーザ機器から基地局への１つまたは複数の測定報告のうちの少なくとも１つを介して取得される請求項３９に記載の装置。
【請求項４４】
リソースを求めて競合するユーザ機器の第１のセットを判断することと、
ユーザ機器の前記第１のセットによる１つまたは複数の調整メッセージの送信をスケジュールすることと、
ユーザ機器の前記第１のセットから干渉情報を受信することと、
情報を送信するためのユーザ機器の第２のセットを判断することと、
ユーザ機器の前記第２のセットに対して前記情報の送信をスケジュールすることと
を行うように構成された干渉管理モジュールを備える装置。
【請求項４５】
ユーザ機器の前記第２のセットのユーザ機器のうちの１つまたは複数が、ユーザ機器の前記第１のセット中に含まれる請求項４４に記載の装置。
【請求項４６】
ユーザ機器の前記第１のセットが１次セットと２次セットとを含み、前記１次セットは、ユーザ機器の前記第１のセットのうち、干渉基地局が電力を低下させる場合に推定されるチャネル品質インジケータから判断される信号対干渉雑音比、干渉基地局が電力を低下させない場合に推定されるチャネル品質インジケータから判断される信号対干渉雑音比、トラフィック優先度、またはユーザ機器に対する利益のうちの少なくとも１つを有する前記ユーザ機器を含む請求項４４に記載の装置。
【請求項４７】
前記１つまたは複数の調整メッセージが、ユーザ機器の前記第１のセットによる、リソースを求めて競合したいという要求を示す情報を含む干渉管理要求である請求項４４に記載の装置。
【請求項４８】
リソースを求めて競合するユーザ機器の前記第１のセットのうちの少なくとも１つからの干渉情報が、１つまたは複数の基地局からの送信電力レベル、１つまたは複数の基地局のうちの少なくとも１つによる送信におけるバックオフを示す情報、あるいは１つまたは複数のパイロットの電力から判断される信号対干渉雑音比またはチャネル品質インジケータを示す情報のうちの少なくとも１つを含む請求項４４に記載の装置。
【請求項４９】
ユーザ機器の前記第２のセットに対して前記情報の送信をスケジュールすることが、情報を送信するためのユーザ機器の前記第２のセットにダウンリンク送信許可を送信することを備える請求項４４に記載の装置。
【請求項５０】
データを送信するためのユーザ機器の前記第２のセットを前記判断することが、トラフィック優先度、ユーザ機器から受信した調整メッセージに応答して干渉基地局によってシグナリングされるパイロットのうちの少なくとも１つに基づいて干渉を測定した結果としてユーザ機器において計算された信号対干渉雑音比、またはチャネル品質インジケータを計算するために使用されるパイロットに基づいて計算された信号対干渉雑音比のうちの少なくとも１つに基づいて、複数のユーザ機器を選択することをさらに備える請求項４４に記載の装置。
【請求項５１】
データを送信するためのユーザ機器の前記第２のセットを前記判断することが、選択されたしきい値よりも小さい予測される干渉または選択されたしきい値よりも大きい信号対干渉雑音比を有する複数のユーザ機器を選択することを備える請求項４４に記載の装置。
【請求項５２】
リソースを求めて競合するユーザ機器の前記第１のセットを前記判断することが、セル中の１つまたは複数の他のユーザ機器に関連する利益のレベルよりも大きいレベルで利益を得る、前記セル中の１つまたは複数のユーザ機器を判断することを備える請求項４４に記載の装置。
【請求項５３】
リソースを求めて競合するユーザ機器の前記第１のセットを前記判断することは、ユーザ機器の前記第１のセットのうちの１つのユーザ機器のための調整メッセージが近隣セル中の基地局に送信された場合、前記ユーザ機器が受ける可能性のある干渉の量を判断することを備える請求項４４に記載の装置。
【請求項５４】
リソースを求めて競合するユーザ機器の前記第１のセットを前記判断することは、
ユーザ機器の前記第１のセットのうちの前記ユーザ機器に対する利益が、選択されたしきい値よりも大きいかどうかを判断することと、
前記利益が前記選択されたしきい値よりも大きい場合、ユーザ機器の前記第１のセットのうちの前記ユーザ機器を選択することと
を備える請求項４４に記載の装置。
【請求項５５】
リソースを求めて競合するユーザ機器の前記第１のセットを前記判断することは、
ユーザ機器の前記第１のセットのうちの前記ユーザ機器に対する利益が、ユーザ機器の第２のセットに対する利益よりも大きいかどうかを判断することと、
前記利益がユーザ機器の前記第２のセットよりも大きい場合、ユーザ機器の前記第１のセットのうちの前記ユーザ機器を選択することと、
を備える請求項４４に記載の装置。
【請求項５６】
リソースを求めて競合するユーザ機器の前記第１のセットを前記判断することが、セル中の１つまたは複数のユーザ機器に関連するトラフィック優先度を判断することを備え、セル中の１つまたは複数のユーザ機器に関連するトラフィック優先度を前記判断することは、
前記セル中の前記１つまたは複数のユーザ機器に関連するトラフィック・タイプを判断することと、
セル中の前記１つまたは複数のユーザ機器のバッファ状態を判断することであって、セル中の前記１つまたは複数のユーザ機器の前記バッファ状態が、セル中の前記１つまたは複数のユーザ機器に関連する１つまたは複数のパラメータに基づき、前記１つまたは複数のパラメータは、セル中の前記ユーザ機器のヘッド・オブ・ライン遅延、セル中の前記ユーザ機器のパケット遅延、セル中の前記ユーザ機器のキュー長さ、セル中の前記ユーザ機器のシステム・リセレクション、またはセル中の前記ユーザ機器のキューが過去にサービスされた平均レートを含む、判断することと、
セル中の前記１つまたは複数のユーザ機器に関連する前記１つまたは複数のパラメータを、セル中の前記１つまたは複数のユーザ機器に関連するトラフィックの１つまたは複数のフローの優先度メトリックにマッピングすることと、
リソースを求めて競合するユーザ機器の前記第１のセットとして選択することと、
を備える請求項４４に記載の装置。
【請求項５７】
サービング基地局が、１つまたは複数の調整メッセージを送信するように前記ユーザ機器をスケジュールするときに、トラフィック優先度が前記ユーザ機器に送信される請求項４４に記載の装置。
【請求項５８】
リソースを求めて競合するユーザ機器の前記第１のセットとして、前記セル中の前記１つまたは複数のユーザ機器のうちの複数を選択することは、前記１つまたは複数のユーザ機器の第２のセットの優先度メトリックよりも大きい優先度メトリック、調整メッセージが送信されないときの予想される信号対干渉雑音比、調整メッセージが送信されるときの予想される信号対干渉雑音比、サービス品質クラス識別子ラベル、またはバッファ状態のうちの１つまたは複数に基づいて実行され、前記バッファ状態は、ヘッド・オブ・ライン遅延、パケット遅延、システム・リセレクション、キュー長さ、キューサイズ、平均レート、または前記セル中の前記ユーザ機器の前記キューが過去にサービスされた平均レートのうちの１つまたは複数によって示される請求項５６に記載の装置。
【請求項５９】
リソースを求めて競合するユーザ機器の前記第１のセットとして選択することが、選択されたしきい値よりも大きい優先度メトリックを有する、前記セル中の前記１つまたは複数のユーザ機器のうちの複数を選択することを備える請求項５６に記載の装置。
【請求項６０】
前記バッファ状態が、前記セル中の前記１つまたは複数のユーザ機器の１つまたは複数の論理チャネルのバッファ状態である請求項５６に記載の装置。
【請求項６１】
調整メッセージが送信されないときの前記予想される信号対干渉雑音比がチャネル品質インジケータ報告を介して取得される請求項５８に記載の装置。
【請求項６２】
調整メッセージが送信されるときの前記予想される信号対干渉雑音比が、前記ユーザ機器よって報告された過去の干渉の履歴、または前記ユーザ機器から基地局への１つまたは複数の測定報告のうちの少なくとも１つを介して取得される請求項５８に記載の装置。
【発明の詳細な説明】
【技術分野】
【０００１】
関連出願の相互参照
本出願は、その内容全体が参照により本明細書に組み込まれる、２００９年５月２２日に出願された「SCHEDULING AND INTERFERENCE MANAGEMENT FOR MULTIPLE MOBILE DEVICES PER CELL IN DOWNLINK AND UPLINK」と題する米国仮特許出願第６１／１８０，７２６号と、それぞれが２００９年１２月２１日に出願され、それぞれが「SYSTEMS, APPARATUS AND METHODS FOR DISTRIBUTED SCHEDULING TO FACILITATE INTERFERENCE MANAGEMENT」と題する米国仮特許出願第６１／２８８，８１３号および第６１／２８８，８１６号との利益を主張する。
【０００２】
以下の説明は、一般に、ワイヤレス通信に関し、詳細には、ワイヤレス通信システムにおいて干渉管理を可能にするための分散スケジューリングに関する。
【背景技術】
【０００３】
ワイヤレス通信システムは、様々なタイプの通信を提供するために広く展開されている。たとえば、そのようなワイヤレス通信システムを介してボイスおよび／またはデータが提供され得る。典型的なワイヤレス通信システム、またはネットワークは、１つまたは複数の共有リソース（たとえば、帯域幅、送信電力）へのアクセスを複数のユーザに提供することができる。たとえば、システムは、周波数分割多重（ＦＤＭ）、時分割多重（ＴＤＭ）、符号分割多重（ＣＤＭ）、直交周波数分割多重（ＯＦＤＭ）などの様々な多元接続技法を使用することができる。
【０００４】
一般に、ワイヤレス多元接続通信システムは、複数のユーザ機器（ＵＥ）のための通信を同時にサポートすることができる。各ＵＥは、順方向リンクおよび逆方向リンク上での送信を介して１つまたは複数の基地局（ＢＳ）と通信することができる。順方向リンク（またはダウンリンク（ＤＬ））はＢＳからＵＥへの通信リンクを指し、逆方向リンク（またはアップリンク（ＵＬ））はＵＥからＢＳへの通信リンクを指す。
【０００５】
マクロ・セルラー・ネットワークでは、特にＢＳ、および一般にインフラストラクチャは、典型的に、ごく少数のベンダによって提供される。その上、異なるベンダによって製造されたＢＳは、通常、近隣セル中に展開されない。したがって、一般に、近隣セル中では、同じスケジューリング・ポリシーが使用されるためにトラフィックの優先度付けが同じになるので、たとえば、セル間干渉管理のために、リソースの調整のための有効なスケジューリングを保証するタスクは、簡単なタスクである。
【０００６】
しかしながら、フェムト環境では、フェムトＢＳは、複数のベンダによって製造されるが、所与の事業者に対して単一の周波数上で展開されることがある。したがって、フェムト展開では高干渉状態が生じることがあり、フェムト・セルにわたる干渉緩和およびフェムト・セル内の干渉緩和が望まれる。しかしながら、制御の分散性質のために、フェムト環境での干渉緩和は難しいことがある。
【０００７】
また、干渉緩和が不十分であると、帯域幅使用が非効率的になり、送信における公平性がなくなり、フェムト・セル中でおよびフェムト・セルにわたって送信および受信されるトラフィックに関するサービス品質（ＱｏＳ）制約を満たすことが困難になることがある。さらに、異なるベンダによって製造されたフェムトＢＳによって優先度が別様に割り当てられることがあるので、スケジューリングでは、フェムト・セルにわたるトラフィック・フローの相対的優先度を考慮に入れる必要があり得る。したがって、干渉管理を可能にするためにフェムト・セルにわたって一貫した優先度付け機構を採用する分散スケジューリングが望ましい。
【発明の概要】
【０００８】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００９】
１つまたは複数の実施形態およびその対応する開示に従って、ワイヤレス通信システムにおいて干渉管理を可能にするための分散スケジューリングに関して、様々な態様について説明する。
【００１０】
関係する態様によれば、方法が提供される。本方法は、いくつかの送信属性を用いて基地局が送信するときのセル外ユーザ機器に対する利益をセル内の基地局が判断することであって、送信属性が、送信電力、ビーム・フォーミング・ベクトルまたは多入力多出力送信のうちの少なくとも１つである、判断することと、いくつかの送信属性を用いて基地局が送信するときのセル内のユーザ機器に対する利益を基地局が判断することと、セル外ユーザ機器とセル内のユーザ機器とに対する総利益を基地局が判断することとを含むことができる。
【００１１】
態様では、コンピュータ・プログラム製品が提供される。本コンピュータ・プログラム製品は、いくつかの送信属性を用いて基地局が送信するときのセル外ユーザ機器に対する利益を判断することをコンピュータに行わせるための第１のコードセットであって、送信属性が、送信電力、ビーム・フォーミング・ベクトルまたは多入力多出力送信のうちの少なくとも１つである、第１のコードセットと、いくつかの送信属性を用いて基地局が送信するときのセル内のユーザ機器に対する利益を判断することをコンピュータに行わせるための第２のコードセットと、セル外ユーザ機器とセル内のユーザ機器とに対する総利益を判断することをコンピュータに行わせるための第３のコードセットとを備えるコンピュータ可読媒体を含む。
【００１２】
他の態様では、装置が提供される。本装置は、いくつかの送信属性を用いて基地局が送信するときのセル外ユーザ機器に対する利益を判断するための手段であって、送信属性が、送信電力、ビーム・フォーミング・ベクトルまたは多入力多出力送信のうちの少なくとも１つである、判断するための手段と、いくつかの送信属性を用いて基地局が送信するときのセル内のユーザ機器に対する利益を判断するための手段と、セル外ユーザ機器とセル内のユーザ機器とに対する総利益を判断するための手段とを含むことができる。
【００１３】
他の態様では、別の装置が提供される。本装置は、いくつかの送信属性を用いて基地局が送信するときのセル外ユーザ機器に対する利益を判断することであって、送信属性が、送信電力、ビーム・フォーミング・ベクトルまたは多入力多出力送信のうちの少なくとも１つである、判断することと、いくつかの送信属性を用いて基地局が送信するときのセル内のユーザ機器に対する利益を判断することと、セル外ユーザ機器とセル内のユーザ機器とに対する総利益を判断することとを行うように構成された干渉管理モジュールを含むことができる。
【００１４】
他の態様では、別の方法が提供される。本方法は、リソースを求めて競合するユーザ機器の第１のセットをサービング基地局が判断することと、ユーザ機器の第１のセットによる１つまたは複数の調整メッセージの送信をサービング基地局がスケジュールすることと、ユーザ機器の第１のセットから干渉情報をサービング基地局が受信することと、情報を送信するためのユーザ機器の第２のセットをサービング基地局が判断することと、ユーザ機器の第２のセットに対して情報の送信をサービング基地局がスケジュールすることとを含むことができる。
【００１５】
別の態様では、別のコンピュータ・プログラム製品が提供される。本コンピュータ・プログラム製品はコンピュータ可読媒体を含むことができる。コンピュータ可読媒体は、リソースを求めて競合するユーザ機器の第１のセットを判断することをコンピュータに行わせるための第１のコードセットと、ユーザ機器の第１のセットによる１つまたは複数の調整メッセージの送信をスケジュールすることをコンピュータに行わせるための第２のコードセットと、ユーザ機器の第１のセットから干渉情報を受信することをコンピュータに行わせるための第３のコードセットと、情報を送信するためのユーザ機器の第２のセットを判断することをコンピュータに行わせるための第４のコードセットと、ユーザ機器の第２のセットに対して情報の送信をスケジュールすることをコンピュータに行わせるための第５のコードセットと、を含むことができる。
【００１６】
いくつかの態様では、装置が提供される。本装置は、リソースを求めて競合するユーザ機器の第１のセットを判断するための手段と、ユーザ機器の第１のセットによる１つまたは複数の調整メッセージの送信をスケジュールするための手段と、ユーザ機器の第１のセットから干渉情報を受信するための手段と、情報を送信するためのユーザ機器の第２のセットを判断するための手段と、ユーザ機器の第２のセットに対して情報の送信をスケジュールするための手段とを含むことができる。
【００１７】
いくつかの態様では、別の装置が提供される。本装置は、リソースを求めて競合するユーザ機器の第１のセットを判断することと、ユーザ機器の第１のセットによる１つまたは複数の調整メッセージの送信をスケジュールすることと、ユーザ機器の第１のセットから干渉情報を受信することと、情報を送信するためのユーザ機器の第２のセットを判断することと、ユーザ機器の第２のセットに対して情報の送信をスケジュールすることとを行うように構成された干渉管理モジュールを含むことができる。
【００１８】
他の態様では、別の方法が提供される。本方法は、ユーザ機器における１つまたは複数の論理チャネル・グループのバッファ・ステータスを示す情報を、セル中のユーザ機器をサービスするセル中の基地局が受信することと、干渉管理要求を１つまたは複数のセル外ユーザ機器に基地局が送信することと、１つまたは複数のセル外ユーザ機器が干渉管理要求を受信することに応答して、１つまたは複数のセル外ユーザ機器からの意図された送信電力を示す情報と、セル中のユーザ機器による電力コミットメントとを基地局が受信することと、セル中のユーザ機器からのデータの送信を基地局がスケジュールすることであって、スケジュールすることが、意図された送信電力を示す情報に基づく、スケジュールすることと、を含むことができる。
【００１９】
他の態様では、コンピュータ可読媒体を含む別のコンピュータ・プログラム製品が提供される。本コンピュータ・プログラム製品は、ユーザ機器における１つまたは複数の論理チャネル・グループのバッファ・ステータスを示す情報を受信することをコンピュータに行わせるための第１のコードセットと、干渉管理要求を１つまたは複数のセル外ユーザ機器に送信することをコンピュータに行わせるための第２のコードセットと、１つまたは複数のセル外ユーザ機器が干渉管理要求を受信することに応答して、１つまたは複数のセル外ユーザ機器からの意図された送信電力を示す情報と、セル中のユーザ機器による電力コミットメントと、を受信することをコンピュータに行わせるための第３のコードセットと、セル中のユーザ機器からのデータの送信をスケジュールすることをコンピュータに行わせるための第４のコードセットであって、スケジュールすることが、意図された送信電力を示す情報に基づく、第４のコードセットとを含むことができ、基地局が上記コンピュータを備える。
【００２０】
他の態様では、別の装置が提供される。本装置は、ユーザ機器における１つまたは複数の論理チャネル・グループのバッファ・ステータスを示す情報を受信するための手段と、干渉管理要求を１つまたは複数のセル外ユーザ機器に送信するための手段と、１つまたは複数のセル外ユーザ機器が干渉管理要求を受信することに応答して、１つまたは複数のセル外ユーザ機器からの意図された送信電力を示す情報と、セル中のユーザ機器による電力コミットメントとを受信するための手段と、セル中のユーザ機器からのデータの送信をスケジュールするための手段であって、スケジュールすることが、意図された送信電力を示す情報に基づく、スケジュールするための手段と、を含むことができ、バッファ・ステータスを示す情報を受信することと、送信することと、受信することと、スケジュールすることとは、セル中のユーザ機器をサービスするセル中の基地局によって実行される。
【００２１】
他の態様では、別の装置が提供される。本装置は、ユーザ機器における１つまたは複数の論理チャネル・グループのバッファ・ステータスを示す情報を受信することと、干渉管理要求を１つまたは複数のセル外ユーザ機器に送信することと、１つまたは複数のセル外ユーザ機器が干渉管理要求を受信することに応答して、１つまたは複数のセル外ユーザ機器からの意図された送信電力を示す情報と、セル中のユーザ機器による電力コミットメントとを受信することと、セル中のユーザ機器からのデータの送信をスケジュールすることであって、スケジュールすることが、意図された送信電力を示す情報に基づく、スケジュールすることと、を行うように構成された干渉管理モジュールを含むことができ、バッファ・ステータスを示す情報を受信することと、送信することと、受信することと、スケジュールすることとは、セル中のユーザ機器をサービスするセル中の基地局によって実行される。
【００２２】
他の態様では、別の方法が提供される。本方法は、１つまたは複数の論理チャネル・グループを有するユーザ機器からバッファ・ステータス報告をサービング基地局が受信することと、１つまたは複数の論理チャネル・グループのうちの少なくとも１つについての第１の優先度メトリックと第１の優先ビットレートとをサービング基地局が構成することであって、１つまたは複数の論理チャネル・グループのうちの少なくとも１つについての第１の優先度メトリックと第１の優先ビットレートとを構成することが、バッファ・ステータス報告中に含まれる情報に応答する、構成することと、ユーザ機器における干渉をサービング基地局が判断することと、ユーザ機器における干渉を判断することに応答して、１つまたは複数の論理チャネル・グループのうちの少なくとも１つについての第１の優先度メトリックと第１の優先ビットレートとをサービング基地局が再構成することとを含むことができる。
【００２３】
他の態様では、コンピュータ可読媒体を含む別のコンピュータ・プログラム製品が提供される。本コンピュータ・プログラム製品は、１つまたは複数の論理チャネル・グループを有するユーザ機器からバッファ・ステータス報告を受信することをコンピュータに行わせるための第１のコードセットと、１つまたは複数の論理チャネル・グループのうちの少なくとも１つについての第１の優先度メトリックと第１の優先ビットレートとを構成することをコンピュータに行わせるための第２のコードセットであって、１つまたは複数の論理チャネル・グループのうちの少なくとも１つについての第１の優先度メトリックと第１の優先ビットレートとを構成することが、バッファ・ステータス報告中に含まれる情報に応答する、第２のコードセットと、ユーザ機器における干渉を判断することをコンピュータに行わせるための第３のコードセットと、ユーザ機器における干渉を判断することに応答して、１つまたは複数の論理チャネル・グループのうちの少なくとも１つについての第１の優先度メトリックと第１の優先ビットレートとを再構成することをコンピュータに行わせるための第４のコードセットとを含むことができ、サービング基地局が上記コンピュータを備える。
【００２４】
別の態様では、別の装置が提供される。本装置は、１つまたは複数の論理チャネル・グループを有するユーザ機器からバッファ・ステータス報告を受信するための手段と、１つまたは複数の論理チャネル・グループのうちの少なくとも１つについての第１の優先度メトリックと第１の優先ビットレートとを構成するための手段であって、１つまたは複数の論理チャネル・グループのうちの少なくとも１つについての第１の優先度メトリックと第１の優先ビットレートとを構成することが、バッファ・ステータス報告中に含まれる情報に応答する、構成するための手段と、ユーザ機器における干渉を判断するための手段と、ユーザ機器における干渉を判断することに応答して、１つまたは複数の論理チャネル・グループのうちの少なくとも１つについての第１の優先度メトリックと第１の優先ビットレートとを再構成するための手段とを含むことができる。
【００２５】
別の態様では、別の装置が提供される。本装置は、１つまたは複数の論理チャネル・グループを有するユーザ機器からバッファ・ステータス報告を受信するように構成されたトランシーバと、１つまたは複数の論理チャネル・グループのうちの少なくとも１つについての第１の優先度メトリックと第１の優先ビットレートとを構成することであって、１つまたは複数の論理チャネル・グループのうちの少なくとも１つについての第１の優先度メトリックと第１の優先ビットレートとを構成することが、バッファ・ステータス報告中に含まれる情報に応答する、構成することと、ユーザ機器における干渉を判断することと、ユーザ機器における干渉を判断することに応答して、１つまたは複数の論理チャネル・グループのうちの少なくとも１つについての第１の優先度メトリックと第１の優先ビットレートとを再構成することとを行うように構成されたスケジューラとを含むことができる。
【００２６】
別の態様では、別の方法が提供される。本方法は、ユーザ機器における１つまたは複数の論理チャネル・グループのヘッド・オブ・ライン遅延を基地局が判断することを含むことができ、ユーザ機器における１つまたは複数の論理チャネル・グループのヘッド・オブ・ライン遅延を判断することは、ユーザ機器における１つまたは複数の論理チャネル・グループ中のバイト数を推定すること、物理ダウンリンク制御チャネルを通してユーザ機器のためにスケジュールされているが、サービング基地局において正常に復号されていない、バイト数を推定すること、またはサービング基地局における無線リンク・コントローラからのフィードバックを評価することであって、フィードバックが、ユーザ機器における１つまたは複数の論理チャネル・グループから正常に受信されたバイト数を示す、評価することを備える。
【００２７】
別の態様では、コンピュータ・プログラム製品は、ユーザ機器における１つまたは複数の論理チャネル・グループのヘッド・オブ・ライン遅延を判断することをコンピュータに行わせるための第１のコードセットを備えるコンピュータ可読媒体を含むことができ、基地局が上記コンピュータを備え、ユーザ機器における１つまたは複数の論理チャネル・グループのヘッド・オブ・ライン遅延を判断することは、ユーザ機器における１つまたは複数の論理チャネル・グループ中のバイト数を推定すること、物理ダウンリンク制御チャネルを通してユーザ機器のためにスケジュールされているが、サービング基地局において正常に復号されていない、バイト数を推定すること、またはサービング基地局における無線リンク・コントローラからのフィードバックを評価することであって、フィードバックが、ユーザ機器における１つまたは複数の論理チャネル・グループから正常に受信されたバイト数を示す、評価することを備える。
【００２８】
別の態様では、装置は、ユーザ機器における１つまたは複数の論理チャネル・グループのヘッド・オブ・ライン遅延を判断するための手段を含むことができ、ユーザ機器における１つまたは複数の論理チャネル・グループのヘッド・オブ・ライン遅延を判断することは、ユーザ機器における１つまたは複数の論理チャネル・グループ中のバイト数を推定すること、物理ダウンリンク制御チャネルを通してユーザ機器のためにスケジュールされているが、サービング基地局において正常に復号されていない、バイト数を推定すること、またはサービング基地局における無線リンク・コントローラからのフィードバックを評価することであって、フィードバックが、ユーザ機器における１つまたは複数の論理チャネル・グループから正常に受信されたバイト数を示す、評価することを備える。
【００２９】
別の態様では、装置が提供される。本装置は、ユーザ機器における１つまたは複数の論理チャネル・グループのヘッド・オブ・ライン遅延を判断するように構成されたスケジューラを含むことができ、ユーザ機器における１つまたは複数の論理チャネル・グループのヘッド・オブ・ライン遅延を判断することは、ユーザ機器における１つまたは複数の論理チャネル・グループ中のバイト数を推定すること、物理ダウンリンク制御チャネルを通してユーザ機器のためにスケジュールされているが、サービング基地局において正常に復号されていない、バイト数を推定すること、またはサービング基地局における無線リンク・コントローラからのフィードバックを評価することであって、フィードバックが、ユーザ機器における１つまたは複数の論理チャネル・グループから正常に受信されたバイト数を示す、評価することを備える。
【００３０】
別の態様では、別の方法が提供される。本方法は、１つまたは複数の論理チャネル・グループを有するユーザ機器からバッファ・ステータス報告をユーザ機器が送信することと、１つまたは複数の論理チャネル・グループのうちの少なくとも１つについての優先度メトリックと優先ビットレートとを構成するための情報をユーザ機器が受信することであって、１つまたは複数の論理チャネル・グループのうちの少なくとも１つについての優先度メトリックと優先ビットレートとを構成することが、バッファ・ステータス報告中に含まれる情報に応答する、受信することと、１つまたは複数の論理チャネル・グループを有するユーザ機器のためのサービング基地局が、１つまたは複数の論理チャネル・グループを有するユーザ機器における干渉を判断することに応答して、１つまたは複数の論理チャネル・グループのうちの少なくとも１つについての優先度メトリックと優先ビットレートとを再構成するための情報をユーザ機器が受信することとを含むことができる。
【００３１】
別の態様では、コンピュータ可読媒体を含む別のコンピュータ・プログラム製品が提供される。本コンピュータ・プログラム製品は、１つまたは複数の論理チャネル・グループを有するユーザ機器からバッファ・ステータス報告を送信することをコンピュータに行わせるための第１のコードセットと、１つまたは複数の論理チャネル・グループのうちの少なくとも１つについての優先度メトリックと優先ビットレートとを構成するための情報を受信することをコンピュータに行わせるための第２のコードセットであって、１つまたは複数の論理チャネル・グループのうちの少なくとも１つについての優先度メトリックと優先ビットレートとを構成することが、バッファ・ステータス報告中に含まれる情報に応答する、第２のコードセットと、１つまたは複数の論理チャネル・グループを有するユーザ機器のためのサービング基地局が、１つまたは複数の論理チャネル・グループを有するユーザ機器における干渉を判断することに応答して、１つまたは複数の論理チャネル・グループのうちの少なくとも１つについての優先度メトリックと優先ビットレートとを再構成するための情報を受信することをコンピュータに行わせるための第３のコードセットとを含むことができ、ユーザ機器は上記コンピュータを備える。
【００３２】
別の態様では、別の装置が提供される。本装置は、１つまたは複数の論理チャネル・グループを有するユーザ機器からバッファ・ステータス報告を送信するための手段と、１つまたは複数の論理チャネル・グループのうちの少なくとも１つについての優先度メトリックと優先ビットレートとを構成するための情報を受信するための手段であって、１つまたは複数の論理チャネル・グループのうちの少なくとも１つについての優先度メトリックと優先ビットレートとを構成することが、バッファ・ステータス報告中に含まれる情報に応答する、受信するための手段と、１つまたは複数の論理チャネル・グループを有するユーザ機器のためのサービング基地局が、１つまたは複数の論理チャネル・グループを有するユーザ機器における干渉を判断することに応答して、１つまたは複数の論理チャネル・グループのうちの少なくとも１つについての優先度メトリックと優先ビットレートとを再構成するための情報を受信するための手段とを含むことができる。
【００３３】
別の態様では、別の装置が提供される。本装置は、１つまたは複数の論理チャネル・グループを有するユーザ機器からバッファ・ステータス報告を送信することと、１つまたは複数の論理チャネル・グループのうちの少なくとも１つについての優先度メトリックと優先ビットレートとを構成するための情報を受信することであって、１つまたは複数の論理チャネル・グループのうちの少なくとも１つについての優先度メトリックと優先ビットレートとを構成することが、バッファ・ステータス報告中に含まれる情報に応答する、受信することと、１つまたは複数の論理チャネル・グループを有するユーザ機器のためのサービング基地局が、１つまたは複数の論理チャネル・グループを有するユーザ機器における干渉を判断することに応答して、１つまたは複数の論理チャネル・グループのうちの少なくとも１つについての優先度メトリックと優先ビットレートとを再構成するための情報を受信することとを行うように構成されたトランシーバを含むことができる。
【００３４】
別の態様では、方法が提供される。本方法は、アップリンク上でスケジュールすべき第１のセルの１つまたは複数のユーザ機器を第１のセル中の基地局が選択することを含むことができ、選択することは、第１のセルの１つまたは複数のユーザ機器によって第２のセルの１つまたは複数の基地局に対して引き起こされる干渉、第１のセルの１つまたは複数のユーザ機器についての干渉管理要求が送信された場合に受ける干渉、第１のセルの１つまたは複数のユーザ機器のトラフィック優先度、第１のセルの１つまたは複数のユーザ機器から基地局へのサービング・リンク利得、第１のセルの１つまたは複数のユーザ機器の瞬時バッファ状態、第１のセルの１つまたは複数のユーザ機器のチャネル品質インジケータ、第１のセルの１つまたは複数のユーザ機器のヘッド・オブ・ライン遅延のうちの１つまたは複数に基づく。
【００３５】
別の態様では、コンピュータ可読媒体を含む別のコンピュータ・プログラム製品が提供される。本コンピュータ・プログラム製品は、アップリンク上でスケジュールすべき第１のセルの１つまたは複数のユーザ機器を選択することをコンピュータに行わせるための第１のコードセットを含むことができ、選択することは、第１のセルの１つまたは複数のユーザ機器によって第２のセルの１つまたは複数の基地局に対して引き起こされる干渉、第１のセルの１つまたは複数のユーザ機器についての干渉管理要求が送信された場合に推定される干渉、第１のセルの１つまたは複数のユーザ機器のトラフィック優先度、第１のセルの１つまたは複数のユーザ機器から基地局へのサービング・リンク利得、第１のセルの１つまたは複数のユーザ機器の瞬時バッファ状態、第１のセルの１つまたは複数のユーザ機器のチャネル品質インジケータ、第１のセルの１つまたは複数のユーザ機器のヘッド・オブ・ライン遅延のうちの１つまたは複数に基づく。
【００３６】
別の態様では、装置が提供される。本装置は、アップリンク上でスケジュールすべき第１のセルの１つまたは複数のユーザ機器を選択するための手段を含むことができ、選択することは、第１のセルの１つまたは複数のユーザ機器によって第２のセルの１つまたは複数の基地局に対して引き起こされる干渉、第１のセルの１つまたは複数のユーザ機器についての干渉管理要求が送信された場合に推定される干渉、第１のセルの１つまたは複数のユーザ機器のトラフィック優先度、第１のセルの１つまたは複数のユーザ機器から基地局へのサービング・リンク利得、第１のセルの１つまたは複数のユーザ機器の瞬時バッファ状態、第１のセルの１つまたは複数のユーザ機器のチャネル品質インジケータ、第１のセルの１つまたは複数のユーザ機器のヘッド・オブ・ライン遅延のうちの１つまたは複数に基づく。
【００３７】
別の態様では、装置が提供される。本装置は、アップリンク上でスケジュールすべき第１のセルの１つまたは複数のユーザ機器を選択するように構成された干渉管理モジュールを含むことができ、選択することは、第１のセルの１つまたは複数のユーザ機器によって第２のセルの１つまたは複数の基地局に対して引き起こされる干渉、第１のセルの１つまたは複数のユーザ機器についての干渉管理要求が送信された場合に推定される干渉、第１のセルの１つまたは複数のユーザ機器のトラフィック優先度、第１のセルの１つまたは複数のユーザ機器から基地局へのサービング・リンク利得、第１のセルの１つまたは複数のユーザ機器の瞬時バッファ状態、または第１のセルの１つまたは複数のユーザ機器のヘッド・オブ・ライン遅延のうちの１つまたは複数に基づく。
【００３８】
別の態様では、別の方法が提供される。本方法は、リソースを求めて競合するユーザ機器の第１のセットをサービング基地局が判断することと、セル外ユーザ機器に対する１つまたは複数の調整メッセージの送信をサービング基地局がスケジュールすることと、干渉情報をサービング基地局が受信することと、情報を送信するためのユーザ機器の第２のセットをサービング基地局が判断することであって、情報を送信するためのユーザ機器の第２のセットを判断することが、干渉情報、またはユーザ機器の第１のセットのために行われた干渉コミットメントのうちの１つまたは複数を判断することに応答する、判断することと、ユーザ機器の第２のセットによる情報の送信をサービング基地局がスケジュールすることとを含むことができる。
【００３９】
別の態様では、コンピュータ可読媒体を含む別のコンピュータ・プログラム製品が提供される。本コンピュータ・プログラム製品は、リソースを求めて競合するユーザ機器の第１のセットを判断することをコンピュータに行わせるための第１のコードセットと、セル外ユーザ機器に対する１つまたは複数の調整メッセージの送信をスケジュールすることをコンピュータに行わせるための第２のコードセットと、干渉情報を受信することをコンピュータに行わせるための第３のコードセットと、情報を送信するためのユーザ機器の第２のセットを判断することをコンピュータに行わせるための第４のコードセットと、ユーザ機器の第２のセットによる情報の送信をスケジュールすることをコンピュータに行わせるための第５のコードセットと、を含むことができ、サービング基地局が上記コンピュータを備える。
【００４０】
別の態様では、別の装置が提供される。本装置は、リソースを求めて競合するユーザ機器の第１のセットを判断するための手段と、セル外ユーザ機器に対する１つまたは複数の調整メッセージの送信をスケジュールするための手段と、干渉情報を受信するための手段と、情報を送信するためのユーザ機器の第２のセットを判断するための手段であって、情報を送信するためのユーザ機器の第２のセットを判断することが、干渉情報、またはユーザ機器の第１のセットのために行われた干渉コミットメントのうちの１つまたは複数を判断することに応答する、判断するための手段と、ユーザ機器の第２のセットによる情報の送信をスケジュールするための手段と、を含むことができる。
【００４１】
別の態様では、別の装置が提供される。本装置は、リソースを求めて競合するユーザ機器の第１のセットを判断することと、セル外ユーザ機器に対する１つまたは複数の調整メッセージの送信をスケジュールすることと、干渉情報を受信することと、情報を送信するためのユーザ機器の第２のセットを判断することであって、情報を送信するためのユーザ機器の第２のセットを判断することが、干渉情報、またはユーザ機器の第１のセットのために行われた干渉コミットメントのうちの１つまたは複数を判断することに応答する、判断することと、ユーザ機器の第２のセットによる情報の送信をスケジュールすることと、を行うように構成された干渉管理モジュールを含むことができる。
【００４２】
別の態様では、別の方法が提供される。本方法は、バッファ・ステータス要求を第１のセル中の基地局が受信することと、干渉管理要求を基地局が送信することであって、干渉管理要求がバッファ・ステータス要求に基づく、送信することとを含むことができ、干渉管理要求を送信することは、バックホールを介して干渉管理要求を第２のセル中の基地局に送信することを備える。
【００４３】
別の態様では、コンピュータ可読媒体を含む別のコンピュータ・プログラム製品が提供される。本コンピュータ・プログラム製品は、バッファ・ステータス要求を受信することをコンピュータに行わせるための第１のコードセットと、干渉管理要求を送信することをコンピュータに行わせるための第２のコードセットであって、干渉管理要求がバッファ・ステータス要求に基づく、第２のコードセットとを含むことができ、受信することと送信することとは第１のセル中の基地局によって実行され、干渉管理要求を送信することは、バックホールを介して干渉管理要求を第２のセル中の基地局に送信することを備える。
【００４４】
別の態様では、別の装置が提供される。本装置は、バッファ・ステータス要求を受信するための手段と、干渉管理要求を送信するための手段であって、干渉管理要求がバッファ・ステータス要求に基づく、送信するための手段とを含むことができ、受信することと送信することとは第１のセル中の基地局によって実行され、干渉管理要求を送信することは、バックホールを介して干渉管理要求を第２のセル中の基地局に送信することを備える。
【００４５】
他の態様では、別の装置が提供される。本装置は、バッファ・ステータス要求を受信することと、干渉管理要求を送信することであって、干渉管理要求がバッファ・ステータス要求に基づく、送信することとを行うように構成された干渉管理モジュールを含むことができ、受信することと送信することとは第１のセル中の基地局によって実行され、干渉管理要求を送信することは、バックホールを介して干渉管理要求を第２のセル中の基地局に送信することを備える。
【００４６】
上記および関係する目的の達成に向けて、１つまたは複数の実施形態は、以下で十分に説明し、特に特許請求の範囲で指摘する特徴を備える。以下の説明および添付の図面は、１つまたは複数の実施形態のいくつかの例示的な態様を詳細に記述する。ただし、これらの態様は、様々な実施形態の原理を採用することができる様々な方法のほんのいくつかを示すものであり、説明する実施形態は、すべてのそのような態様およびそれらの均等物を含むものとする。
【図面の簡単な説明】
【００４７】
【図１】本明細書に記載する様々な態様による、干渉管理を可能にするための例示的なワイヤレス通信システムの図。
【図２】本明細書に記載する様々な態様による、何人かのユーザのための干渉管理を可能にするための別の例示的なワイヤレス通信システムの図。
【図３】本明細書に記載する様々な態様による、干渉管理を可能にするために１つまたは複数のフェムト・ノードが展開される例示的なワイヤレス通信システムの図。
【図４】本明細書に記載する様々な態様による、干渉管理を可能にするためのワイヤレス通信システムにおける例示的なカバレージ・マップの図。
【図５Ａ】本明細書に記載する様々な態様による、ダウンリンク上での干渉管理を可能にするためのワイヤレス通信システムの例示的なブロック図。
【図５Ｂ】本明細書に記載する様々な態様による、アップリンク上での干渉管理を可能にするためのワイヤレス通信システムの例示的なブロック図。
【図６】本明細書に記載する様々な態様による、干渉管理を可能にするための分散スケジューリングのための例示的な方法のフローチャートの図。
【図７Ａ】本明細書に記載する様々な態様による、ダウンリンク上のＵＥのトラフィック優先度を判断する例示的な方法のフローチャートの図。
【図７Ｂ】本明細書に記載する様々な態様による、ベスト・エフォート・トラフィックの場合の平均送信レートに対するユーザ・エクスペリエンスを示す例示的なグラフの図。
【図８】本明細書に記載する様々な態様による、スケジューリングの例示的な方法のフローチャートの図。
【図９】本明細書に記載する様々な態様による、調整メッセージの送信のためのＵＥの第１のセットを選択するための方法のフローチャートの一例の図。
【図１０】本明細書に記載する様々な態様による、干渉管理を可能にするために分散スケジューリングにおいて使用するためのＵＥにおけるヘッド・オブ・ライン遅延を計算するための例示的なＢＳのブロック図。
【図１１】本明細書に記載する様々な態様による、干渉管理を可能にするために分散スケジューリングにおいて使用するためのＵＥにおけるヘッド・オブ・ライン遅延を計算するための方法のフローチャートの一例の図。
【図１２Ａ】本明細書に記載する様々な態様による、スケジューリングの方法のフローチャートの例の図。
【図１２Ｂ】本明細書に記載する様々な態様による、スケジューリングの方法のフローチャートの例の図。
【図１２Ｃ】本明細書に記載する様々な態様による、スケジューリングの方法のフローチャートの例の図。
【図１２Ｄ】本明細書に記載する様々な態様による、スケジューリングの方法のフローチャートの例の図。
【図１２Ｅ】本明細書に記載する様々な態様による、スケジューリングの方法のフローチャートの例の図。
【図１２Ｆ】本明細書に記載する様々な態様による、スケジューリングの方法のフローチャートの例の図。
【図１２Ｇ】本明細書に記載する様々な態様による、スケジューリングの方法のフローチャートの例の図。
【図１２Ｈ】本明細書に記載する様々な態様による、スケジューリングの方法のフローチャートの例の図。
【図１２Ｉ】本明細書に記載する様々な態様による、スケジューリングの方法のフローチャートの例の図。
【図１２Ｊ】本明細書に記載する様々な態様による、スケジューリングの方法のフローチャートの例の図。
【図１２Ｋ】本明細書に記載する様々な態様による、スケジューリングの方法のフローチャートの例の図。
【図１２Ｌ】本明細書に記載する様々な態様による、スケジューリングの方法のフローチャートの例の図。
【図１２Ｍ】本明細書に記載する様々な態様による、スケジューリングの方法のフローチャートの例の図。
【図１２Ｎ】本明細書に記載する様々な態様による、スケジューリングの方法のフローチャートの例の図。
【図１２Ｏ】本明細書に記載する様々な態様による、スケジューリングの方法のフローチャートの例の図。
【図１３】本明細書に記載する様々な態様による、ワイヤレス通信システムにおけるアップリンク上での干渉管理を可能にするようにパラメータを構成するためのフィードバックを採用するシステムのブロック図。
【図１４】本明細書に記載する様々な態様による、ワイヤレス通信システムにおけるアップリンク上での干渉管理を可能にするようにＵＥにおけるパラメータを構成する方法のフローチャートの一例の図。
【図１５Ａ】本明細書に記載する様々な態様による、ワイヤレス通信システムにおけるアップリンク上でのリソース割振りの方法のフローチャートの例の図。
【図１５Ｂ】本明細書に記載する様々な態様による、ワイヤレス通信システムにおけるアップリンク上でのリソース割振りの方法のフローチャートの例の図。
【図１５Ｃ】本明細書に記載する様々な態様による、ワイヤレス通信システムにおけるアップリンク上でのリソース割振りの方法のフローチャートの例の図。
【図１５Ｄ】本明細書に記載する様々な態様による、ワイヤレス通信システムにおけるアップリンク上でのリソース割振りの方法のフローチャートの例の図。
【図１５Ｅ】本明細書に記載する様々な態様による、ワイヤレス通信システムにおけるアップリンク上でのリソース割振りの方法のフローチャートの例の図。
【図１６】本明細書に記載する様々な態様による、干渉管理を可能にするための例示的なシステムのブロック図。
【図１７】本明細書に記載する様々な態様による、干渉管理を可能にするための例示的なシステムのブロック図。
【図１８】本明細書に記載する様々な態様による、干渉管理を可能にするための例示的なシステムのブロック図。
【図１９】本明細書に記載する様々な態様による、干渉管理を可能にするための例示的なシステムのブロック図。
【図２０】本明細書に記載する様々な態様による、干渉管理を可能にするための例示的なシステムのブロック図。
【図２１】本明細書に記載する様々な態様による、干渉管理を可能にするための例示的なシステムのブロック図。
【図２２】本明細書に記載する様々な態様による、干渉管理を可能にするための例示的なシステムのブロック図。
【図２３】本明細書に記載する様々な態様による、干渉管理を可能にするための例示的なシステムのブロック図。
【図２４】本明細書に記載する様々な態様による、干渉管理を可能にするための例示的なシステムのブロック図。
【図２５】本明細書に記載する様々な態様による、干渉管理を可能にするための例示的なシステムのブロック図。
【図２６】本明細書に記載する様々な態様による、干渉管理を可能にするための例示的なシステムのブロック図。
【図２７】本明細書に記載する様々な態様による、干渉管理を可能にするための例示的なシステムのブロック図。
【図２８】本明細書に記載する様々な態様による、干渉管理を可能にするための例示的なシステムのブロック図。
【図２９】本明細書に記載する様々な態様による、干渉管理を可能にするための例示的なシステムのブロック図。
【図３０】本明細書に記載する様々な態様による、干渉管理を可能にするための例示的なシステムのブロック図。
【図３１】本明細書に記載する様々な態様による、干渉管理を可能にするための例示的なシステムのブロック図。
【図３２】本明細書に記載する様々な態様による、干渉管理を可能にするための例示的なシステムのブロック図。
【図３３】本明細書に記載する様々な態様による、干渉管理を可能にするための例示的なシステムのブロック図。
【図３４】本明細書に記載する様々な態様による、干渉管理を可能にするための例示的なシステムのブロック図。
【図３５】本明細書に記載する様々な態様による、干渉管理を可能にするための例示的なシステムのブロック図。
【図３６】本明細書に記載する様々な態様による、干渉管理を可能にするための例示的なシステムのブロック図。
【図３７】本明細書に記載する様々な態様による、干渉管理を可能にするための例示的なシステムのブロック図。
【図３８】本明細書に記載する様々な態様による、干渉管理を可能にするための例示的なシステムのブロック図。
【図３９】本明細書に記載する様々な態様による、干渉管理を可能にするための例示的なシステムのブロック図。
【図４０】本明細書に記載する様々な態様による、干渉管理を可能にするための例示的なシステムのブロック図。
【図４１】本明細書に記載する様々な態様による、本明細書で説明する実施形態が採用され得る例示的なワイヤレス通信システムを示す図。
【発明を実施するための形態】
【００４８】
次に、図面を参照しながら様々な実施形態について説明する。図面全体にわたって、同様の要素を指すのに同様の参照符号を使用する。以下の記述では、説明の目的で、１つまたは複数の実施形態の完全な理解を与えるために多数の具体的な詳細を記載する。ただし、そのような実施形態は、これらの具体的な詳細なしに実施され得ることは明らかであろう。他の例では、１つまたは複数の実施形態の説明を円滑にするために、よく知られている構造およびデバイスをブロック図の形態で示す。
【００４９】
本出願で使用する「構成要素」、「モジュール」、「システム」などの用語は、コンピュータ関連のエンティティ、すなわち、ハードウェア、ファームウェア、ハードウェアとソフトウェアの組合せ、ソフトウェア、および／または実行中のソフトウェアのいずれかを指すものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティング・デバイス上で実行されるアプリケーションおよび／またはそのコンピューティング・デバイスの両方が構成要素であり得る。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータ・パケット（たとえば、信号を介して、ローカルシステム、分散システム内の別の構成要素と対話する、および／またはインターネットなどのネットワーク上で他のシステムと対話する、１つの構成要素からのデータ）を有する信号によるなど、ローカルおよび／またはリモート・プロセスを介して通信することができる。
【００５０】
本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングル・キャリア周波数分割多元接続（ＳＣ−ＦＤＭＡ）および／または他のシステムなど、様々なワイヤレス通信システムに対して使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ８０２０などの無線技術を実装することができる。ＵＴＲＡは、Ｗｉｄｅｂａｎｄ−ＣＤＭＡ（Ｗ−ＣＤＭＡ）とＣＤＭＡの他の変形態とを含む。ＣＤＭＡ８０２０は、ＩＳ−８０２０規格と、ＩＳ−９５規格と、ＩＳ−８５６規格とをカバーする。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭなどの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳの今度のリリースである。ＵＴＲＡ、Ｅ−ＵＴＲＡ、ＵＭＴＳ、ＬＴＥおよびＧＳＭ（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ＣＤＭＡ８０２０およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトルと、８０２．ｘｘワイヤレスＬＡＮと、ＢＬＵＥＴＯＯＴＨ（登録商標）と任意の他の短距離または長距離ワイヤレス通信技法とをしばしば使用するピアツーピア（たとえば、モバイルツーモバイル）アドホック・ネットワーク・システムをさらに含むことができる。
【００５１】
シングル・キャリア周波数分割多元接続（ＳＣ−ＦＤＭＡ）は、シングル・キャリア変調および周波数領域等化を利用する。ＳＣ−ＦＤＭＡは、ＯＦＤＭＡシステムと同様のパフォーマンスおよび本質的に同じ全体的な複雑さを有することができる。ＳＣ−ＦＤＭＡ信号は、その特有のシングル・キャリア構造のためにより低いピーク対平均電力比（ＰＡＰＲ）を有することができる。ＳＣ−ＦＤＭＡは、たとえば、より低いＰＡＰＲが送信電力効率の点でＵＥに大きな利益を与えるアップリンク通信において使用され得る。したがって、ＳＣ−ＦＤＭＡは、３ＧＰＰ  Ｌｏｎｇ  Ｔｅｒｍ  Ｅｖｏｌｕｔｉｏｎ（ＬＴＥ）またはＥｖｏｌｖｅｄ  ＵＴＲＡにおいてアップリンク多元接続方式として実装され得る。
【００５２】
さらに、本明細書では、様々な実施形態について、ＵＥに関して説明する。ＵＥは、システム、加入者ユニット、加入者局、移動局、モバイル、遠隔局、リモート端末、モバイル・デバイス、アクセス端末、ワイヤレス通信デバイス、ユーザ・エージェントまたはユーザ・デバイスと呼ばれることもある。ＵＥは、セルラー電話、コードレス電話、セッション開始プロトコル（ＳＩＰ）電話、ワイヤレス・ローカルループ（ＷＬＬ）局、携帯情報端末（ＰＤＡ）、ワイヤレス接続機能を有するハンドヘルド・デバイス、コンピューティング・デバイス、またはワイヤレス・モデムに接続された他の処理デバイスとすることができる。その上、様々な実施形態について、ＢＳまたはアクセスノード（ＡＮ）に関して本明細書で説明する。ＢＳは、ＵＥと通信するために利用され得、アクセスポイント、ＢＳ、フェムト・ノード、ピコ・ノード、ノードＢ、進化型ノードＢ（ｅノードＢ、ｅＮＢ）または何らかの他の用語で呼ばれることもある。
【００５３】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００５４】
本明細書で説明する様々な態様または特徴は、標準のプログラミングおよび／またはエンジニアリング技法を使用した方法、装置、または製造品として実装され得る。本明細書で使用する「製造品」という用語は、任意のコンピュータ可読デバイス、キャリア、または媒体からアクセス可能なコンピュータ・プログラムを包含するものとする。たとえば、コンピュータ可読媒体は、磁気ストレージ・デバイス（たとえば、ハードディスク、フロッピー（登録商標）ディスク、磁気ストリップ）、光ディスク（たとえば、コンパクト（登録商標）ディスク（ＣＤ）、デジタル多用途ディスク（ＤＶＤ））、スマートカード、およびフラッシュ・メモリデバイス（たとえば、ＥＰＲＯＭ、カード、スティック、キードライブ）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレス・チャネル、ならびにコードおよび／または（１つまたは複数の）命令および／またはデータを記憶、含有、および／または搬送することが可能な様々な他の媒体（および／または記憶媒体）を含むことができるが、これらに限定されない。
【００５５】
いくつかの態様では、マクロスケールのカバレージ（たとえば、一般にマクロセル・ネットワークと呼ばれる、３Ｇネットワークなどの広域セルラーネットワーク）と、より小さいスケールのカバレージ（たとえば、レジデンスベースまたは建築物ベースのネットワーク環境）とを含むネットワーク中で、本明細書の教示を採用し得る。ＵＥは、そのようなネットワーク中を移動する。ＵＥは、いくつかのロケーションでは、マクロ・カバレージを与えるＢＳによってサービスされ得るが、他のロケーションでは、より小規模のカバレージを与えるＢＳによってサービスされ得る。いくつかの態様では、より小さいカバレージノードを使用して、（たとえば、よりロバストなユーザ・エクスペリエンスのために）増分キャパシティの増大と、屋内カバレージと、様々なサービスとを与え得る。本明細書での説明では、比較的大きいエリアにわたるカバレージを与えるノードを、マクロノードと呼ぶことがある。比較的小さいエリア（たとえば、レジデンス）にわたるカバレージを与えるノードを、フェムト・ノードと呼ぶことがある。マクロエリアよりも小さく、フェムトエリアよりも大きいエリアにわたるカバレージを与える（たとえば、商業建築物内のカバレージを与える）ノードを、ピコ・ノードと呼ぶことがある。
【００５６】
マクロノード、フェムト・ノード、またはピコ・ノードに関連付けられたセルを、それぞれ、マクロセル、フェムト・セル、またはピコ・セルと呼ぶことがある。いくつかの実装形態では、各セルをさらに１つまたは複数のセクタに関連付け得る（たとえば、分割し得る）。
【００５７】
様々な適用例では、マクロノード、フェムト・ノード、またはピコ・ノードを指すために他の用語を使用することがある。たとえば、マクロノードを、ＢＳ、アクセスポイント、ｅノードＢ、マクロセルなどとして構成すること、またはそのように呼ぶことがある。また、フェムト・ノードを、ホームノードＢ、ホームｅノードＢ、アクセスポイントアクセスノード、ＢＳ、フェムト・セルなどとして構成すること、またはそのように呼ぶことがある。
【００５８】
図１は、本明細書に記載する様々な態様による、干渉管理を可能にするための例示的なワイヤレス通信システムの図である。ワイヤレス通信システム１００では、ＵＬ上での送信によって引き起こされる干渉はＢＳ１０２によって管理され得るが、ＤＬ上での送信によって引き起こされる干渉はＵＥ１１６、１２２によって管理され得る。
【００５９】
次に図１を参照すると、本明細書で提示する様々な実施形態によるワイヤレス通信システム１００が示されている。システム１００は、複数のアンテナ・グループを含むことができるＢＳ１０２を含む。たとえば、１つのアンテナ・グループはアンテナ１０４、１０６を含むことができ、別のグループはアンテナ１０８、１１０を備えることができ、さらなるグループはアンテナ１１２、１１４を含むことができる。アンテナ・グループごとに２つのアンテナが示されているが、グループごとにより多いまたはより少ないアンテナを利用することができる。ＢＳ１０２は、さらに、送信ノードチェーンと受信ノードチェーンとを含むことができ、送信ノードチェーンおよび受信ノードチェーンの各々は、当業者なら諒解するように、信号送信および受信に関連付けられた複数の構成要素（たとえば、プロセッサ、変調器、マルチプレクサ、復調器、デマルチ・プレクサ、アンテナ）を備えることができる。
【００６０】
ＢＳ１０２は、ＵＥ１１６、１２２などの１つまたは複数のＵＥと通信することができる。ただし、ＢＳ１０２は、ＵＥ１１６、１２２と同様の実質的に任意の数のＵＥと通信することができることを諒解されたい。ＵＥ１１６、１２２は、たとえば、セルラー電話、スマートフォン、ラップトップ、ハンドヘルド通信デバイス、ハンドヘルド・コンピューティング・デバイス、衛星ラジオ、全地球測位システム、ＰＤＡ、および／またはワイヤレス通信システム１００を介して通信するための他の何らかの適切なデバイスとすることができる。図示のように、ＵＥ１１６はアンテナ１１２、１１４と通信しており、アンテナ１１２、１１４は、ＤＬ１１８を介して情報をＵＥ１１６に送信し、ＵＬ１２０を介してＵＥ１１６から情報を受信する。その上、ＵＥ１２２はアンテナ１０４、１０６と通信しており、アンテナ１０４、１０６は、ＤＬ１２４を介して情報をＵＥ１２２に送信し、ＵＬ１２６を介してＵＥ１２２から情報を受信する。周波数分割複信（ＦＤＤ）システムでは、たとえば、ＤＬ１１８は、ＵＬ１２０によって使用される周波数帯域とは異なる周波数帯域を利用することができ、ＤＬ１２４は、ＵＬ１２６によって採用される周波数帯域とは異なる周波数帯域を採用することができる。さらに、時分割複信（ＴＤＤ）システムでは、ＤＬ１１８およびＵＬ１２０は共通の周波数帯域を利用することができ、ＤＬ１２４およびＵＬ１２６は共通の周波数帯域を利用することができる。
【００６１】
アンテナの各グループおよび／またはそれらが通信するように指定されたエリアは、ＢＳ１０２のセクタと呼ばれることがある。たとえば、アンテナ・グループは、ＢＳ１０２によってカバーされるエリアのセクタ中のＵＥに通信するように設計され得る。ＤＬ１１８、１２４を介した通信では、ＢＳ１０２の送信アンテナは、ＵＥ１１６、１２２のＤＬ１１８、１２４の信号対雑音比を改善するためにビーム・フォーミングを利用することができる。また、ＢＳ１０２が、ビーム・フォーミングを利用して関連するカバレージ中にランダムに散在するＵＥ１１６、１２２に送信する間、ＢＳがシングルアンテナを通してそのＢＳのすべてのＵＥに送信する場合と比較して、近隣セル中のＵＥ１１６、１２２は干渉を受けにくくなり得る。さらに、ＢＳ１０２およびＵＥ１１６、１２２は、本明細書で説明する干渉管理を可能にするように構成され得る。
【００６２】
図２は、本明細書に記載する様々な態様による、何人かのユーザのための干渉管理を可能にするための別の例示的なワイヤレス通信システムの図である。システム２００は、たとえば、マクロセル２０２Ａ〜２０２Ｇなど、複数のセル２０２の通信を行い、各セルは、対応するＢＳ２０４（たとえば、ＢＳ２０４Ａ〜２０４Ｇ）によってサービスされる。図２に示すように、ＵＥ２０６（たとえば、ＵＥ２０６Ａ〜２０６Ｌ）は、時間とともにシステム全体にわたって様々なロケーションに分散させられ得る。各ＵＥ２０６は、たとえば、ＵＥ２０６がアクティブであるかどうか、およびＵＥ２０６がソフトハンドオフ中であるかどうかに応じて、所与の瞬間においてＤＬまたはＵＬ上で１つまたは複数のＢＳ２０４と通信することができる。ワイヤレス通信システム２００は大きい地理的領域にわたってサービスを提供し得る。たとえば、マクロセル２０２Ａ〜２０２Ｇは、近傍中の数ブロックをカバーし得る。
【００６３】
図３は、本明細書に記載する様々な態様による、干渉管理を可能にするために１つまたは複数のフェムト・ノードが展開される例示的なワイヤレス通信システムの図である。特に、システム３００は、比較的小規模ネットワーク環境中に（たとえば、１つまたは複数のユーザレジデンス３３０中に）設置された複数のフェムト・ノード３１０（たとえば、フェムト・ノード３１０Ａおよび３１０Ｂ）を含む。各フェムト・ノード３１０は、ＤＳＬルータ、ケーブル・モデム、ワイヤレス・リンク、または他の接続手段（図示せず）を介して、ワイドエリア・ネットワーク３４０（たとえば、インターネット）とモバイル事業者コア・ネットワーク３５０とに結合され得る。以下で説明するように、各フェムト・ノード３１０は、関連するＵＥ（たとえば、関連するＵＥ３２０Ａ）と、場合によっては、外来ＵＥ（たとえば、外来ＵＥ３２０Ｂ）とをサービスするように構成され得る。言い換えれば、フェムト・ノード３１０へのアクセスが制限され得、それによって、所与のＵＥ３２０は、指定された（１つまたは複数の）（たとえば、ホーム）フェムト・ノード３１０のセットによってはサービスされ得るが、指定されていないフェムト・ノード３１０（たとえば、ネイバーのフェムト・ノード３１０）によってはサービスされ得ない。
【００６４】
しかしながら、様々な実施形態では、関連するＵＥ３２０Ａは、外来ＵＥ３２０Ｂをサービスしているフェムト・ノード３１０からの干渉をＤＬ上で経験することがある。同様に、関連するＵＥ３２０Ａに関連付けられたフェムト・ノード３１０は、外来ＵＥ３２０Ｂからの干渉をＵＬ上で経験することがある。実施形態では、干渉管理は、本明細書で説明するシステム３００において可能にされ得る。
【００６５】
図４は、本明細書に記載する様々な態様による、干渉管理を可能にするためのワイヤレス通信システムにおける例示的なカバレージ・マップの図である。カバレージ・マップ４００は、いくつかの追跡エリア４０２（またはルーティング・エリアまたはロケーション・エリア）を含むことができ、追跡エリア４０２の各々はいくつかのマクロ・カバレージ・エリアを含むことができる。図示の実施形態では、追跡エリア４０２Ａ、４０２Ｂ、および４０２Ｃに関連付けられたカバレージのエリアは太線によって示され、マクロ・カバレージ・エリア４０４は六角形によって表される。追跡エリア４０２Ａ、４０２Ｂ、および４０２Ｃはフェムト・カバレージ・エリア４０６を含むことができる。この例では、フェムト・カバレージ・エリア４０６（たとえば、フェムト・カバレージ・エリア４０６Ｃ）の各々は、マクロ・カバレージ・エリア４０４（たとえば、マクロ・カバレージ・エリア４０４Ｂ）内に示される。ただし、フェムト・カバレージ・エリア４０６は、完全にマクロ・カバレージ・エリア４０４内にあるわけではないことを諒解されたい。実際問題として、多数のフェムト・カバレージ・エリア４０６を所与の追跡エリア４０２またはマクロ・カバレージ・エリア４０４とともに画定することができる。また、１つまたは複数のピコ・カバレージ・エリア（図示せず）を所与の追跡エリア４０２またはマクロ・カバレージ・エリア４０４内に画定することができる。
【００６６】
再び図３を参照すると、フェムト・ノード３１０の所有者は、たとえば、３Ｇモバイルサービスなど、モバイル事業者コア・ネットワーク３５０を介して提供されるモバイルサービスに加入することができる。さらに、ＵＥ３２０は、マクロ環境中と、より小規模の（たとえば、宅内）ネットワーク環境中の両方で動作することが可能であり得る。言い換えれば、ＵＥ３２０の現在ロケーションに応じて、ＵＥ３２０は、マクロセル・モバイル・ネットワーク３５０のアクセス・ノード３６０によって、または、フェムト・ノード３１０のセットのうちのいずれか１つ（たとえば、対応するユーザレジデンス３３０内に常駐するフェムト・ノード３１０Ａおよび３１０Ｂ）によってサービスされ得る。たとえば、加入者が自宅の外にいるときには、標準のマクロ・アクセス・ノード（たとえば、ノード３６０）によってサービスされ、自宅の中にいるときには、フェムト・ノード（たとえば、ノード３１０Ａ）によってサービスされる。ここで、フェムト・ノード３１０は既存のＵＥ３２０と後方互換性があり得ることを諒解されたい。
【００６７】
フェムト・ノード３１０は、単一の周波数上に展開され、または代替として、複数の周波数上に展開され得る。特定の構成に応じて、単一の周波数、あるいは複数の周波数のうちの１つまたは複数は、マクロノード（たとえば、ノード３６０）によって使用される１つまたは複数の周波数と重複することがある。
【００６８】
いくつかの態様では、ＵＥ３２０は、そのような接続性が可能なときはいつでも、好適なフェムト・ノード（たとえば、ＵＥ３２０のホーム・フェムト・ノード）に接続するように構成され得る。たとえば、ＵＥ３２０がユーザのレジデンス３３０内にあるときはいつでも、ＵＥ３２０がホーム・フェムト・ノード３１０のみと通信することが望ましいことがある。
【００６９】
いくつかの態様では、ＵＥ３２０がマクロ・セルラー・ネットワーク３５０内で動作しているが、（たとえば、好適ローミング・リスト中で定義された）その最も好適なネットワーク上に常駐していない場合、ＵＥ３２０は、ベターシステム・リセレクション（Better System Reselection）（ＢＳＲ）を使用して、最も好適なネットワーク（たとえば、好適なフェムト・ノード３１０）を探索し続け得、ベターシステム・リセレクションでは、より良好なシステムが現在利用可能であるかどうかを判断するために利用可能なシステムの周期的スキャニングを行うことができ、その後、そのような好適なシステムに関連付けようとする。捕捉エントリを用いて、ＵＥ３２０は、特定の帯域およびチャネルの探索を制限し得る。たとえば、最も好適なシステムの探索が周期的に繰り返され得る。好適なフェムト・ノード３１０が発見されると、ＵＥ３２０は、そのカバレージ・エリア内にキャンピングするためにフェムト・ノード３１０を選択する。
【００７０】
フェムト・ノードは、いくつかの態様では、制限され得る。たとえば、所与のフェムト・ノードは、いくつかのサービスをいくつかのＵＥのみに提供し得る。いわゆる制限（または限定）された関連付けを用いた展開では、所与のＵＥは、マクロセル・モバイル・ネットワークと、フェムト・ノードの定義されたセット（たとえば、対応するユーザレジデンス３３０内に常駐するフェムト・ノード３１０）とによってのみサービスされ得る。いくつかの実装形態では、ノードは、少なくとも１つのノードにシグナリング、データアクセス、登録、ページング、またはサービスのうちの少なくとも１つを提供しないように制限され得る。
【００７１】
いくつかの態様では、（限定加入者グループホームノードＢと呼ばれることもある）制限されたフェムト・ノードは、サービスを、制限されたプロビジョニングされたＵＥのセットに提供するノードである。このセットは、必要に応じて、一時的にまたは永続的に拡大され得る。いくつかの態様では、限定加入者グループ（ＣＳＧ）は、ＵＥの共通のアクセス制御リストを共有するＢＳ（たとえば、フェムト・ノード）のセットとして定義され得る。領域中のすべてのフェムト・ノード（またはすべての制限されたフェムト・ノード）が動作するチャネルをフェムトチャネルと呼ぶことがある。
【００７２】
したがって、所与のフェムト・ノードと所与のＵＥとの間には様々な関係が存在し得る。たとえば、ＵＥの観点から、開いたフェムト・ノードは、制限された関連付けをもたないフェムト・ノードを指すことがある。制限されたフェムト・ノードは、何らかの形で制限された（たとえば、関連付けおよび／または登録について制限された）フェムト・ノードを指すことがある。ホーム・フェムト・ノードは、ＵＥがアクセスし、その上で動作することを許可されるフェムト・ノードを指すことがある。ゲスト・フェムト・ノードは、ＵＥがアクセスし、またはその上で動作することを一時的に許可されるフェムト・ノードを指すことがある。外来フェムト・ノードは、おそらく非常事態（たとえば、９１１番）を除いて、ＵＥがアクセスし、またはその上で動作することを許可されないフェムト・ノードを指すことがある。
【００７３】
制限されたフェムト・ノードの観点から、ホームＵＥは、制限されたフェムト・ノードへのアクセスを許可されるＵＥを指すことがある。ゲストＵＥは、制限されたフェムト・ノードへの一時的アクセスをもつＵＥを指すことがある。外来ＵＥは、たとえば、おそらく９１１番などの非常事態を除いて、制限されたフェムト・ノードにアクセスする許可を有していないＵＥ（たとえば、制限されたフェムト・ノードに登録する証明書または許可を有していないＵＥ）を指すことがある。
【００７４】
フェムト・ノードに関して図４の説明を与えたが、ピコ・ノードは、より大きいカバレージ・エリアに同じまたは同様の機能を提供し得ることを諒解されたい。たとえば、所与のＵＥに対して、ピコ・ノードを制限すること、ホーム・ピコ・ノードを定義することなどが行われ得る。
【００７５】
ワイヤレス多元接続通信システムは、複数のワイヤレスＵＥのための通信を同時にサポートすることができる。上述のように、各ＵＥは、ＤＬまたはＵＬ上での送信を介して１つまたは複数のＢＳと通信することができる。これらの通信リンク（すなわち、ＤＬおよびＵＬ）は、単入力単出力システム、多入力多出力（ＭＩＭＯ）システム、または何らかの他のタイプのシステムを介して確立され得る。
【００７６】
ＭＩＭＯシステムは、データ送信用の複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生じる追加の次元数が利用された場合、ＭＩＭＯシステムは改善されたパフォーマンス（たとえば、より高いスループットおよび／またはより大きい信頼性）を与え得る。
【００７７】
ＭＩＭＯシステムは、ＴＤＤとＦＤＤとをサポートすることができる。ＴＤＤシステムでは、ＤＬ送信およびＵＬ送信が同一周波数領域上で行われ得るので、相反定理によりＵＬからのＤＬチャネルの推定が可能である。これにより、複数のアンテナがＢＳで利用可能であるとき、ＢＳはＤＬ上でビーム・フォーミング利得を送信することが可能になる。いくつかの実施形態では、本明細書で説明するように、干渉管理のために、ＵＬチャネルのチャネル状態がＤＬチャネルから推定され得る。
【００７８】
図５Ａに、ＤＬ上での干渉管理を可能にするためのワイヤレス通信システムの例示的なブロック図を示す。システム５００は、ＤＬ上でのＢＳとＵＥとの間の干渉を管理する（たとえば、制御および／または低減する）ことができる。様々な実施形態では、システム５００は、ＬＴＥシステム、ＬＴＥ−Ａシステム、または説明する動作が実行され得る任意のタイプのシステムとすることができる。
【００７９】
１つまたは複数の実施形態では、ＢＳ５０２、５０６、５０８および／またはＵＥ５０３のうちの１つまたは複数は、本明細書で請求および／または説明する方法のステップのうちの１つまたは複数を実行することができる。
【００８０】
システム５００は、１つまたは複数のＢＳ５０２、５０６、５０８と、少なくとも１つのＵＥ５０３とを含むことができる。ＵＥ５０３は、ＢＳ５０２、５０６、５０８によって送信された情報を受信または検出することが可能な受信機とすることができる。
【００８１】
いくつかの実施形態では、ＢＳ５０２は、ＵＥ５０３をサービスし、ＵＥ５０３への干渉を引き起こすことなしに送信することができる。いくつかの実施形態では、ＢＳ５０６、５０８は、ＵＥ５０３をサービスしない干渉ＢＳである。ＢＳ５０６、５０８は、送信し、ＵＥ５０３がＢＳ５０６、５０８による送信を受信または検出したとき、ＵＥ５０３への干渉を引き起こすことがある。ＵＥ５０３および／またはＢＳ５０２、５０６、５０８は、ＵＥ５０３における干渉を管理および／または制御するためにシステム５００において干渉管理を行うように構成され得る。
【００８２】
様々な実施形態では、サービングＢＳ５０２とＵＥ５０３との間の実線によってサービング通信リンクが示され得、セル外ＢＳ５０６、５０８とＵＥ５０３との間の点線によって相互通信リンクが示され得る。サービング通信リンクは非干渉リンクを示すことができ、相互通信リンクは干渉リンクを示すことができる。
【００８３】
ＢＳ５０２、５０６、５０８は、それぞれトランシーバ５３０、５１１、５１８を含むことができ、ＵＥ５０３はトランシーバ５１０を含むことができ、それらのトランシーバは、情報を送信および／または受信するように構成される。送信および／または受信される情報は、限定はしないが、データ、制御チャネル情報、パイロット信号、および／またはワイヤレス通信チャネルを介して送信または受信され得る任意の情報を含むことができる。
【００８４】
ＢＳ５０２、５０６、５０８は、それぞれ干渉管理モジュール５１９、５１３、５２０を含むことができ、ＵＥ５０３は干渉管理モジュール５１２を含むことができる。干渉管理モジュール５１９、５１３、５２０は、干渉管理モジュール５１２とは構造および／または機能が異なることがある。同様に、干渉管理モジュール５１９、５１３、５２０は、関連するＢＳがそれとともに構成される機能に応じて異なることがある。
【００８５】
いくつかの実施形態では、干渉管理モジュール５１９、５１３、５２０、５１２は、システム、方法、装置および／またはコンピュータ・プログラム製品に関して本明細書で説明する干渉管理のための機能のうちの１つまたは複数を実行するように構成され得る。限定ではなく例として、干渉管理のための機能は、公称干渉と、干渉と、公称信号対干渉雑音比と、意図された送信電力と、送信電力との値、トラフィック優先度、チャネル利得、チャネル利得情報および／またはバッファ状態情報を計算すること、および／または判断すること、および／または設定することを含むことができる。チャネル利得は、公称送信電力に対する受信信号電力とすることができる。チャネル利得は、公称送信電力に対する受信信号電力の対数値、分数または差として表され得る。いくつかの実施形態では、公称送信電力は、チャネル利得を計算するＵＥまたはＢＳに知られている。チャネル利得情報はチャネル利得を含むことができる。
【００８６】
限定ではなく他の例として、干渉管理のための機能は、送信をスケジュールすることを含むことができる。限定ではなく他の例として、干渉管理のための機能は、第１のセル中のＢＳによる意図された送信について、送信する第１のセル中のＢＳの場合、第２のセル中のＵＥに対する劣化と比較して、送信する第１のセル中のＢＳ（または第１のセル中のＢＳによってサービスされるＵＥ）に対する利益を比較することを含むことができる。その劣化は、上記ＢＳによる送信に起因することがある。
【００８７】
ＢＳ５０２、５０６、５０８は、それぞれプロセッサ５２１、５１５、５２２を含むことができる。ＵＥ５０３はプロセッサ５１４を含むことができる。プロセッサ５２１、５１５、５２２、５１４は、システム、方法、装置および／またはコンピュータ・プログラム製品のうちのいずれかに関して本明細書で説明する機能のうちの１つまたは複数を実行するように構成され得る。
【００８８】
ＢＳ５０２、５０６、５０８は、それぞれメモリ５２３、５１７、５２４を含むことができ、ＵＥ５０３はメモリ５１６を含むことができる。メモリ５２３、５１７、５２４、５１６は、システム、方法、装置および／またはコンピュータ・プログラム製品のうちのいずれかに関して本明細書で説明する機能を実行するためのコンピュータ実行可能命令および／または情報を記憶するためのものとすることができる。
【００８９】
いくつかの実施形態では、ＢＳ５０２、５０６、５０８は、ＢＳ５０２、５０６、５０８によってサービスされるＵＥにおけるトラフィック優先度を示す優先度メトリックに１つまたは複数のパラメータをマッピングするためのプロビジョニング・インターフェース（図示せず）を含むことができる。
【００９０】
ダウンリンク上での干渉関係を示す、図示の実施形態では、ＢＳ５０２、５０６、５０８はＢＳとすることができ、ＵＥ５０３はＵＥとすることができる。ＢＳ５０６、５０８は、ＵＥ５０３がその中にあるセル以外のセル中にある干渉ＢＳとすることができる。ＢＳ５０６、５０６による送信は、ＵＥ５０３における干渉を生じることがある。ＢＳ５０２は、ＵＥ５０３をもつセル中にあるサービングＢＳであって、ＵＥ５０３をサービスするサービングＢＳとすることができる。したがって、ＢＳ５０２による送信は、様々な実施形態では非干渉送信であることがある。
【００９１】
図５Ｂに、ＵＬ上での干渉管理を可能にするためのワイヤレス通信システムの例示的なブロック図を示す。システム５５０は、ＵＬ上でのＵＥとサービングＢＳとの間の干渉を管理する（たとえば、制御および／または低減する）ことができる。様々な実施形態では、システム５５０は、ＬＴＥシステム、ＬＴＥ−Ａシステム、または説明する動作が実行され得る任意のタイプのシステムとすることができる。
【００９２】
１つまたは複数の実施形態では、システム５５０の構成要素のうちの１つまたは複数は、本明細書で請求および／または説明する方法のステップのうちの１つまたは複数を実行することができる。
【００９３】
システム５５０は、ＵＥ５５２、５５６、５５８と、少なくとも１つのサービングＢＳ５５３とを含むことができる。いくつかの実施形態では、ＵＥ５５２、５５６、５５８は、ワイヤレス通信システムにおいてワイヤレス通信チャネルを介して情報を送信するＵＥとすることができる。サービングＢＳ５５３は、ＵＥによって送信された情報を受信または検出することが可能な受信機とすることができる。例として、サービングＢＳ５５３は、ＵＬ上で送信された情報を受信または検出することが可能なＢＳとすることができ、ＵＥ５５２、５５６、５５８は、ＵＬ上で情報を送信することが可能なＵＥとすることができる。
【００９４】
いくつかの実施形態では、ＵＥ５５２は、サービングＢＳ５５３によってサービスされ、サービングＢＳ５５３への干渉を引き起こすことなしに送信することができる。いくつかの実施形態では、ＵＥ５５６、５５８は、サービングＢＳ５５３によってサービスされない干渉ＵＥである。ＵＥ５５６、５５８は、送信し、サービングＢＳ５５３がＵＥ５５６、５５８による送信を受信または検出したとき、サービングＢＳ５５３への干渉を引き起こすことがある。サービングＢＳ５５３および／またはＵＥ５５２、５５６、５５８は、サービングＢＳ５５３における干渉を管理および／または制御するためにシステム５５０において干渉管理を行うように構成され得る。
【００９５】
様々な実施形態では、ＵＥ５５２とサービングＢＳ５５３との間の実線によってサービング通信リンクが示され得、ＵＥ５５６、５５８とサービングＢＳ５５３との間の点線によって相互通信リンクが示され得る。サービング通信リンクは非干渉リンクを示すことができ、相互通信リンクは干渉リンクを示すことができる。
【００９６】
ＵＥ５５２、５５６、５５８は、それぞれトランシーバ５６９、５６１、５６８を含むことができ、サービングＢＳ５５３はトランシーバ５６０を含むことができ、それらのトランシーバは、情報を送信および／または受信するように構成される。送信および／または受信される情報は、限定はしないが、データ、制御チャネル情報、パイロット信号、および／またはワイヤレス通信チャネルを介して送信または受信され得る任意の情報を含むことができる。
【００９７】
ＵＥ５５２、５５６、５５８は、それぞれ干渉管理モジュール５８０、５６３、５７０を含むことができ、サービングＢＳ５５３は干渉管理モジュール５６２を含むことができ、それらの干渉管理モジュールは、システム、方法、装置および／またはコンピュータ・プログラム製品のうちのいずれかに関して本明細書で説明する干渉管理のための機能のうちの１つまたは複数を実行するように構成される。干渉管理モジュール５８０、５６３、５７０は、干渉管理モジュール５６３とは構造および／または機能が異なることがある。同様に、干渉管理モジュール５８０、５６３、５７０は、ＵＥがそれとともに構成される機能に応じて異なることがある。
【００９８】
いくつかの実施形態では、干渉管理モジュール５８０、５６３、５７０、５６２は、システム、方法、装置および／またはコンピュータ・プログラム製品に関して本明細書で説明する干渉管理のための機能のうちの１つまたは複数を実行するように構成され得る。限定ではなく例として、干渉管理のための機能は、公称干渉と、干渉と、公称信号対干渉雑音比と、意図された送信電力と、送信電力との値、トラフィック優先度、チャネル利得情報および／またはバッファ状態情報を計算すること、および／または判断すること、および／または設定することを含むことができる。限定ではなく他の例として、干渉管理のための機能は、送信をスケジュールすることを含むことができる。限定ではなく他の例として、干渉管理のための機能は、第１のセル中のＵＥによる意図された送信について、第２のセル中のＵＥおよび／または第２のセル中のＢＳに対する劣化と比較して、送信する第１のセル中のＵＥに対する利益を比較することを含むことができる。その劣化は、第１のセル中のＵＥによる送信に起因することがある。
【００９９】
ＵＥ５５２、５５６、５５８は、それぞれプロセッサ５６６、５８１、５７２を含むことができる。サービングＢＳ５５３はプロセッサ５６４を含むことができる。プロセッサ５６６、５８１、５７２、５６４は、システム、方法、装置および／またはコンピュータ・プログラム製品のうちのいずれかに関して本明細書で説明する機能のうちの１つまたは複数を実行するように構成され得る。
【０１００】
ＵＥ５５２、５５６、５５８は、それぞれメモリ５６７、５８２、５７４を含むことができ、サービングＢＳ５５３はメモリ５６５を含むことができる。メモリ５６７、５８２、５７４、５６５は、システム、方法、装置および／またはコンピュータ・プログラム製品のうちのいずれかに関して本明細書で説明する機能を実行するためのコンピュータ実行可能命令および／または情報を記憶するためのものとすることができる。
【０１０１】
いくつかの実施形態では、ＢＳ５５３は、ＢＳ５５３によってサービスされるＵＥ５５２におけるトラフィック優先度を示す優先度メトリックに１つまたは複数のパラメータをマッピングするためのプロビジョニング・インターフェース（図示せず）を含むことができる。
【０１０２】
ＵＬ上での干渉関係を示す、図示の実施形態では、サービングＢＳ５５３はＵＥ５５２のためのサービングＢＳとすることができる。ＵＥ５５６、５８８は、サービングＢＳ５５３がその中にあるセル以外のセル中にある干渉ＵＥとすることができる。ＵＥ５５６、５５８による送信は、サービングＢＳ５５３における干渉を生じることがある。サービングＢＳ５５３は、ＵＥ５５２をもつセル中にあるサービングＢＳとすることができる。したがって、ＵＥ５５２による送信は、様々な実施形態では非干渉送信であることがある。
【０１０３】
図６は、本明細書に記載する様々な態様による、干渉管理を可能にするための分散スケジューリングのための方法のフローチャートの一例の図である。方法６００は、セル中のＵＥによる調整メッセージおよび／または情報全般の送信をサービングＢＳがスケジュールすることを可能にするために採用され得る。ＵＥが送信することができる情報は、限定はしないが、データ、制御チャネル情報、パイロット信号、および／またはワイヤレス通信チャネルを介して送信または受信され得る任意の情報を含むことができる。様々な実施形態では、送信のためにスケジュールされるＵＥは、セル中のサービングＢＳによってサービスされ得る。
【０１０４】
６１０において、方法６００は、サービングＢＳが、サービングＢＳによってサービスされるＵＥがリソースを求めて競合するかどうかを判断することを含むことができる。リソースは、限定はしないが、ＵＥが情報を送信することができるタイムスロットおよび／または帯域幅を含むことができる。
【０１０５】
リソースを求めて競合するＵＥを判断するために、サービングＢＳは、サービングＢＳがＵＥに送信しようとするトラフィックの優先度を判断することができる。サービングＢＳはまた、干渉ＢＳの送信電力レベルを判断することができる。様々な実施形態では、干渉ＢＳは、ＵＥがその中にあるセルの外のセル中にあるＢＳとすることができる。干渉ＢＳが干渉ＢＳによってサービスされるセル中のＵＥにＤＬ上で情報を送信するとき、干渉ＢＳはＵＥと干渉することがあるが、（他のセル中の）ＵＥは、送信の結果として干渉を経験する。
【０１０６】
トラフィックの優先度は、図７Ａおよび図７Ｂを参照しながら以下で説明するように判断され得る。干渉ＢＳの送信電力レベルは、図８を参照しながら以下で説明するように判断され得る。
【０１０７】
サービングＢＳは、調整メッセージの送信のためのＵＥの第１のセットを選択することができる。ＵＥの第１のセットを選択するための方法は、図９を参照しながら説明するような方法とすることができる。サービングＢＳはまた、調整メッセージを送ることができるＵＥの数に関する制約を有することができる。
【０１０８】
再び図６を参照すると、６２０において、方法６００は、サービングＢＳが１つまたは複数の調整メッセージの送信をスケジュールすることを含むことができる。一実施形態では、調整メッセージは干渉管理要求とすることができる。いくつかの実施形態では、干渉管理要求はリソース利用メッセージ（ＲＵＭ）とすることができる。干渉管理要求および／またはＲＵＭは、ＵＥが、干渉管理要求および／またはＲＵＭが送信されないときの干渉と比較して低減された干渉を経験すること、あるいは選択されたしきい値を下回る干渉を経験することを望む、１つまたは複数のリソースに関する情報を含むことができる。限定ではなく例として、干渉管理要求および／またはＲＵＭは、ＵＥが、選択されたしきい値を下回る干渉を有することを望む、１つまたは複数のサブバンドに関する情報を含むことができる。したがって、干渉管理要求および／またはＲＵＭを受信する干渉ＢＳ（または干渉ＵＥ）は、１つまたは複数のリソース上で経験される干渉上の干渉物からの寄与を低減するために、バックオフするか、または干渉ＢＳ（または干渉ＵＥ）の送信電力レベルを調整し得る。
【０１０９】
６３０において、方法６００は、サービングＢＳがＵＥから干渉情報を受信することを含むことができる。干渉情報は、限定はしないが、有効チャネル品質インジケータ（有効ＣＱＩ）、および／または干渉ＢＳが送信しようとする電力レベルを示す送信電力レベルを含むことができる。いくつかの実施形態では、有効ＣＱＩは、システム中の仮定された公称干渉に基づいて計算されるチャネル品質インジケータ情報とすることができる。公称干渉は、いくつかの実施形態では干渉ＢＳによって推定され得る。対照的に、ＣＱＩは、すべての干渉ＢＳから送信されている仮定された最大送信電力レベルに基づいて計算され得る。いくつかの実施形態では、システム中の第１の干渉ＢＳが公称干渉を計算しているとき、その公称干渉は、システム中の、第１の干渉ＢＳ以外の、他の干渉ＢＳのうちの１つまたは複数からの干渉寄与とすることができる。
【０１１０】
いくつかの実施形態では、ＵＥによって受信された干渉情報は、バックオフをスケジュールする干渉ＢＳのうちの１つまたは複数を示す情報を含むことができる。バックオフは、図１２Ａを参照しながら本明細書で説明するように任意の数のバックオフ・アルゴリズムに従ってスケジュールされ得る。したがって、ＵＥは、ＵＥが調整メッセージをそれに送信した干渉ＢＳの各々が送信した場合に生じるであろう干渉レベルに比較して低減された干渉レベルを示す干渉情報を受信することができる。
【０１１１】
６４０において、方法６００は、サービングＢＳが情報を送信するためのＵＥの第２のセットを判断することを含むことができ、情報を送信するためのＵＥの第２のセットを判断することは、干渉情報、またはＵＥの第１のセットのために行われた干渉コミットメントのうちの１つまたは複数を判断することに応答することができる。
【０１１２】
６５０において、方法６００は、サービングＢＳがＵＥの第２のセットによる情報の送信をスケジュールすることを含むことができる。様々な実施形態では、ＵＥの第２のセットのＵＥのうちの１つまたは複数は、ＵＥの第１のセット中に含まれる。
【０１１３】
図６を参照しながら説明する実施形態は、セル中で動作している複数のＵＥがあるセル中のＵＥを選択するためのステップ６１０および６２０を含むが、単一のＵＥのみがセル中で動作している実施形態が与えられ得る。それらの実施形態では、サービングＢＳは、リソースを求めて競合するＵＥを判断する必要がなく、ステップ６１０、６２０および６３０が実行される必要がない。いくつかの実施形態では、ステップ６５０が実行されるだけでよく、ＢＳは、ＵＥによる情報の送信をスケジュールすることができる。
【０１１４】
図７Ａは、ＤＬ上のＵＥのトラフィック優先度を判断する例示的な方法のフローチャートの図である。方法７００は、図６のステップ６１０の一実施形態であるか、またはそれの一部として含まれ得る。いくつかの実施形態では、方法７００および方法８００のステップは、図６のステップ６１０として実行され得るか、またはそれの一部として実行され得る。
【０１１５】
７１０において、方法７００は、トラフィック・タイプを判断することを含むことができる。いくつかの異なるタイプのトラフィックがあり得る。トラフィック・タイプは、ベスト・エフォート・トラフィック、相対的優先転送（assured forwarding）トラフィック、および遅延敏感（delay sensitive）トラフィックとすることができる。
【０１１６】
ベスト・エフォート・トラフィックは、ＵＥにおける送信レートが増加し続けるにつれて、ユーザ・エクスペリエンスが最大値に達し、平坦化するまで、ＵＥにおける平均送信レートが増加するにつれて、ＵＥにおけるユーザ・エクスペリエンスが増加する、トラフィック・タイプとすることができる。図７Ｂは、ベスト・エフォート・トラフィックの場合の平均送信レートに対するユーザ・エクスペリエンスを示す例示的なグラフの図である。図示のように、平均送信レートが増加するにつれて、ユーザ・エクスペリエンスは、最大ユーザ・エクスペリエンスに達するまで増加することができる。最大ユーザ・エクスペリエンス値に達した後、ユーザ・エクスペリエンスは、より高い平均送信レートに対して実質的に同じである。ＵＥにおける平均送信レートは、複数のタイムスロットにわたって（たとえば、数百ミリ秒にわたって）平均化される送信レートとすることができる。
【０１１７】
相対的優先転送トラフィックは、ＵＥにおける最小送信レートが保証され得るトラフィック・タイプとすることができる。遅延敏感トラフィックは、トラフィックが、トラフィックが送信される最大遅延を有するトラフィック・タイプとすることができる。
【０１１８】
７２０において、方法７００は、ＵＥのバッファ状態を判断することを含むことができる。バッファ状態は、バッファに関連する１つまたは複数のパラメータに基づいて判断され得る。バッファに関連するパラメータは、限定はしないが、ＵＥのキューをサービスする過去のレート、ＵＥのキュー長さ、ＵＥのヘッド・オブ・ライン（ＨＯＬ）遅延、ＬＴＥシステム中のサービス品質（ＱｏＳ）パラメータおよび／またはサービス品質クラス識別子（ＱＣＩ）を含むことができる。いくつかの実施形態では、ＨＯＬ遅延は、ＵＥのキュー中の第１のパケットの遅延とすることができる。いくつかの実施形態では、ＬＴＥシステム中のＱＣＩは、送信されるパケットの特定のフィールド中に与えられる値とすることができる。
【０１１９】
７３０において、方法７００は、バッファのパラメータのうちの１つまたは複数をＵＥの優先度メトリックにマッピングすることを含むことができる。優先度メトリックは、ＵＥのトラフィックの１つまたは複数のフローについて計算され得る。ＵＥをサービスするＢＳは、ＵＥの優先度メトリックを計算することができる。優先度メトリックは、フローに関連するトラフィックの優先度を示す値とすることができる。したがって、優先度メトリックは、異なるトラフィック・タイプを有するフローについて異なることがある。いくつかの実施形態では、優先度メトリックは、干渉ＢＳが送信すべきかどうか、またはＵＥとの干渉を低減するために干渉ＢＳがバックオフすべきかどうかを判断するために、干渉ＢＳによって使用され得る。
【０１２０】
いくつかの実施形態では、優先度メトリックへのマッピングは、広いクラスのパラメトリック優先度関数（parametric priority function）に従って実行され得る。たとえば、いくつかの実施形態では、パラメータを優先度メトリックにマッピングするための優先度関数は、式１に示すものとすることができる。
【数１】
2012527855.tif 000003
【０１２１】
上式で、ｘはＵＥのキューをサービスする平均レートであり、ＤはＵＥのＨＯＬ遅延であり、ｑはＵＥのキュー長さであり、ＬＴＥシステムにおいて、ａおよびＷiは、ＱＣＩパラメータの関数として構成された定数である。
【０１２２】
式１は、ＵＥのバッファに関連するパラメータをＵＥの優先度メトリックにマッピングするためのパラメトリック優先度関数の一実施形態である。他の実施形態では、より一般的な優先度関数が使用され得る。限定ではなく、例として、優先度関数は、ＵＥのトラフィック優先度を判断するために任意の数の関数を含むことができる。関数は、限定はしないが、ＵＥの瞬時ＨＯＬ遅延、ＵＥのキュー中の様々なパケットの遅延、ＵＥのキュー長さ、ＵＥのパケット・サイズ、および／またはＵＥのキューが過去にサービスされた平均レートを利用する関数を含むことができる。
【０１２３】
いくつかの実施形態では、優先度関数は、一般的な数値関数とすることができる。たとえば、一般的な数値関数は、値のテーブルとして指定され得る。限定ではなく、例として、式１に関して、値は、ｘ、ｑおよび／またはＤの値を含むことができる。
【０１２４】
いくつかの実施形態では、優先度関数へのマッピングは、ＱＣＩパラメータに応じて変動することができる。たとえば、いくつかの実施形態では、異なるＱＣＩパラメータをもつフローは、優先度メトリックへの異なるマッピングを有することができる。
【０１２５】
いくつかの実施形態では、異なるタイプのトラフィック間に厳しい優先度が与えられ得る。したがって、一実施形態では、干渉ＢＳの送信電力レベルのしきい値が判断され得る。干渉ＢＳは、システム中の許容できる信号対干渉雑音比（ＳＩＮＲ）の可能性を改善するために、送信電力レベルをしきい値未満に維持するように要求され得る。ＳＩＮＲは、サービング通信リンク上で送信され得るＳＩＮＲの信号部分と、相互通信リンク上で送信され得る干渉部分とを含むことができる。許容できるものと見なされるＳＩＮＲの量は、異なるタイプのトラフィックについて異なることがある。限定ではなく、例として、いくつかの実施形態では、システムがトラフィック・タイプに関連するＱｏＳレベルを達成することを可能にするために、比較的高いＳＩＮＲが高優先度トラフィックに与えられ得る。
【０１２６】
いくつかの実施形態では、優先度メトリックを生成するために低速時間スケール優先度付けが実行され得る。この手法を使用して、低速時間スケールにおいて異なるセルに電力および／または帯域幅リソースが割り振られ得る。優先度関数は、ＱＣＩパラメータと低速時間スケール情報とに依存し得る。低速時間スケール情報は、限定はしないが、ＵＥのデータの平均遅延、ＵＥのデータの平均到着レート、ＵＥのキューの平均サービスレート、および／またはＵＥの平均キュー長さを含むことができる。様々な実施形態では、関数は、パラメトリックであるか、テーブルとして指定され得る。
【０１２７】
図８は、干渉ＢＳによって送信電力レベルを判断する例示的な方法のフローチャートの図である。方法８００は、図６のステップ６１０の別の実施形態であるか、またはそれの一実施形態に含まれ得る。いくつかの実施形態では、方法７００および方法８００のステップは、図６のステップ６１０として実行され得るか、またはそれの一部として実行され得る。
【０１２８】
８１０において、方法８００は、ＵＥが送信パラメータを判断することを含むことができる。送信パラメータは、限定はしないが、ＵＥの優先度メトリック、ＵＥにおける公称干渉、および／またはＵＥと干渉ＢＳとの間のチャネル利得を示すチャネル利得情報を含むことができる。
【０１２９】
８２０において、方法８００は、ＵＥが、送信パラメータを含む調整メッセージを送信することを含むことができる。ＵＥは、調整メッセージを干渉ＢＳに送信することができる。いくつかの実施形態では、チャネル利得は調整メッセージ中で送信されない。そうではなく、チャネル利得は、調整メッセージを含む信号の強度に基づく推測によって判断され得る。いくつかの実施形態では、調整メッセージは干渉管理要求および／またはＲＵＭとすることができる。
【０１３０】
８３０において、方法８００は、干渉ＢＳが調整メッセージの内容を評価することを含むことができる。８４０において、方法８００は、干渉ＢＳが送信電力レベルを判断することを含むことができる。送信電力レベルは、調整メッセージの内容の評価に応答して判断され得る。送信電力レベルを判断するために、干渉ＢＳは、様々な電力レベル上で電力レベルＰiを選択することができる。
【０１３１】
いくつかの実施形態では、選択された電力レベルは、式２を最大にするレベルとすることができる。
【数２】
2012527855.tif 000004
【０１３２】
上式で、Ｗ（１）は、ＵＥの優先度メトリックであり、Ｒ（１）は、干渉ＢＳが送信するときに干渉ＢＳが経験する送信レートであり、Ｗ（ｉ）は、調整メッセージを干渉ＢＳに送信した、システム中のｉ番目のＵＥの優先度メトリックであり、Ｒ（ｉ）は、調整メッセージを干渉ＢＳに送信した、システム中のｉ番目のＵＥの送信レートである。
【０１３３】
いくつかの実施形態では、式２を最大にするために、干渉ＢＳは、干渉ＢＳがその中に位置するセル外のＵＥがバックオフを実行する場合、干渉ＢＳによってサービスされるＵＥが取得することになる最大送信レートを判断することができる。干渉ＢＳは、セル外の１つまたは複数のＵＥに対してこの計算を実行することができる。干渉ＢＳは、次いで、式２から、干渉ＢＳによってサービスされるＵＥの送信レートに対して最大の損失を引き起こす、セル外のＵＥからの送信レート寄与を除去することができる。セル外の最悪のＵＥからの寄与を除去することにより、式２の送信レートの値を最大にすることができる。
【０１３４】
図９は、調整メッセージの送信のためのＵＥの第１のセットを選択するための方法のフローチャートの一例の図である。方法９００は、図６のステップ６１０の一実施形態とすることができる。
【０１３５】
９１０において、方法９００は、ＢＳによってサービスされるセル中のＵＥのうちの１つまたは複数について、セル中のどのＵＥが、送信を求めて競合するための調整メッセージを送信することから最も多くの利益を得ることになるかを、サービングＢＳが判断することを含むことができる。いくつかの実施形態では、調整メッセージは干渉管理要求および／またはＲＵＭとすることができる。ＢＳは、ＵＥとＢＳとの間の距離、ＵＥのトラフィックの優先度、および／または干渉ＢＳのうちの１つまたは複数に対するＵＥのチャネル利得情報などのファクタを評価することができる。限定ではなく、例として、より近いＵＥがリソースを求めて競合しなかったにもかかわらず、そのＵＥは損害の小さい干渉を経験し得るので、ＢＳに近い地理的近傍内にあるＵＥは、調整メッセージを送信することから、ＢＳに近い地理的近傍内にないＵＥほど多くの利益を得ないことがある。
【０１３６】
９２０において、方法９００は、ＢＳが、スケジュールされ得るＵＥのうちの１つまたは複数について、ＵＥが調整メッセージを送信する場合の有効ＣＱＩと、ＵＥが調整メッセージを送信しない場合の有効ＣＱＩとを判断することを含むことができる。
【０１３７】
９３０において、方法９００は、ＵＥのうちの１つまたは複数のバッファ状態を判断することを含むことができる。バッファ状態は、ＵＥの平均送信レートおよび／またはＵＥのキューにおけるＨＯＬ遅延を含むことができる。ＨＯＬ遅延は、図１０および図１１を参照しながら説明するように計算され得る。
【０１３８】
再び図９を参照すると、９４０において、方法９００は、ＢＳが、どのＵＥが最も利益を得ることになるか、ＵＥの有効ＣＱＩ、ＵＥのバッファ状態、図８を参照して計算される送信電力レベル、および／または図７Ａおよび図７Ｂを参照して計算されるトラフィック優先度を評価することによって、リソースを求めて競合するＵＥの第１のセットを選択することを含むことができる。
【０１３９】
図１０は、干渉管理を可能にするために分散スケジューリングにおいて使用するためのＵＥにおけるＨＯＬ遅延を計算するための例示的なＢＳのブロック図である。ＢＳ１０００は、スケジューラ１０１０と、無線リンク・コントローラ（ＲＬＣ）１０２０と、プロセッサ１０３０と、メモリ１０４０と、トランシーバ１０５０とを含むことができる。いくつかの実施形態では、スケジューラ１０１０、ＲＬＣ１０２０、プロセッサ１０３０、メモリ１０４０および／またはトランシーバ１０５０は、互いに通信可能に結合され得る。
【０１４０】
スケジューラ１０１０は、ＢＳ１０００がサービスするＵＥ（図示せず）に関連するバッファ・ステータス報告を評価し、ＵＥから送信されるべき情報量を判断するように構成され得る。スケジューラ１０１０はまた、いくつかの実施形態では、選択された数の過去のフレームにわたってＵＥのためにスケジュールされた情報量を判断することができる。
【０１４１】
ＲＬＣ１０２０は、ＵＥの論理チャネル・グループ（ＬＣＧ）から受信された情報量を判断することができる。いくつかの実施形態では、情報量は、ＵＥの各ＬＣＧから受信されたバイト数で指定され得る。ＲＬＣ１０２０は、情報をスケジューラ１０１０に与えることができる。
【０１４２】
プロセッサ１０３０は、ＢＳ１０００に関して説明した１つまたは複数の関数を実装することができ、メモリ１０４０は、関数を実行するための情報を記憶するように構成され得る。たとえば、メモリ１０４０は、バッファ・ステータス報告情報、ＵＥから送信されるべき情報量を示す情報、選択された数の過去のフレームにわたってＵＥのためにスケジュールされたデータ量を示す情報、および／またはＵＥのＬＣＧから受信された情報量を示す情報を記憶するように構成され得る。トランシーバ１０５０は、ＢＳ１０００から情報を送信し、および／またはＢＳ１０００において情報を受信することができる。
【０１４３】
スケジューラ１０１０は、ＵＥから送信されるべき情報、選択された数の過去のフレームにわたってＵＥのためにスケジュールされた情報量、および／またはＵＥのＬＣＧから受信された情報量のうちの少なくとも１つに基づいてＵＥのＨＯＬ遅延を計算することができる。
【０１４４】
図１１は、干渉管理を可能にするために分散スケジューリングにおいて使用するためのＵＥにおけるＨＯＬ遅延を計算するための方法のフローチャートの一例の図である。１１１０において、方法１１００は、ＢＳが、バッファ・ステータス報告を示す情報を判断することを含むことができる。１１２０において、方法１１００は、ＵＥから送信されるべき情報量、選択された数の過去のフレームにわたってＵＥへの送信のためにスケジュールされた情報量、および／またはＵＥの１つまたは複数の論理チャネル・グループ（ＬＣＧ）から受信された情報量を示す情報を判断することを含むことができる。
【０１４５】
いくつかの実施形態では、１つまたは複数のＬＣＧから受信された情報量は、情報のバイト数で指定され得る。いくつかの実施形態では、１つまたは複数のＬＣＧから受信された情報量は、ＵＥのバッファ・ステータス報告中に含まれ得る。
【０１４６】
１１３０において、方法１１００は、ＵＥから送信されるべき情報量を示す情報、選択された数の過去のフレームにわたってＵＥのためにスケジュールされた情報量を示す情報、および／またはＵＥの１つまたは複数のＬＣＧから受信されたバイト数を示す情報に基づいてＨＯＬ遅延を計算することを含むことができる。
【０１４７】
図１２Ａおよび図１２Ｂは、本明細書で説明する態様による、バックオフをスケジュールする方法の一例のフローチャートを表す。１２１０において、干渉ＢＳがＵＥから調整メッセージを受信する。いくつかの実施形態では、ＵＥは第１のセル中のＵＥとすることができ、干渉ＢＳは、第１のセルとは異なる第２のセルとすることができる。調整メッセージは、干渉管理要求および／またはＲＵＭとすることができ、ならびに／あるいは、優先度メトリック、ＵＥに関連するトラフィックの優先度を示す情報、ＵＥによって選択された公称干渉、および／またはＵＥと干渉ＢＳとの間のチャネル利得を示すチャネル利得情報を含むことができる。
【０１４８】
１２１２において、干渉ＢＳは、干渉ＢＳが送信しようとする送信電力レベルを計算することができる。いくつかの実施形態では、送信電力レベルは、図８を参照しながら上記で説明したように計算される。
【０１４９】
１２１４において、調整メッセージが干渉ＢＳにおいて受信される各ＵＥについて、干渉ＢＳは、干渉ＢＳが送信しないときの優先度メトリック・レート値（priority metric-rate value）と、干渉ＢＳが送信するときの優先度メトリック・レート値との間の差の値を計算することができる。いくつかの実施形態では、ＵＥの優先度メトリック・レート値Ｕは、概して
【数３】
2012527855.tif 000005
【０１５０】
のように計算され得、以下の式４において合成される。
【０１５１】
１２１６において、干渉ＢＳは、干渉ＢＳからの送信について、干渉ＢＳ（または干渉ＢＳによってサービスされるＵＥ）に対する利点を、干渉ＢＳがそこから調整メッセージを受信したＵＥに対する（干渉による）劣化と比較することができる。
【０１５２】
図１２Ｂに示すように、１２１８において、干渉ＢＳは、以下の式３の計算によって示されるバックオフ・アルゴリズムを実行することができる。
【数４】
2012527855.tif 000006
【０１５３】
上式で、Ｗ（１）はＵＥの優先度メトリックであり、Ｇは、ＵＥとＵＥをサービスするサービングＢＳとの間のチャネル利得であり、ＰはＵＥへの送信機電力であり、Ｎは雑音電力であり、Ｉnom（ｍ）は、ｍ番目の最も支配的な干渉ＢＳによって引き起こされる公称干渉であり、
【数５】
2012527855.tif 000007
【０１５４】
は、ＵＥの優先度メトリック・レート値であり、
【数６】
2012527855.tif 000008
【０１５５】
は、以下で説明するように、最大にされた条件を利用する優先度メトリック・レート値である。
【０１５６】
チャネル利得は、公称送信電力に対する受信信号電力とすることができる。チャネル利得は、公称送信電力に対する、受信ノードにおいて受信された信号電力の対数値、分数または差として表され得る。いくつかの実施形態では、公称送信電力は、チャネル利得を計算する受信ノードに知られている。受信ノードは、チャネル利得がＵＬ上で計算されているのか、ＤＬで計算されているのか、および／あるいは計算を実行しているエンティティ上で計算されているのかに応じて、ＵＥ、サービングＢＳおよび／あるいは干渉ＢＳまたは干渉ＵＥとすることができる。様々な実施形態では、チャネル利得情報はチャネル利得を含むことができる。さらに、式４
【数７】
2012527855.tif 000009
【０１５７】
は、干渉ＢＳが送信するときにＵＥが経験する送信レートを計算するための式の一実施形態であり、Ｗ（ｍ*）は、調整メッセージを干渉ＢＳに送信したＵＥの最大優先度メトリックである。さらに、式５
【数８】
2012527855.tif 000010
【０１５８】
は、調整メッセージを干渉ＢＳに送信したＵＥの最大送信レートを計算するための式の一実施形態である。
【０１５９】
いくつかの実施形態では、干渉ＢＳは、干渉ＢＳがそこから調整メッセージを受信する各ＵＥについてバックオフ・アルゴリズムを実行することに関連する計算を実行することができる。１２２０において、方法１２００は、干渉ＢＳが、バックオフ・アルゴリズムを実行した結果に基づいて送信すべきなのか、またはバックオフすべきなのかを判断することを含むことができる。
【０１６０】
干渉ＢＳに対する利益がＵＥに対する劣化よりも大きい場合、干渉ＢＳは送信し、バックオフしないことがある。ＵＥに対する劣化が干渉ＢＳに対する利益よりも大きい場合、干渉ＢＳはバックオフし、送信しないことがある。
【０１６１】
上記で説明した実施形態は、バックオフ・アルゴリズム式３を示すことを含むが、式に関連する計算を実行する代わりに、バックオフ・アルゴリズムは、任意の数の比較を含むことができる。たとえば、バックオフ・アルゴリズムは、干渉ＢＳが送信するときに、干渉ＢＳ（または干渉ＢＳによってサービスされるＵＥ）に対する利益を、調整メッセージを送信したＵＥに対する劣化と比較し、平衡させる任意のアルゴリズムとすることができる。別の例として、バックオフ・アルゴリズムは、干渉ＢＳが送信しないときの干渉ＢＳ（または干渉ＢＳによってサービスされるＵＥ）に対する損失を、干渉ＢＳが送信しないときの調整メッセージを送信したＵＥに対する利益と平衡させる任意のアルゴリズムとすることができる。干渉ＢＳに対する利益がＵＥに対する劣化よりも大きい場合、干渉ＢＳは送信し、バックオフしないことがある。ＵＥに対する劣化が干渉ＢＳに対する利益よりも大きい場合、干渉ＢＳはバックオフし、送信しないことがある。
【０１６２】
いくつかの実施形態では、バックオフ・アルゴリズムを介して実行される比較は、調整メッセージを送信したＵＥにおいて基礎をなすバッファ状態および／またはそのＵＥの送信レートと、干渉ＢＳが送信しないとき、および干渉ＢＳが送信するときの干渉ＢＳによって寄与された干渉との関数とすることができる。
【０１６３】
再び図６を参照すると、いくつかの実施形態（図示せず）では、干渉管理要求および／またはＲＵＭを送信するための方法は、次のような方法であり得る。ＵＥは、最初に好適なサブバンドを求めて競合し、次いで干渉グラフ上でネイバーの好適なサブバンドでない１つまたは複数のサブバンドを求めて競合し、次いで干渉グラフ上でネイバーの好適なサブバンドであるサブバンドを求めて競合することによって、リソースを求めて競合することができる。公称ＳＩＮＲは、ＵＥがそれを求めて競合するすべてのサブバンド上で達成されると仮定され得る。
【０１６４】
いくつかの実施形態では、方法６００において使用するために、別のバックオフ・アルゴリズムが採用され得る。たとえば、干渉ＢＳは、干渉ＢＳが以下の式６に従って送信すべきなのか、またはバックオフすべきなのかを判断する。たとえば、干渉ＢＳ、ｊが最大電力で送信するか、またはバックオフをスケジュールする（したがってサイレントである）かのいずれかである場合、ＢＳ、ｊが式６に従って最大電力で送信するとき、ＵＥ、ｉ＊は、どの干渉ＢＳ、ｊがユーティリティの最も多くの損失を引き起こすかを判断することができる。
【数９】
2012527855.tif 000011
【０１６５】
上式で、Ｕはユーティリティ関数値であり、Ｐは送信電力であり、Ｗは優先度メトリックであり、ｈは、ＵＥと干渉ＢＳとにおけるチャネル利得、またはＵＥと干渉ＢＳとの間のチャネル利得である。
【０１６６】
バックオフが実行されるか否かは、ユーティリティのどの増加がより高いかに依存する。Ｉnom（ｉ）は、干渉ＢＳ、ｊの計算された干渉が有意になるか否かに影響を及ぼすことがある。さらに、相対的優先転送トラフィックおよび／または遅延敏感トラフィックは、ベスト・エフォート・トラフィックよりもはるかに高いユーティリティを有することができる。
【０１６７】
ユーティリティ関数を計算するために、いくつかの実施形態では、ＱｏＳトラフィックのレベル間の厳しい優先度が仮定され得る。いくつかの実施形態では、完全なヒアリンググラフが仮定され得、したがって、ＱｏＳ干渉管理要求および／またはＱｏＳ  ＲＵＭが送られるときはいつでも、クラスタ中のすべてのベスト・エフォート・トラフィックはバックオフする、という暗示になり得る。
【０１６８】
いくつかの実施形態では、トラフィックの相対的優先度を判断するために、レート平均化アルゴリズムが採用され得る。一実施形態では、２ミリ秒（ｍｓ）の遅延が、オフラインで近似され得る、中央値のベスト・エフォート・トラフィックレートと同じ優先度を有すると仮定され得る。
【０１６９】
いくつかの実施形態では、干渉送信機の数は、Ｎによって示され得、ＵＥに対して引き起こされる干渉の降順で順序付けられ得る。各ｎ＝１，．．．，Ｎについて、式７における送信レートは次のように計算され得る。
【数１０】
2012527855.tif 000012
【０１７０】
上式で、Ｃ（ｓｉｎｒ）は容量関数であり、ＧはＵＥとＵＥをサービスするサービングＢＳとの間のチャネル利得であり、ＰはＵＥへの送信機電力であり、Ｎ0は雑音電力であり、Ｉkは、ｋ番目の最も支配的な干渉物によって引き起こされる干渉である。
【０１７１】
公称干渉は式８によって計算され得る。
【数１１】
2012527855.tif 000013
【０１７２】
上式で、ｎoptは、式７の値を最大にするｎの値とすることができる。
【０１７３】
いくつかの実施形態では、ＱｏＳパケットの日和見的（opportunistic）送信は、次のような送信であり得る。以下のすべての条件が適用する場合、チャネルを求めて競合するための干渉管理要求および／またはＲＵＭが送信されない場合でも、相対的優先転送または遅延敏感ＱｏＳパケットが送信され得る。（１）（好適なサブバンドを判断するために使用され得る）干渉グラフ上でネイバーからのＱｏＳ干渉管理要求および／またはＱｏＳ  ＲＵＭが現在のスロットの間聴取されない、（２）現在のスロット間聴取される他のＱｏＳ干渉管理要求および／またはＱｏＳ  ＲＵＭについて、レートの低減が１５％未満である（また、すべての計算は、干渉管理要求および／またはＲＵＭの送信機が公称ＳＩＮＲを参照すると仮定する）。実施形態では、上記で説明したルールは、ＱｏＳパケット送信において控えめ過ぎることがある。いくつかの実施形態では、許容できるＱｏＳプロビジョニングを達成するために１５％のしきい値がもはや必要でないような改善された干渉グラフを使用する場合、そのしきい値を考慮する必要はない。
【０１７４】
いくつかの実施形態では、ハイブリッド方式は次のような方式であり得る。デフォルトモードは、チャネルを求めて競合するための干渉管理要求および／またはＲＵＭを常に送信することとすることができる。この場合、優先度は、５ｍｓの遅延をもつパケットの優先度と等価とすることができ、干渉管理要求および／またはＲＵＭの送信がスケジュールされる８ｍｓ前に、キュー中にパケットがない場合、その干渉管理要求および／またはＲＵＭは消去され得る。
【０１７５】
図１２Ｃは、本明細書で説明する態様による、バックオフをスケジュールする方法の一例のフローチャートである。１２２４において、方法１２２２は、第１のセル中のＢＳが、送信がそれに対してスケジュールされ得る第１のセル中のＵＥに対する利益を判断することを含むことができる。１２２６において、方法１２２２は、第１のセル中のＢＳが、送信に伴う劣化を判断することを含むことができる。上記劣化は、第２のセル中のＵＥに対する劣化とすることができる。第２のセルは第１のセルとは異なることがある。
【０１７６】
１２２８において、方法１２２２は、第１のセル中のＢＳが、上記利益を上記劣化と比較することを含むことができる。
【０１７７】
１２３０において、方法１２２２は、第１のセル中のＢＳが、上記利益を上記劣化と比較することに基づいて送信電力を低下させることを含むことができる。いくつかの実施形態では、送信電力を低下させることは、第２のセル中のＵＥに対する劣化が第１のセル中のＵＥに対する利益よりも大きいことに応答して実行され得る。
【０１７８】
図１２Ｄは、ワイヤレス通信システムのＤＬ上でのスケジューリングの方法の一例のフローチャートである。１２３４において、方法１２３２は、ＢＳがＢＳの送信電力を低下させるときのセル外ＵＥに対する利益を判断することを含むことができる。１２３６において、方法１２３２は、ＢＳが高電力で送信するときのセル内のＵＥに対する利益を判断することを含むことができる。１２３８において、方法１２３２は、セル外ＵＥに対する利益をセル内のＵＥに対する利益と比較することを含むことができる。
【０１７９】
図１２Ｅは、ワイヤレス通信システムのＤＬ上での干渉管理を可能にする別の方法のフローチャートである。１２４２において、方法１２４０は、１つまたは複数の異なる電力レベルの場合の、セル内のＵＥと１つまたは複数のセル外ＵＥとに対する総利益を計算することを含むことができる。１２４４において、方法１２４０は、セル内のＵＥと１つまたは複数のセル外ＵＥとに対する総利益を最適化する電力レベルを選択することを含むことができる。いくつかの実施形態では、計算することと選択することとは、セル内のＢＳによって実行される。
【０１８０】
図１２Ｆは、本明細書で説明する態様による、スケジューリングの方法の一例のフローチャートである。１２４８において、方法１２４６は、アップリンク上でスケジュールすべき第１のセルの１つまたは複数のＵＥを選択することを含むことができる。いくつかの実施形態では、選択することは、第１のセルの１つまたは複数のＵＥによって第２のセルの１つまたは複数のＢＳに対して引き起こされる干渉、第１のセルの１つまたは複数のＵＥについての干渉管理要求が送信された場合に受ける干渉、または第１のセルの１つまたは複数のＵＥのトラフィック優先度のうちの１つまたは複数に基づく。
【０１８１】
図１２Ｇは、本明細書で説明する態様による、スケジューリングの方法の一例のフローチャートである。方法１２５０は、ワイヤレス通信システムのダウンリンク上での干渉管理を可能にするための方法とすることができる。
【０１８２】
１２５２において、方法１２５０は、いくつかの送信属性を用いて基地局が送信するときのセル外ユーザ機器に対する利益をセル内の基地局が判断することであって、送信属性が、送信電力、ビーム・フォーミング・ベクトルまたは多入力多出力送信のうちの少なくとも１つである、判断することを含むことができる。１２５４において、方法１２５０は、いくつかの送信属性を用いて基地局が送信するときのセル内のユーザ機器に対する利益を基地局が判断することを含むことができる。１２５６において、方法１２５０は、セル外ユーザ機器とセル内のユーザ機器とに対する総利益を基地局が判断することを含むことができる。
【０１８３】
図１２Ｈは、本明細書で説明する態様による、ワイヤレス通信システムのダウンリンク上でのデータ・パケットの送信のために干渉管理を可能にするための方法の一例のフローチャートである。１２６０において、方法１２５８は、リソースを求めて競合するユーザ機器の第１のセットをサービング基地局が判断することを含むことができる。１２６２において、方法１２５８は、ユーザ機器の第１のセットによる１つまたは複数の調整メッセージの送信をサービング基地局がスケジュールすることを含むことができる。１２６４において、方法１２５８は、ユーザ機器の第１のセットから干渉情報をサービング基地局が受信することを含むことができる。１２６６において、方法１２５８は、情報を送信するためのユーザ機器の第２のセットをサービング基地局が判断することを含むことができる。１２６８において、方法１２５８は、ユーザ機器の第２のセットに対して情報の送信をサービング基地局がスケジュールすることを含むことができる。
【０１８４】
いくつかの実施形態では、ユーザ機器の第２のセットのユーザ機器のうちの１つまたは複数は、ユーザ機器の第１のセット中に含まれる。ユーザ機器の第１のセットは１次セットと２次セットとを含むことができ、１次セットは、ユーザ機器の第１のセットのうち、干渉基地局が電力を低下させる場合に推定されるチャネル品質インジケータから判断される信号対干渉雑音比、干渉基地局が電力を低下させない場合に推定されるチャネル品質インジケータから判断される信号対干渉雑音比、トラフィック優先度、またはユーザ機器に対する利益のうちの少なくとも１つを有するユーザ機器を含む。
【０１８５】
いくつかの実施形態では、１つまたは複数の調整メッセージは、ユーザ機器の第１のセットによる、リソースを求めて競合したいという要求を示す情報を含む干渉管理要求である。
【０１８６】
いくつかの実施形態では、リソースを求めて競合するユーザ機器の第１のセットのうちの少なくとも１つからの干渉情報は、１つまたは複数の基地局からの送信電力レベル、１つまたは複数の基地局のうちの少なくとも１つによる送信におけるバックオフを示す情報、あるいは１つまたは複数のパイロットの電力から判断される信号対干渉雑音比またはチャネル品質インジケータを示す情報のうちの少なくとも１つを含む。
【０１８７】
いくつかの実施形態では、ユーザ機器の第２のセットに対して情報の送信をスケジュールすることは、情報を送信するためのユーザ機器の第２のセットにダウンリンク送信許可を送信することを備える。
【０１８８】
いくつかの実施形態では、データを送信するためのユーザ機器の第２のセットを判断することは、トラフィック優先度、ユーザ機器から受信した調整メッセージに応答して干渉基地局によってシグナリングされるパイロットのうちの少なくとも１つに基づいて干渉を測定した結果としてユーザ機器において計算された信号対干渉雑音比、またはチャネル品質インジケータを計算するために使用されるパイロットに基づいて計算された信号対干渉雑音比のうちの少なくとも１つに基づいて、複数のユーザ機器を選択することをさらに備える。
【０１８９】
いくつかの実施形態では、データを送信するためのユーザ機器の第２のセットを判断することは、選択されたしきい値よりも小さい予測される干渉または選択されたしきい値よりも大きい信号対干渉雑音比を有する複数のユーザ機器を選択することを備える。いくつかの実施形態では、リソースを求めて競合するユーザ機器の第１のセットを判断することは、セル中の１つまたは複数の他のユーザ機器に関連する利益のレベルよりも大きいレベルで利益を得る、セル中の１つまたは複数のユーザ機器を判断することを備える。いくつかの実施形態では、リソースを求めて競合するユーザ機器の第１のセットを判断することは、ユーザ機器の第１のセットのうちの１つのユーザ機器のための調整メッセージが近隣セル中の基地局に送信された場合、上記ユーザ機器が受ける可能性のある干渉の量を判断することを備える。
【０１９０】
いくつかの実施形態では、リソースを求めて競合するユーザ機器の第１のセットを判断することは、ユーザ機器の第１のセットのうちの上記ユーザ機器に対する利益が、選択されたしきい値よりも大きいかどうかを判断することと、上記利益が選択されたしきい値よりも大きい場合、ユーザ機器の第１のセットのうちの上記ユーザ機器を選択することとを備える。
【０１９１】
いくつかの実施形態では、リソースを求めて競合するユーザ機器の第１のセットを判断することは、ユーザ機器の第１のセットのうちの上記ユーザ機器に対する利益が、ユーザ機器の第２のセットに対する利益よりも大きいかどうかを判断することと、上記利益がユーザ機器の第２のセットよりも大きい場合、ユーザ機器の第１のセットのうちの上記ユーザ機器を選択することとを備える。
【０１９２】
いくつかの実施形態では、リソースを求めて競合するユーザ機器の第１のセットを判断することは、セル中の１つまたは複数のユーザ機器に関連するトラフィック優先度を判断することを備え、セル中の１つまたは複数のユーザ機器に関連するトラフィック優先度を判断することは、セル中の１つまたは複数のユーザ機器に関連するトラフィック・タイプを判断することと、セル中の１つまたは複数のユーザ機器のバッファ状態を判断することであって、セル中の１つまたは複数のユーザ機器のバッファ状態が、セル中の１つまたは複数のユーザ機器に関連する１つまたは複数のパラメータに基づき、１つまたは複数のパラメータが、セル中のユーザ機器のヘッド・オブ・ライン遅延、セル中のユーザ機器のパケット遅延、セル中のユーザ機器のキュー長さ、セル中のユーザ機器のシステム・リセレクション、またはセル中のユーザ機器のキューが過去にサービスされた平均レートを含む、判断することと、セル中の１つまたは複数のユーザ機器に関連する１つまたは複数のパラメータを、セル中の１つまたは複数のユーザ機器に関連するトラフィックの１つまたは複数のフローの優先度メトリックにマッピングすることと、リソースを求めて競合するユーザ機器の第１のセットとして選択することとを備える。
【０１９３】
いくつかの実施形態では、サービング基地局が、１つまたは複数の調整メッセージを送信するようにユーザ機器をスケジュールするときに、トラフィック優先度がユーザ機器に送信される。
【０１９４】
いくつかの実施形態では、選択することは、１つまたは複数のユーザ機器の第２のセットの優先度メトリックよりも大きい優先度メトリック、調整メッセージが送信されないときの予想される信号対干渉雑音比、調整メッセージが送信されるときの予想される信号対干渉雑音比、サービス品質クラス識別子ラベル、またはバッファ状態のうちの１つまたは複数に基づいて実行され、バッファ状態は、ヘッド・オブ・ライン遅延、パケット遅延、システム・リセレクション、キュー長さ、キューサイズ、平均レート、またはセル中のユーザ機器のキューが過去にサービスされた平均レートのうちの１つまたは複数によって示される。
【０１９５】
いくつかの実施形態では、リソースを求めて競合するユーザ機器の第１のセットとして選択することは、選択されたしきい値よりも大きい優先度メトリックを有する、セル中の１つまたは複数のユーザ機器のうちの複数を選択することを備える。いくつかの実施形態では、バッファ状態は、セル中の１つまたは複数のユーザ機器の１つまたは複数の論理チャネルのバッファ状態である。いくつかの実施形態では、調整メッセージが送信されないときの予想される信号対干渉雑音比は、チャネル品質インジケータ報告を介して取得される。
【０１９６】
いくつかの実施形態では、調整メッセージが送信されるときの予想される信号対干渉雑音比は、ユーザ機器よって報告された過去の干渉の履歴、またはユーザ機器から基地局への１つまたは複数の測定報告のうちの少なくとも１つを介して取得される。
【０１９７】
図１２Ｉは、ワイヤレス通信システムのアップリンク上での干渉管理を可能にするための方法の一例のフローチャートである。１２７２において、方法１２７０は、ユーザ機器における１つまたは複数の論理チャネル・グループのバッファ・ステータスを示す情報を、セル中のユーザ機器をサービスするセル中の基地局が受信することを含むことができる。１２７４において、方法１２７０は、干渉管理要求を１つまたは複数のセル外ユーザ機器に基地局が送信することを含むことができる。１２７６において、方法１２７０は、１つまたは複数のセル外ユーザ機器が干渉管理要求を受信することに応答して、１つまたは複数のセル外ユーザ機器からの意図された送信電力を示す情報と、セル中のユーザ機器による電力コミットメントとを基地局が受信することを含むことができる。
【０１９８】
１２７８において、方法１２７０は、セル中のユーザ機器からのデータの送信を基地局がスケジュールすることを含むことができ、スケジュールすることは、意図された送信電力を示す情報に基づく。
【０１９９】
図１２Ｊは、ワイヤレス通信システムにおけるスケジューリングを可能にするための方法の一例のフローチャートである。１２８１において、方法１２８０は、１つまたは複数の論理チャネル・グループを有するユーザ機器からバッファ・ステータス報告をサービング基地局が受信することを含むことができる。１２８２において、方法１２８０は、１つまたは複数の論理チャネル・グループのうちの少なくとも１つについての第１の優先度メトリックと第１の優先ビットレートとをサービング基地局が構成することを含むことができ、１つまたは複数の論理チャネル・グループのうちの少なくとも１つについての第１の優先度メトリックと第１の優先ビットレートとを構成することは、バッファ・ステータス報告中に含まれる情報に応答する。
【０２００】
１２８３において、方法１２８０は、ユーザ機器における干渉をサービング基地局が判断することを含むことができる。１２８４において、方法１２８０は、ユーザ機器における干渉を判断することに応答して、１つまたは複数の論理チャネル・グループのうちの少なくとも１つについての第１の優先度メトリックと第１の優先ビットレートとをサービング基地局が再構成することを含むことができる。
【０２０１】
いくつかの実施形態では、第１の優先ビットレートは、ヘッド・オブ・ライン遅延、バッファ中のパケット数、関連するユーザ機器からサービング基地局へのチャネルの強度、ユーザ機器から非サービング基地局へのチャネルの１つまたは複数の強度、または論理チャネル・グループに関連するトラフィックのサービス品質特性のうちの１つまたは複数に基づく。いくつかの実施形態では、第１の優先ビットレートを構成することは、無線リソース制御シグナリングを介して実行される。
【０２０２】
いくつかの実施形態では、第１の優先度メトリックまたは第２の優先度メトリックは、論理チャネル・グループの優先度、推定されるヘッド・オブ・ライン遅延、推定されるキュー長さ、推定されるパケット遅延、推定されるシステム・リセレクション、キューが過去にサービスされた推定される平均レートのうちの１つまたは複数に基づく。
【０２０３】
図１２Ｋは、ワイヤレス通信システムのアップリンク上での干渉管理を可能にするための方法の一例のフローチャートである。１２８６において、方法１２８５は、ユーザ機器における１つまたは複数の論理チャネル・グループのヘッド・オブ・ライン遅延を基地局が判断することを含むことができ、ユーザ機器における１つまたは複数の論理チャネル・グループのヘッド・オブ・ライン遅延を判断することは、ユーザ機器における１つまたは複数の論理チャネル・グループ中のバイト数を推定すること、物理ダウンリンク制御チャネルを通してユーザ機器のためにスケジュールされているが、サービング基地局において正常に復号されていない、バイト数を推定すること、またはサービング基地局における無線リンク・コントローラからのフィードバックを評価することであって、フィードバックが、ユーザ機器における１つまたは複数の論理チャネル・グループから正常に受信されたバイト数を示す、評価することを備える。
【０２０４】
図１２Ｌは、ワイヤレス通信システムのアップリンク上での干渉管理を可能にするための方法の一例のフローチャートである。１２８８において、方法１２８７は、１つまたは複数の論理チャネル・グループを有するユーザ機器からバッファ・ステータス報告をユーザ機器が送信することを含むことができる。１２８９において、方法１２８７は、１つまたは複数の論理チャネル・グループのうちの少なくとも１つについての優先度メトリックと優先ビットレートとを構成するための情報をユーザ機器が受信することを含むことができ、１つまたは複数の論理チャネル・グループのうちの少なくとも１つについての優先度メトリックと優先ビットレートとを構成することは、バッファ・ステータス報告中に含まれる情報に応答する。
【０２０５】
１２９０において、方法１２８７は、１つまたは複数の論理チャネル・グループを有するユーザ機器のためのサービング基地局が、１つまたは複数の論理チャネル・グループを有するユーザ機器における干渉を判断することに応答して、１つまたは複数の論理チャネル・グループのうちの少なくとも１つについての優先度メトリックと優先ビットレートとを再構成するための情報をユーザ機器が受信することを含むことができる。
【０２０６】
いくつかの実施形態では、構成することは、無線リソース制御シグナリングを介して実行される。
【０２０７】
図１２Ｍは、ワイヤレス通信システムのアップリンク上での干渉管理を可能にするための方法の一例のフローチャートである。１２９２において、方法１２９１は、アップリンク上でスケジュールすべき第１のセルの１つまたは複数のユーザ機器を第１のセル中の基地局が選択することを含むことができ、選択することは、第１のセルの１つまたは複数のユーザ機器によって第２のセルの１つまたは複数の基地局に対して引き起こされる干渉、第１のセルの１つまたは複数のユーザ機器についての干渉管理要求が送信された場合に受ける干渉、第１のセルの１つまたは複数のユーザ機器のトラフィック優先度、第１のセルの１つまたは複数のユーザ機器から基地局へのサービング・リンク利得、第１のセルの１つまたは複数のユーザ機器の瞬時バッファ状態、第１のセルの１つまたは複数のユーザ機器のチャネル品質インジケータ、第１のセルの１つまたは複数のユーザ機器のヘッド・オブ・ライン遅延のうちの１つまたは複数に基づく。
【０２０８】
図１２Ｎは、ワイヤレス通信システムのアップリンク上での干渉管理を可能にするための方法の一例のフローチャートである。１２９４において、方法１２９３は、リソースを求めて競合するユーザ機器の第１のセットをサービング基地局が判断することを含むことができる。１２９５において、方法１２９３は、セル外ユーザ機器に対する１つまたは複数の調整メッセージの送信をサービング基地局がスケジュールすることを含むことができる。１２９６において、方法１２９３は、サービング基地局が干渉情報を受信することを含むことができる。１２９７において、方法１２９３は、情報を送信するためのユーザ機器の第２のセットをサービング基地局が判断することを含むことができ、情報を送信するためのユーザ機器の第２のセットを判断することは、干渉情報、またはユーザ機器の第１のセットのために行われた干渉コミットメントのうちの１つまたは複数を判断することに応答する。１２９８において、方法１２９３は、ユーザ機器の第２のセットによる情報の送信をサービング基地局がスケジュールすることを含むことができる。
【０２０９】
いくつかの実施形態では、ユーザ機器の第２のセットのうちの１つまたは複数のユーザ機器は、ユーザ機器の第１のセット中に含まれる。
【０２１０】
図１２Ｏは、ワイヤレス通信システムのアップリンク上での干渉管理を可能にするための方法の一例のフローチャートである。１３０１において、方法１２９９は、バッファ・ステータス要求を第１のセル中の基地局が受信することを含むことができる。１３０２において、方法１２９９は、干渉管理要求を基地局が送信することであって、干渉管理要求がバッファ・ステータス要求に基づく、送信することを含むことができ、干渉管理要求を送信することは、バックホールを介して干渉管理要求を第２のセル中の基地局に送信することを備える。
【０２１１】
図１３は、ワイヤレス通信システムにおけるＵＬ上での干渉管理を可能にするようにパラメータを構成するためのフィードバックを採用するシステムのブロック図である。
【０２１２】
いくつかの実施形態では、そのワイヤレス通信システムはＬＴＥシステムとすることができる。いくつかの実施形態では、その環境は、マクロセル、フェムト・セルまたはピコ・セルとすることができる。スケジューリングは、いくつかの実施形態では、ＵＬ上の媒体アクセス制御（ＭＡＣ）レイヤにおいて実行され得る。
【０２１３】
システム１３００は、無線リソース・コントローラ（ＲＲＣ）１３２０とスケジューラ１３３０とを有するＢＳ１３１０と、ＲＲＣ１３５０とスケジューラ１３６０とを有するＵＥ１３４０とを含むことができる。ＲＲＣ１３２０およびスケジューラ１３３０は、互いに通信可能に結合され得る。同様に、ＲＲＣ１３５０およびスケジューラ１３６０は、互いに通信可能に結合され得る。
【０２１４】
ＬＴＥ  ＵＬ上で、ＵＥ１３４０へのリソース割振りは、ＢＳ１３１０によって指定され得る。また、ＵＥ１３４０は、ＵＬ上での情報の送信のために異なる論理チャネルに対するパケットを多重化するために、割り振られたリソースを使用することができる。たとえば、ＵＥ１３４０は、ＵＬ上でのデータの送信のために異なる論理チャネルに対するパケットを多重化するために、割り振られたリソースを使用することができる。
【０２１５】
ＵＥ１３４０においてこれらの異なる論理チャネルを多重化するためのスケジューリング・ポリシー中のいくつかのパラメータは、無線リソース制御シグナリングを介してサービングＢＳ１３１０によって構成され得る。たとえば、ＵＥにおける複数の論理チャネルは、サービングＢＳによってＬＣＧにアグリゲートされ得る。サービングＢＳ１３１０は、無線リソース制御シグナリングを介してＵＥ１３４０における複数の論理チャネルをアグリゲートすることができる。いくつかの実施形態では、ＵＥ１３４０における優先ビットレート（ＰＢＲ）およびトラフィックの優先度メトリックが構成され得る。ＰＢＲおよびトラフィックの優先度メトリックは、ＵＥ１３４０における１つまたは複数のＬＣＧについて構成され得る。
【０２１６】
ＵＥ１３４０は、ＬＣＧがサービスされる平均レートを維持するために優先度とＰＢＲとを使用することができる。所与の構成の場合、ＵＥ１３４０は、ＬＣＧがサービスされる平均レートがＬＣＧのＰＢＲよりも小さい最高優先度ＬＣＧを選択することができる。たとえば、このＬＣＧからサービスされるパケットの数は、このＬＣＧのＰＢＲが満たされるか、または割り当てられたリソースが使い果たされるかのいずれかになるようにすることができる。ＬＣＧをサービスした後にリソースが残った場合、ＵＥ１３４０は、優先度の降順でＬＣＧを選択するプロセスを繰り返すことができる。すべてのＬＣＧのＰＢＲが満たされた場合、より高い優先度ＬＣＧのパケットがより低い優先度ＬＣＧのパケットを上回る厳しい優先度を有するように、ＵＥ１３４０はＬＣＧからパケットをサービスすることができる。
【０２１７】
本明細書で説明する実施形態では、スケジューラ１３３０は、ＵＥ１３４０が、パケットを多重化するためにＵＥ１３４０において異なる論理チャネルからのパケットに優先度を付け、パケットを選択する、方法を制御するように構成され得る。ＲＲＣ１３２０は、ＰＢＲとトラフィックの優先度メトリックとの構成された値をＵＥ１３４０におけるＲＲＣ１３５０に通信することができる。ＲＲＣ１３５０は、スケジューラ１３６０の受信されたＰＢＲと優先度メトリックとを与えることができる。スケジューラ１３６０は、ＵＥ１３４０において異なる論理チャネルからのパケットに優先度を付け、パケットを選択するために、ＰＢＲおよび／またはトラフィックの優先度メトリックの構成された値を使用することができる。
【０２１８】
ＢＳ１３１０におけるスケジューラ１３３０は、ＵＥ１３４０が経験する干渉および／またはセル中の他のＵＥ（図示せず）に比較したＵＥ１３４０の相対的優先度に基づいて、ＰＢＲパラメータとトラフィックの優先度メトリック・パラメータとを適応させることができる。ＵＥにおける干渉を判断するために、本明細書で説明する方法を含む、任意の数の方法が使用され得る。
【０２１９】
更新されたＰＢＲおよびトラフィックの優先度メトリックは、スケジューラ１３３０からＲＲＣ１３５０に送信され、スケジューラ１３６０に与えられ得る。ＵＥ１３４０におけるスケジューラ１３６０も、干渉と相対的優先度とによりその送信を適応させることができるので、時間とともに、スケジューラ１３３０およびスケジューラ１３６０は収束することができる。
【０２２０】
サービングＢＳ１３１０では、ＵＥにおけるＬＣＧの各々について、ＲＲＣ１３２０とスケジューラ１３３０との間にフィードバック機構が採用され得る。さらに、様々な実施形態では、ＢＳ１３１０とＵＥ１３４０との間のスケジューリングにおける整合性を維持するために、システム１３００によって実行される関数が周期的に実行され得る。
【０２２１】
いくつかの実施形態では、サービングＢＳ１３１０は、ＵＥ１３４０と、サービングＢＳ１３１０によってサービスされる他のＵＥ（図示せず）とのリソースをスケジュールすることができる。サービングＢＳは、ＵＥのＬＣＧにおける異なるＱｏＳフローに対してＵＥのリソース割振りを行うことができる。
【０２２２】
いくつかの実施形態では、ＱｏＳフローは、ＵＥのＬＣＧにおけるトラフィックの優先度および／またはＵＥのＬＣＧにおける遅延ターゲットの相対的順序付けに従って、厳しい優先度でＬＣＧ単位でグループ化され得る。
【０２２３】
いくつかの実施形態では、たとえば、パケットの厳しい優先度の可能性を改善するために、無限の（または極めて大きい）ＰＢＲを用いて１つまたは複数のＬＣＧが構成され得、より高い優先度ＬＣＧ中の情報は、より低い優先度ＬＣＧのデータの前にＵＥ１３４０から送信され、および／または媒体アクセス制御パケット・データ・ユニット（ＭＡＣ  ＰＤＵ）に多重化される。サービングＢＳ１３１０において、ＵＥは、以下のルールに従って優先度を付けられ得る。
【０２２４】
第１のルールは、ＬＣＧの優先度が、ＵＥ１３４０のＨＯＬ遅延、ＵＥ１３４０のバッファ中のパケット数、および／またはサービングＢＳによってサービスされる各ＵＥ１３４０とサービングＢＳ１３１０との間のサービング通信リンクの強度の関数であり得ることとすることができる。
【０２２５】
いくつかの実施形態では、ＵＥ１３４０の場合、たとえば、サービング通信リンクの強度は、サービングＢＳ１３１０とＵＥ１３４０との間のチャネル利得とすることができる。いくつかの実施形態では、ＨＯＬ遅延は、図１１を参照しながら説明した方法１１００に基づいてサービングＢＳ１３１０において推定され得る。いくつかの実施形態では、ＵＥ（たとえば、ＵＥ１３４０）におけるＬＣＧのＨＯＬ遅延は、ロング・バッファ・ステータス報告（Long Buffer Status Report）を使用することによってサービングＢＳ１３１０において推定され得、ロング・バッファ・ステータス報告は、ＵＥにおける各ＬＣＧ中のバイト数、物理ダウンリンク制御チャネル（ＰＤＣＣＨ）割当てを通してＵＥのためにスケジュールされているが、ＵＬ上でサービングＢＳ１３１０においてまだ正常に復号されていない、バイト数、および／または（図１０を参照して）ＵＥの各ＬＣＧから正常に受信されたバイト数に関する、サービングＢＳ１３１０のＲＬＣ１０２０からのフィードバックを与えることができる。
【０２２６】
第２のルールは、ＵＥ１３４０における優先度が、ＵＥのバッファ中にパケットを有するＵＥにおける最高優先度ＬＣＧによって判断されることとすることができる。
【０２２７】
図１４は、ワイヤレス通信システムにおけるＵＬ上での干渉管理を可能にするようにＵＥにおけるパラメータを構成する方法の一例の図である。
【０２２８】
１４１０において、方法１４００は、サービングＢＳが、サービングＢＳがサービスするＵＥからバッファ・ステータス報告を受信することを含むことができる。バッファ・ステータス報告は、限定はしないが、ＵＥから送信されるべき情報量に関する情報、および／またはＵＥにおける異なるＬＣＧ中の情報量に関する情報を含むことができる。いくつかの実施形態では、ＵＥにおける異なるＬＣＧ中の情報量は、バイトで指定され得る。
【０２２９】
ＵＥは、ＢＳがバッファ・ステータス報告を復号することができる前に、通常複数回送信するので、ＢＳは、ＢＳがバッファ・ステータス報告を復号する時間までに、報告されたバッファ・ステータス報告中でＬＣＧ中の報告されたバイトの一部がすでに送信されたと仮定することができる。したがって、いくつかの実施形態では、サービングＢＳは、バッファ・ステータス報告を受信したときに選択された量だけバイトの量を低減する。
【０２３０】
１４２０において、方法１４００は、サービングＢＳが、ＵＥにおける１つまたは複数のＬＣＧについてのＰＢＲと優先度メトリックとを構成することを含むことができる。いくつかの実施形態では、ＰＢＲおよび優先度メトリックは、ＵＥにおける各ＬＣＧについて構成され得る。構成することは、いくつかの実施形態では、無線リソース制御シグナリングを介して実行され得る。
【０２３１】
１４３０において、方法１４００は、サービングＢＳがＵＥにおける干渉を判断することを含むことができる。ＵＥにおける干渉は、本明細書で説明する任意の数の方法によって判断され得る。
【０２３２】
１４４０において、方法１４００は、ＵＥにおける干渉に基づいて新しいＰＢＲおよび／または新しい優先度メトリックを用いてＵＥを再構成することを含むことができる。したがって、ＰＢＲと優先度メトリックとを適応させるために、干渉のフィードバックがシステム中で採用され得る。
【０２３３】
いくつかの実施形態では、ＵＥにおける各ＬＣＧについてＰＢＲおよび優先度メトリックが再構成され得る。再構成することは、サービングＢＳ中のＲＲＣとＵＥ中のＲＲＣとの間の無線リソース制御シグナリングを介して実行され得る。
【０２３４】
１４５０において、方法１４００は、ＢＳが、１つまたは複数の論理チャネル・グループのうちの第２の論理チャネル・グループについての第２の優先度メトリックと第２の優先ビットレートとを構成することを含むことができる。１つまたは複数の論理チャネル・グループからの情報の送信をスケジュールすることは、１つまたは複数の論理チャネル・グループからの送信の順序が優先度の降順になるようなものとすることができる。１つまたは複数の論理チャネル・グループのうちの第２の論理チャネル・グループより前に送信するように、１つまたは複数の論理チャネル・グループのうちの少なくとも１つからの情報の送信をスケジュールすることは、第２の優先度メトリックが第１の優先度メトリックよりも小さいことに対する応答とすることができ、第２の優先度メトリックと第２の優先ビットレートとを構成することはＢＳによって実行される。
【０２３５】
方法１４００は、ＰＢＲと優先度メトリックとを更新するために周期的間隔で繰り返され得る。
【０２３６】
別の実施形態（図示せず）では、ＵＥスケジューリング・パラメータの閉ループ適応はＵＬ上で実行され得る。いくつかの環境では、標準的な手法は、ＬＣＧ中のＬＣのＱｏＳパラメータに基づいて優先度とＰＢＲとを構成することである。ＬＣが承認されると、ＰＢＲおよび優先度が設定され得る。負荷が増加した場合、承認制御機構はＬＣを終了することができる。保証ビットレート（ＧＢＲ）フローの場合、ＰＢＲ値は自然にわかり得るが、ＦＴＰ／ＨＴＴＰなどのベスト・エフォート・トラフィックのＰＢＲの定義は明らかでない。実際は、システム中の負荷に基づいて、そのようなトラフィックのＰＢＲを増加／減少することが求められ得る。たとえば、負荷が増加すると、そのようなフローのＰＢＲは減少し得る。さらに、いくつかの実施形態では、あるベスト・エフォート・トラフィック・フローが別のベスト・エフォートフローよりも高い優先度を付けられ得るので、すべてのベスト・エフォートフローは１つの論理チャネル・グループに収集され得ない。たとえば、ＨＴＴＰは、ＦＴＰよりも高い優先度を有し得る。また、スケジューラからのフィードバックは、ストリーミング／ライブビデオのＰＢＲ値を設定する際に有用であり得る。たとえば、ビデオ品質は、負荷に基づいてアップグレードまたはデグレードされ得る。
【０２３７】
いくつかの実施形態（図示せず）では、ＵＥ中のＬＣＧのＰＢＲは、スケジューラからのフィードバックに基づいて構成され得る。スケジューラは、その場合、ＰＢＲが時間的に進化するにつれて、スケジューリング・ポリシーを変更するためにＰＢＲの値を使用することができる。また、同様のフィードバックがＲＬＣレイヤから取得され得る。たとえば、ＲＬＣはＲＲＣ（図示せず）にフィードバックを与えることができ、ＲＲＣは、スケジューラ１０１０からフィードバックを受信し、ＰＢＲをスケジューラに与えることができる。
【０２３８】
フィードバックを介してスケジューラからＲＲＣに送信され得る１つの量は、いくつかのリソース・ブロック（ＲＢ）を介して与えられ得る、ＵＥへのリソース割振り、トランスポート・フォーマットである。この情報は時間的に平均化され得る。フィードバックを介してスケジューラからＲＲＣに送信され得る他の量は、ＵＥがサービスされる平均レートと、サービス間時間（inter-service times）の統計と、ＵＥからの信号が受信される平均キャリア対干渉比（Ｃ／Ｉ）と、リソース割振り、トランスポート・フォーマット、ＵＥがサービスされる平均レート、サービス間時間の統計および／または平均Ｃ／Ｉのいずれかの関数と、ＵＥの各ＬＣＧに割り当てられるＰＢＲ、および／または上記情報およびＱＣＩパラメータに基づく異なるＬＣＧのＰＢＲとすることができる。
【０２３９】
いくつかの実施形態では、ＲＬＣからのフィードバックは、ＵＥがサービスされる平均レートと、ＵＥの各ＬＣがサービスされるレートと、ＵＥがサービスされる平均レートおよび／またはＵＥの各ＬＣがサービスされるレートのいずれかの関数と、ＵＥの各ＬＣＧに割り当てられるＰＢＲおよび／または上記情報およびＱＣＩパラメータに基づく異なるＬＣＧのＰＢＲとを含むことができる。
【０２４０】
フィードバック機構の一実施形態は以下の通りである。実装形態は、ＵＥの各ＬＣＧが、ＬＣＧがサービスされる平均レートをＬＣＧから見た値にマッピングする、ユーティリティ関数に関連することを含むことができる。ＧＢＲ要件は、ＧＢＲよりも小さい値において高い傾きを有し、ＧＢＲよりも大きい値において小さい傾きを有するユーティリティ関数を介してモデル化され得る。
【０２４１】
ＭＡＣレイヤにおけるスケジューリング・ポリシーは、すべてのＵＥにわたるすべてのＬＣＧのユーティリティの和を最大にすることを目的とすることができる。詳細には、それは、式９を最大にすることを目的とすることができる。
【数１２】
2012527855.tif 000014
【０２４２】
上式で、Ｕue,lcgはＵＥ  ｕｅおよびＬＣＧ  ｌｃｇのユーティリティ関数であり、ｘue,lcgは、ＵＥのＬＣＧがサービスされる平均レートである。スケジューラにおける最適化は、ＬＣＧレベルにおいて割り振られる帯域幅および電力の量を計算することができる。所与のＵＥについてのすべてのＬＣＧに割り振られるリソースは、そのＵＥに対するリソース割当てを生成するためにアグリゲートされ得る。しかしながら、ＵＥにおけるスケジューラは、異なるＬＣＧの優先度とＰＢＲとに基づくことができるので、ＵＥは、スケジューラによって計算されるリソース割振りと矛盾するようにパケットを多重化し得る。時間とともに、ＵＥに対する平均リソース割振りは計算され、ＲＲＣレイヤに搬送され得る。次いで、ＲＲＣレイヤは、各ＵＥについてのＬＣＧにわたるユーティリティの和が、そのＵＥに割り振られるリソースについて最大にされるように、ＰＢＲを構成することができる。代替的に、ＰＢＲの計算は、スケジューラ（またはＭＡＣレイヤ）自体において行われ得る。
【０２４３】
図１５Ａは、ワイヤレス通信システムにおけるＵＬ上でのＵＥに対するリソース割振りの方法の一例の図である。１５０２において、方法１５００は、サービングＢＳが、ＵＥにおけるトラフィックの優先度および／またはＵＥにおけるトラフィックの遅延ターゲットの相対的順序付けに従って、厳しい優先度でＱｏＳフローをグループ化することを含むことができる。１５０４において、方法１５００は、サービングＢＳがＵＥにおける各ＬＣＧのＰＢＲを構成することを含むことができる。いくつかの実施形態では、構成されるＰＢＲは無限（または極めて大きい値）とすることができる。
【０２４４】
１５０６において、方法１５００は、サービングＢＳが、ＢＳによってサービスされる各ＵＥにおける各ＬＣＧのＨＯＬ遅延を判断することを含むことができる。いくつかの実施形態では、ＨＯＬ遅延は、ロング・バッファ・ステータス報告に基づいてサービングＢＳによって推定され得、ロング・バッファ・ステータス報告は、ＵＥにおける各ＬＣＧ中のバイト数、ＰＤＣＣＨ割当てを通してＵＥのためにスケジュールされているが、ＵＬ上でサービングＢＳにおいてまだ正常に復号されていない、バイト数、および／またはＵＥの各ＬＣＧから正常に受信されたバイト数に関する、サービングＢＳのＲＬＣからのフィードバックを与えることができる。
【０２４５】
１５０８において、方法１５００は、サービングＢＳがＵＥにおけるＬＣＧに優先度を付けることを含むことができる。各ＬＣＧ優先度は、ＵＥのＨＯＬ遅延、ＵＥのバッファ中のパケット数、および／またはサービングＢＳによってサービスされる各ＵＥとサービングＢＳとの間のサービング通信リンクの強度の関数とすることができる。
【０２４６】
いくつかの実施形態（図示せず）では、方法１５００は、サービングＢＳがＵＥに優先度を付けることをも含むことができる。（サービングＢＳによってサービスされるすべてのＵＥの中での）ＵＥ優先度は、バッファ中にパケットを有するＵＥにおける最高優先度ＬＣＧによって判断され得る。
【０２４７】
図１５Ｂは、ワイヤレス通信システムにおけるＵＬ上でのＵＥに対するリソース割振りの方法の一例の図である。１５１２において、方法１５１０は、１つまたは複数の論理チャネル・グループを有するＵＥからバッファ・ステータス報告を送信することを含むことができる。１５１４において、方法１５１０は、１つまたは複数の論理チャネル・グループのうちの少なくとも１つについての第１の優先度メトリックと第１の優先ビットレートとを構成するための情報を受信することを含むことができ、１つまたは複数の論理チャネル・グループのうちの少なくとも１つについての第１の優先度メトリックと第１の優先ビットレートとを構成することは、バッファ・ステータス報告中に含まれる情報に応答する。１５１６において、方法１５１０は、１つまたは複数の論理チャネル・グループを有するＵＥのためのサービングＢＳが、１つまたは複数の論理チャネル・グループを有するＵＥにおける干渉を判断することに応答して、１つまたは複数の論理チャネル・グループのうちの少なくとも１つについての第１の優先度メトリックと第１の優先ビットレートとを再構成するための情報を受信することを含むことができる。１５１８において、方法１５１０は、１つまたは複数の論理チャネル・グループからの送信の順序が優先度の降順になるように、１つまたは複数の論理チャネル・グループから情報を送信することを含むことができる。いくつかの実施形態では、構成することは、ＲＲＣシグナリングを介して実行される。
【０２４８】
図１５Ｃおよび図１５Ｄは、ワイヤレス通信システムにおけるＵＬ上でのリソース割振りの方法の一例の図である。１５３２において、方法１５３０は、第１のセル中のＢＳがバッファ・ステータス要求を受信することを含むことができる。
【０２４９】
１５３４において、方法１５３０は、第１のセル中のＢＳが干渉管理要求を送信することを含むことができ、干渉管理要求はバッファ・ステータス要求に基づく。いくつかの実施形態では、干渉管理要求を送信することは、無線で干渉管理要求をセル外ＵＥに送信することを含むことができる。いくつかの実施形態では、干渉管理要求を送信することは、バックホールを介して干渉管理要求を第２のセル中のＢＳに送信することを含むことができる。いくつかの実施形態では、干渉管理要求はＲＵＭとすることができる。
【０２５０】
１５３６において、方法１５３０は、１つまたは複数のセル外ＵＥが干渉管理要求を受信することに応答して、セル外ＵＥのうちの１つまたは複数から意図された送信電力を示す情報を受信することを含むことができる。
【０２５１】
１５３８において、方法１５３０は、第１のセル中のＵＥからのデータの送信をスケジュールすることをも含むことができ、スケジュールすることは、意図された送信電力を示す情報に基づく。１５４０において、方法１５３０は、トラフィック優先度に基づいて第１のセル中のＵＥからのデータの送信をスケジュールすることを含むことができる。１５４２において、方法１５３０は、ＵＥに関連する干渉情報に基づいて第１のセル中のＵＥからのデータの送信をスケジュールすることを含むことができる。いくつかの実施形態では、干渉情報は、第１のセル中のＵＥに割り当てられたリソース上の干渉インシデント、または第１のセル中のＵＥが第２のセル中のＢＳに対して引き起こす干渉を含むことができる。
【０２５２】
図１５Ｅは、ワイヤレス通信システムにおけるＵＬ上でのリソース割振りの方法の一例の図である。１５５２において、方法１５５０は、ＵＥにおける１つまたは複数の論理チャネル・グループのバッファ・ステータスを示す情報を受信することを含むことができる。１５５４において、方法１５５０は、干渉管理要求を１つまたは複数のセル外ＵＥに送信することを含むことができる。１５５６において、方法１５５０は、１つまたは複数のセル外ＵＥが干渉管理要求を受信することに応答して、セル外ＵＥのうちの１つまたは複数から意図された送信電力を示す情報を受信することを含むことができる。
【０２５３】
１５５８において、方法１５５０は、セル中のＵＥからのデータの送信をスケジュールすることを含むことができ、スケジュールすることは、意図された送信電力を示す情報に基づく。
【０２５４】
いくつかの実施形態では、セル中のＵＥからのデータの送信をスケジュールすることは、セル中のＵＥに向けられる判断されたトラフィック優先度に基づくことができる。いくつかの実施形態では、セル中のＵＥからのデータの送信をスケジュールすることは、セル中のＵＥに関連する干渉情報に基づく。いくつかの実施形態では、干渉情報は、セル中のＵＥに割り当てられたリソース上の干渉インシデント、またはセル中のＵＥがセル外ＢＳに対して引き起こす干渉を含むことができる。
【０２５５】
ワイヤレス通信システムのＵＬ上での干渉管理を可能にする別の方法（図示せず）は、次のような方法であり得る。本方法は、送信がそれに対してスケジュールされ得る第１のセル中のＵＥに対する利益を判断することを含むことができる。本方法は、送信に伴う劣化を判断することをも含むことができ、上記劣化は第２のセル中のＵＥに対する劣化である。第２のセルは第１のセルとは異なることがあり、上記劣化は、第１のセル中のＵＥによって引き起こされる、第２のセル中のＢＳにおける干渉から生じることがある。本方法は、上記利益を上記劣化と比較することをも含むことができる。本方法は、第１のセル中のＵＥに対する利益が第２のセル中のＵＥに対する劣化よりも大きい場合、第１のセル中のＵＥによる送信をスケジュールすることをも含むことができる。
【０２５６】
ワイヤレス通信システムのＵＬ上での干渉管理を可能にする別の方法（図示せず）は、次のような方法であり得る。本方法は、リソースを求めて競合するＵＥの第１のセットを判断することを含むことができる。本方法は、ＵＥの第１のセットによる１つまたは複数の調整メッセージの送信をスケジュールすることをも含むことができる。
【０２５７】
本方法は、リソースを求めて競合するＵＥの第１のセットのうちの少なくとも１つから干渉情報を受信することをも含むことができ、リソースを求めて競合するＵＥの第１のセットのうちの少なくとも１つからの干渉情報は、リソースを求めて競合するＵＥの第１のセットが１つまたは複数の調整メッセージを１つまたは複数のＢＳに送信することと、１つまたは複数のＢＳが、リソースを求めて競合するＵＥの第１のセットのうちの少なくとも１つに干渉情報を送信することとに応答して、リソースを求めて競合するＵＥの第１のセットによって受信される。
【０２５８】
本方法は、情報を送信するためのＵＥの第２のセットを判断することをも含むことができ、情報を送信するためのＵＥの第２のセットを判断することは、干渉情報、セル外ＵＥに対してＢＳのために行われた干渉コミットメント、リソースを求めて競合するＵＥの第１のセットのうちの少なくとも１つについてのチャネル品質インジケータまたはトラフィック優先度のうちの１つまたは複数を判断することに応答する。
【０２５９】
本方法は、ＵＥの第２のセットによる情報の送信をスケジュールすることをも含むことができる。いくつかの実施形態では、ＵＥの第１のセットを判断することと、１つまたは複数の調整メッセージの送信をスケジュールすることと、受信することと、判断することと、ＵＥの第２のセットによる情報の送信をスケジュールすることとは、サービングＢＳによって実行され得る。
【０２６０】
いくつかの実施形態では、ＵＥの第２のセットのＵＥのうちの１つまたは複数は、ＵＥの第１のセット中に含まれる。いくつかの実施形態では、ＵＥの第１のセットは、１次セットと２次セットとを含み、１次セットは、ＵＥの第１のセットのうち、第１の値を有するチャネル品質インジケータまたはトラフィック優先度に関連するＵＥを含み、２次セットは、ＵＥの第１のセットのうち、第２の値を有するチャネル品質インジケータまたはトラフィック優先度に関連するＵＥを含み、第１の値は第２の値よりも大きく、ＵＥの第２のセットは１次セットである。
【０２６１】
いくつかの実施形態では、１つまたは複数の調整メッセージは、リソースを求めて競合するＵＥの第１のセットによる、リソースについての要求を示す情報を含む干渉管理要求である。
【０２６２】
いくつかの実施形態では、リソースを求めて競合するＵＥの第１のセットのうちの少なくとも１つからの干渉情報は、１つまたは複数のＢＳからの有効チャネル品質インジケータまたは送信電力レベルのうちの少なくとも１つを含む。
【０２６３】
いくつかの実施形態では、リソースを求めて競合するＵＥの第１のセットのうちの少なくとも１つからの干渉情報は、１つまたは複数のＢＳのうちの少なくとも１つによる送信におけるバックオフを示す情報を含む。
【０２６４】
いくつかの実施形態では、ＵＥの第２のセットによる情報の送信をスケジュールすることは、情報を送信するためのＵＥの第２のセットにダウンリンク送信許可を送信することを備える。
【０２６５】
いくつかの実施形態では、データを送信するためのＵＥの第２のセットを判断することは、選択されたしきい値よりも小さい予測される干渉を有する複数のＵＥを選択することを備える。
【０２６６】
いくつかの実施形態では、リソースを求めて競合するＵＥの第１のセットを判断することは、第２の複数のＵＥに対する利益よりも利益が大きい第１の複数のＵＥのうちの１つまたは複数を判断することを備える。
【０２６７】
いくつかの実施形態では、データを送信するためのＵＥの第２のセットを判断することは、トラフィック優先度または品質チャネル・インジケータのうちの１つまたは複数に基づいて複数のＵＥを選択することをさらに備える。
【０２６８】
いくつかの実施形態では、リソースを求めて競合するＵＥの第１のセットを判断することは、セル中の１つまたは複数のＵＥのバッファ状態を判断すること、セル中の１つまたは複数のＵＥの有効チャネル品質インジケータを判断すること、または１つまたは複数のＵＥと１つまたは複数のＢＳとの間のチャネル利得情報を判断することのうちの少なくとも１つを備える。
【０２６９】
いくつかの実施形態では、リソースを求めて競合するＵＥの第１のセットを判断することは、セル中の１つまたは複数の他のＵＥに関連する利益のレベルよりも大きいレベルで利益を得る、セル中の１つまたは複数のＵＥを判断することを備える。
【０２７０】
いくつかの実施形態では、リソースを求めて競合するＵＥの第１のセットを判断することは、ＵＥの第１のセットのうちの１つのＵＥのための調整メッセージが近隣セル中のＢＳに送信された場合、上記ＵＥが受ける可能性のある干渉の量を判断することを備える。
【０２７１】
いくつかの実施形態では、リソースを求めて競合するＵＥの第１のセットを判断することは、ＵＥの第１のセットのうちの上記ＵＥに対する利益が、選択されたしきい値よりも大きいかどうかを判断することと、上記利益が選択されたしきい値よりも大きい場合、ＵＥの第１のセットのうちの上記ＵＥを選択することとを備える。
【０２７２】
いくつかの実施形態では、リソースを求めて競合するＵＥの第１のセットを判断することは、ＵＥの第１のセットのうちの上記ＵＥに対する利益が、ＵＥの第２のセットに対する利益よりも大きいかどうかを判断することと、上記利益がＵＥの第２のセットよりも大きい場合、ＵＥの第１のセットのうちの上記ＵＥを選択することとを備える。
【０２７３】
いくつかの実施形態では、リソースを求めて競合するＵＥの第１のセットを判断することは、セル中の１つまたは複数のＵＥに関連するトラフィック優先度を判断することを備える。いくつかの実施形態では、セル中の１つまたは複数のＵＥに関連するトラフィック優先度を判断することは、セル中の１つまたは複数のＵＥに関連するトラフィック・タイプを判断することと、セル中の１つまたは複数のＵＥのバッファ状態を判断することと、セル中の１つまたは複数のＵＥに関連する１つまたは複数のパラメータを、セル中の１つまたは複数のＵＥに関連するトラフィックの１つまたは複数のフローの優先度メトリックにマッピングすることと、選択されたしきい値よりも大きい優先度メトリックを有する、セル中の１つまたは複数のＵＥのうちの複数を、リソースを求めて競合するＵＥの第１のセットとして選択することとを備える。
【０２７４】
いくつかの実施形態では、バッファ状態を判断することは、セル中の１つまたは複数のＵＥに関連する１つまたは複数のパラメータに基づく。１つまたは複数のパラメータは、セル中のＵＥのヘッド・オブ・ライン遅延、セル中のＵＥのパケット遅延、セル中のＵＥのキュー長さ、セル中のＵＥのシステム・リセレクション、またはセル中のＵＥのキューが過去にサービスされた平均レートを含むことができる。
【０２７５】
いくつかの実施形態では、リソースを求めて競合するＵＥの第１のセットを判断することは、セル中の１つまたは複数のＵＥに関連するトラフィック優先度を判断することを備え、セル中の１つまたは複数のＵＥに関連するトラフィック優先度を判断することは、セル中の１つまたは複数のＵＥに関連するトラフィック・タイプを判断することと、セル中の１つまたは複数のＵＥのバッファ状態を判断することと、セル中の１つまたは複数のＵＥに関連する１つまたは複数のパラメータを、セル中の１つまたは複数のＵＥに関連するトラフィックの１つまたは複数のフローの優先度メトリックにマッピングすることと、セル中の１つまたは複数のＵＥの第２のセットの優先度メトリックよりも大きい優先度メトリックを有する、セル中の１つまたは複数のＵＥのうちの複数を、リソースを求めて競合するＵＥの第１のセットとして選択することとを備える。
【０２７６】
いくつかの実施形態では、セル中の１つまたは複数のＵＥのバッファ状態は、セル中の１つまたは複数のＵＥに関連する１つまたは複数のパラメータに基づき、１つまたは複数のパラメータは、セル中のＵＥのヘッド・オブ・ライン遅延、セル中のＵＥのパケット遅延、セル中のＵＥのキュー長さ、セル中のＵＥのシステム・リセレクション、またはセル中のＵＥのキューが過去にサービスされた平均レートを含む。
【０２７７】
いくつかの実施形態では、バッファ状態は、セル中の１つまたは複数のＵＥの１つまたは複数の論理チャネルのバッファ状態である。
【０２７８】
いくつかの実施形態では、リソースを求めて競合するＵＥの第１のセットを判断することは、セル中の１つまたは複数のＵＥに関連するトラフィック優先度を判断することを備え、セル中の１つまたは複数のＵＥに関連するトラフィック優先度を判断することは、セル中の１つまたは複数のＵＥに関連するトラフィック・タイプを判断することと、セル中の１つまたは複数のＵＥのバッファ状態を判断することであって、セル中の１つまたは複数のＵＥのバッファ状態が、セル中の１つまたは複数のＵＥに関連する１つまたは複数のパラメータに基づき、１つまたは複数のパラメータが、セル中のＵＥのヘッド・オブ・ライン遅延、セル中のＵＥのパケット遅延、セル中のＵＥのキュー長さ、セル中のＵＥのシステム・リセレクション、またはセル中のＵＥのキューが過去にサービスされた平均レートを含む、判断することと、セル中の１つまたは複数のＵＥに関連する１つまたは複数のパラメータを、セル中の１つまたは複数のＵＥに関連するトラフィックの１つまたは複数のフローの優先度メトリックにマッピングすることと、セル中の１つまたは複数のＵＥのうちの複数を、リソースを求めて競合するＵＥの第１のセットとして選択することとを備える。いくつかの実施形態では、選択することは、調整メッセージが送信されないときの予想される信号対干渉雑音比、調整メッセージが送信されるときの予想される信号対干渉雑音比、サービス品質クラス識別子ラベル、またはバッファ状態のうちの１つまたは複数に基づいて実行され、バッファ状態は、ヘッド・オブ・ライン遅延、パケット遅延、システム・リセレクション、キュー長さ、キューサイズ、平均レート、またはセル中のＵＥのキューが過去にサービスされた平均レートのうちの１つまたは複数によって示される。
【０２７９】
いくつかの実施形態では、調整メッセージが送信されないときの予想される信号対干渉雑音比は、チャネル品質インジケータ報告を介して取得される。いくつかの実施形態では、調整メッセージが送信されるときの予想される信号対干渉雑音比は、測定報告に基づいて１つまたは複数の異なるＢＳにおいて受ける干渉を判断することによって取得される。
【０２８０】
図１６は、本明細書に記載する様々な態様による、干渉管理を可能にするための例示的なシステムのブロック図である。システム１６００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム１６００は、干渉管理を可能にするための電気構成要素の論理または物理グルーピング１６０２を含むことができる。
【０２８１】
電気構成要素は、連携して働くことができる。たとえば、論理または物理グルーピング１６０２は、送信に伴う利益を判断するための電気構成要素１６０４を含むことができ、上記利益は、送信がそこから行われる第１のセル中の干渉ＢＳに対する利益である。論理または物理グルーピング１６０２は、送信に伴う劣化を判断するための電気構成要素１６０６をも含むことができ、上記劣化は、第２のセル中のＵＥに対する劣化であり、第２のセルは第１のセルとは異なる。論理または物理グルーピング１６０２は、上記利益を上記劣化と比較するための電気構成要素１６０８をも含むことができる。
【０２８２】
論理または物理グルーピング１６０２は、上記利益を上記劣化と比較することに基づいて送信電力を低下させるための電気構成要素１６１０をも含むことができる。いくつかの実施形態では、送信電力を低下させることは、第２のセル中のＵＥに対する劣化が第１のセル中のＵＥに対する利益よりも大きいことに応答する。
【０２８３】
論理または物理グルーピング１６０２は、記憶するための電気構成要素１６１２をも含むことができる。記憶するための電気構成要素１６１２は、干渉ＢＳによる送信に伴う利益または劣化を示す情報を記憶するように構成され得る。
【０２８４】
図１７は、本明細書に記載する様々な態様による、干渉管理を可能にするための例示的なシステムのブロック図である。システム１７００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム１７００は、干渉管理を可能にするための電気構成要素の論理または物理グルーピング１７０２を含むことができる。
【０２８５】
電気構成要素は、連携して働くことができる。たとえば、論理または物理グルーピング１７０２は、リソースを求めて競合するＵＥの第１のセットを判断するための電気構成要素１７０４と、ＵＥの第１のセットによる１つまたは複数の調整メッセージの送信をスケジュールするための電気構成要素１７０６とを含むことができる。論理または物理グルーピング１７０２は、リソースを求めて競合するＵＥの第１のセットのうちの少なくとも１つから干渉情報を受信するための電気構成要素１７０８をも含むことができ、ＵＥの第１のセットからの干渉情報は、リソースを求めて競合するＵＥの第１のセットが１つまたは複数の調整メッセージを１つまたは複数の干渉ＢＳに送信することと、１つまたは複数の干渉ＢＳが、ＵＥの第１のセットのうちの少なくとも１つに干渉情報を送信することとに応答して、リソースを求めて競合するＵＥの第１のセットによって受信される。論理または物理グルーピング１７０２は、情報を送信するためのＵＥの第２のセットを判断するための電気構成要素１７１０であって、情報を送信するためのＵＥの第２のセットを判断することが、リソースを求めて競合するＵＥの第１のセットのうちの少なくとも１つに関して予測される干渉を判断することに応答する、電気構成要素１７１０と、ＵＥの第２のセットによる情報の送信をスケジュールするための電気構成要素１７１２とをも含むことができる。
【０２８６】
論理または物理グルーピング１７０２は、記憶するための電気構成要素１７１４をも含むことができる。記憶するための電気構成要素１７１４は、ＵＥの第１のセット、ＵＥの第２のセット、ＵＥの第１のセットによる調整メッセージの送信をスケジュールすること、ＵＥ第２のセットによる情報の送信をスケジュールすること、および／または干渉情報を示す情報を記憶するように構成され得る。
【０２８７】
いくつかの実施形態では、１つまたは複数の調整メッセージは、リソースを求めて競合するＵＥの第１のセットによる、リソースについての要求を示す情報を含む干渉管理要求および／またはＲＵＭである。いくつかの実施形態では、リソースを求めて競合するＵＥの第１のセットのうちの少なくとも１つからの干渉情報は、１つまたは複数の干渉ＢＳからの有効チャネル品質インジケータまたは送信電力レベルのうちの少なくとも１つを含む。いくつかの実施形態では、リソースを求めて競合するＵＥの第１のセットのうちの少なくとも１つからの干渉情報は、１つまたは複数の干渉ＢＳのうちの少なくとも１つによる送信におけるバックオフを示す情報を含む。
【０２８８】
いくつかの実施形態では、ＵＥの第２のセットによる情報の送信をスケジュールすることは、情報を送信するためのＵＥの第２のセットにＤＬ送信許可を送信することを含むことができる。
【０２８９】
いくつかの実施形態では、データを送信するためのＵＥの第２のセットを判断することは、選択されたしきい値よりも小さい予測される干渉を有する複数のＵＥを選択することを含むことができる。
【０２９０】
いくつかの実施形態では、リソースを求めて競合するＵＥの第１のセットを判断することは、選択されたしきい値よりも大きいレベルで利益を得る、セル中の１つまたは複数のＵＥを判断すること、セル中の１つまたは複数のＵＥのバッファ状態を判断すること、セル中の１つまたは複数のＵＥの有効チャネル品質インジケータを判断すること、１つまたは複数のＵＥと１つまたは複数の干渉ＢＳとの間のチャネル利得情報を判断することのうちの少なくとも１つを含むことができる。
【０２９１】
いくつかの実施形態では、リソースを求めて競合するＵＥの第１のセットを判断することは、セル中の１つまたは複数のＵＥに関連するトラフィック優先度を判断することを含むことができ、セル中の１つまたは複数のＵＥに関連するトラフィック優先度を判断することは、セル中の１つまたは複数のＵＥに関連するトラフィック・タイプを判断することと、セル中の１つまたは複数のＵＥのバッファ状態を判断することであって、バッファ状態が、セル中の１つまたは複数のＵＥに関連する１つまたは複数のパラメータに基づく、判断することと、セル中の１つまたは複数のＵＥに関連する１つまたは複数のパラメータを、セル中の１つまたは複数のＵＥに関連するトラフィックの１つまたは複数のフローの優先度メトリックにマッピングすることと、選択されたしきい値よりも大きい優先度メトリックを有する、セル中の１つまたは複数のＵＥのうちの複数を、リソースを求めて競合するＵＥの第１のセットとして選択することとを含むことができる。
【０２９２】
いくつかの実施形態では、１つまたは複数のパラメータのうちの少なくとも１つは、セル中の１つまたは複数のＵＥにおけるヘッド・オブ・ライン遅延である。いくつかの実施形態では、本装置は、セル中の１つまたは複数のＵＥから送信されるべき情報量、選択された数の過去のサブフレームにわたってセル中の１つまたは複数のＵＥへの送信のためにスケジュールされるべき情報量、またはセル中の１つまたは複数のＵＥにおける論理チャネル・グループから受信された情報量のうちの少なくとも１つに基づいて、セル中の１つまたは複数のＵＥにおけるヘッド・オブ・ライン遅延を計算するための手段をも含むことができる。
【０２９３】
図１８は、本明細書に記載する様々な態様による、干渉管理を可能にするための例示的なシステムのブロック図である。システム１８００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム１８００は、干渉管理を可能にするための電気構成要素の論理または物理グルーピング１８０２を含むことができる。
【０２９４】
電気構成要素は、連携して働くことができる。たとえば、論理または物理グルーピング１８０２は、リソースを求めて競合するためのスケジューリング情報を受信するための電気構成要素１８０４を含むことができる。論理または物理グルーピング１８０２は、１つまたは複数の調整メッセージを１つまたは複数の干渉ＢＳに送信するための電気構成要素１８０６をも含むことができ、１つまたは複数の調整メッセージを１つまたは複数の干渉ＢＳに送信することは、リソースを求めて競合するためのスケジューリング情報を受信することに応答する。論理または物理グルーピング１８０２は、１つまたは複数の干渉ＢＳのうちの少なくとも１つから干渉情報を受信するための電気構成要素１８０８をも含むことができる。論理または物理グルーピング１８０２は、１つまたは複数の干渉ＢＳのうちの少なくとも１つからの予測される干渉を判断するために干渉情報をサービングＢＳに送信するための電気構成要素１８１０をも含むことができる。論理または物理グルーピング１８０２は、予測される干渉が選択されたしきい値よりも小さいことに応答して、情報の送信のためのスケジューリング情報を受信するための電気構成要素１８１２をも含むことができる。
【０２９５】
論理または物理グルーピング１８０２は、記憶するための電気構成要素１８１４をも含むことができる。記憶するための電気構成要素１８１４は、予測される干渉、１つまたは複数の干渉ＢＳからの干渉情報、調整メッセージ、および／またはリソースを求めて競合するためのスケジューリング情報を示す情報を記憶するように構成され得る。
【０２９６】
いくつかの実施形態では、１つまたは複数の調整メッセージは、リソースについての要求を示す情報を含む干渉管理要求および／またはＲＵＭである。いくつかの実施形態では、１つまたは複数の干渉ＢＳのうちの少なくとも１つからの干渉情報は、１つまたは複数の干渉ＢＳからの有効チャネル品質インジケータまたは送信電力レベルのうちの少なくとも１つを含む。
【０２９７】
いくつかの実施形態では、１つまたは複数の干渉ＢＳのうちの少なくとも１つからの干渉情報は、１つまたは複数の干渉ＢＳのうちの少なくとも１つによる送信におけるバックオフを示す情報を含む。いくつかの実施形態では、リソースを求めて競合するためのスケジューリング情報は、選択されたしきい値よりも大きいレベルでＵＥが利益を得るかどうかを判断すること、セル中の１つまたは複数のＵＥのバッファ状態を判断すること、セル中の１つまたは複数のＵＥの有効チャネル品質インジケータを判断すること、１つまたは複数のＵＥと１つまたは複数の干渉ＢＳとの間のチャネル利得情報を判断することのうちの少なくとも１つに応答して、ＵＥにおいて受信される。
【０２９８】
いくつかの実施形態では、リソースを求めて競合するためのスケジューリング情報は、ＵＥにおけるトラフィック優先度が選択されたしきい値を上回るという判断に応答して、ＵＥにおいて受信され、ＵＥにおけるトラフィック優先度が選択されたしきい値を上回るという判断は、ＵＥに関連するトラフィック・タイプを判断することと、ＵＥのバッファ状態を判断することであって、バッファ状態が、ＵＥに関連する１つまたは複数のパラメータに基づく、判断することと、ＵＥに関連する１つまたは複数のパラメータを、ＵＥに関連するトラフィックの１つまたは複数のフローの優先度メトリックにマッピングすることと、を含むことができる。
【０２９９】
いくつかの実施形態では、１つまたは複数のパラメータのうちの少なくとも１つは、ＵＥにおけるヘッド・オブ・ライン遅延である。いくつかの実施形態では、ヘッド・オブ・ライン遅延は、ＵＥから送信されるべき情報量、選択された数の過去のサブフレームにわたってＵＥへの送信のためにスケジュールされるべき情報量、またはＵＥにおける論理チャネル・グループから受信された情報量のうちの少なくとも１つに基づいて計算される。
【０３００】
図１９は、本明細書に記載する様々な態様による、干渉管理を可能にするための例示的なシステムのブロック図である。システム１９００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム１９００は、干渉管理を可能にするための電気構成要素の論理または物理グルーピング１９０２を含むことができる。
【０３０１】
電気構成要素は、連携して働くことができる。たとえば、論理または物理グルーピング１９０２は、第１のＵＥと第２のＵＥとからの干渉管理要求および／またはＲＵＭの送信をスケジュールするための電気構成要素１９０４を含むことができる。論理または物理グルーピング１９０２は、第１のＵＥと第２のＵＥとからの干渉管理要求および／またはＲＵＭの送信に応答して情報を判断するための電気構成要素１９０６をも含むことができ、上記情報は、第１のＵＥの第１のバッファ状態と、第２のＵＥの第２のバッファ状態とを備える。論理または物理グルーピング１９０２は、上記情報に応答して第１のＵＥと第２のＵＥとからのデータの送信をスケジュールするための電気構成要素１９０８をも含むことができる。
【０３０２】
論理または物理グルーピング１９０２は、記憶するための電気構成要素１９１０をも含むことができる。記憶するための電気構成要素１９１０は、干渉管理要求および／またはＲＵＭの送信に応答したデータ、情報の送信のためのスケジューリング情報を記憶するように構成され得る。
【０３０３】
いくつかの実施形態では、上記情報は、第１のＵＥにおける第１のトラフィック優先度と、第２のＵＥにおける第２のトラフィック優先度とをも含むことができる。いくつかの実施形態では、上記情報に応答して第１のＵＥと第２のＵＥとからのデータの送信をスケジュールすることは、第１のＵＥにおける第１のトラフィック優先度が第２のＵＥにおける第２のトラフィック優先度よりも大きいことに応答して、第１のＵＥを第２のＵＥより前にスケジュールすることを含むことができる。
【０３０４】
図２０は、本明細書に記載する様々な態様による、干渉管理を可能にするための例示的なシステムのブロック図である。システム２０００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２０００は、干渉管理を可能にするための電気構成要素の論理または物理グルーピング２００２を含むことができる。
【０３０５】
電気構成要素は、連携して働くことができる。たとえば、論理または物理グルーピング２００２は、リソースを求めて競合するためのスケジューリング情報を受信するための電気構成要素２００４を含むことができる。論理または物理グルーピング２００２は、１つまたは複数の調整メッセージを１つまたは複数のＢＳに送信するための電気構成要素２００６をも含むことができ、１つまたは複数の調整メッセージを１つまたは複数のＢＳに送信することは、リソースを求めて競合するためのスケジューリング情報を受信することに応答する。
【０３０６】
論理または物理グルーピング２００２は、１つまたは複数のＢＳのうちの少なくとも１つから干渉情報を受信するための電気構成要素２００８をも含むことができる。論理または物理グルーピング２００２は、１つまたは複数のＢＳのうちの少なくとも１つからの予測される干渉を判断するために干渉情報を１つまたは複数のＢＳのうちの少なくとも１つからサービングＢＳに送信するための電気構成要素２０１０をも含むことができる。論理または物理グルーピング２００２は、予測される干渉が選択されたしきい値よりも小さいことに応答して、情報の送信のためのスケジューリング情報を受信するための電気構成要素２０１２をも含むことができる。
【０３０７】
いくつかの実施形態では、１つまたは複数のＢＳへの１つまたは複数の調整メッセージは、リソースについての要求を示す情報を含む干渉管理要求である。
【０３０８】
いくつかの実施形態では、１つまたは複数のＢＳのうちの少なくとも１つからの干渉情報は、１つまたは複数のＢＳからの有効チャネル品質インジケータまたは送信電力レベルのうちの少なくとも１つを含む。いくつかの実施形態では、１つまたは複数のＢＳのうちの少なくとも１つからの干渉情報は、１つまたは複数のＢＳのうちの少なくとも１つによる送信におけるバックオフを示す情報を含む。
【０３０９】
いくつかの実施形態では、リソースを求めて競合するためのスケジューリング情報は、選択されたしきい値よりも大きいレベルでＵＥが利益を得るかどうかを判断すること、セル中の１つまたは複数のＵＥのバッファ状態を判断すること、セル中の１つまたは複数のＵＥの有効チャネル品質インジケータを判断すること、またはセル中の１つまたは複数のＵＥと１つまたは複数のＢＳとの間のチャネル利得情報を判断することのうちの少なくとも１つに応答して、ＵＥにおいて受信される。
【０３１０】
いくつかの実施形態では、リソースを求めて競合するためのスケジューリング情報は、別のＵＥに対する利益よりも大きいレベルでＵＥが利益を得ると判断することに応答して、別のＵＥにおいてではなく、ＵＥにおいて受信される。
【０３１１】
いくつかの実施形態では、リソースを求めて競合するためのスケジューリング情報は、ＵＥにおけるトラフィック優先度が選択されたしきい値を上回るという判断に応答して、ＵＥにおいて受信され、ＵＥにおけるトラフィック優先度が選択されたしきい値を上回るという判断は、ＵＥに関連するトラフィック・タイプを判断することと、ＵＥのバッファ状態を判断することであって、ＵＥのバッファ状態が、ＵＥに関連する１つまたは複数のパラメータに基づく、判断することと、ＵＥに関連する１つまたは複数のパラメータを、ＵＥに関連するトラフィックの１つまたは複数のフローの優先度メトリックにマッピングすることとを含む。
【０３１２】
いくつかの実施形態では、リソースを求めて競合するためのスケジューリング情報は、ＵＥにおけるトラフィック優先度が別のＵＥにおけるトラフィック優先度よりも大きいという判断に応答して、別のＵＥにおいてではなく、ＵＥにおいて受信される。
【０３１３】
いくつかの実施形態では、ＵＥに関連する１つまたは複数のパラメータのうちの少なくとも１つは、ＢＳにおける、ＵＥの論理チャネルにバッファされるトラフィックについてのヘッド・オブ・ライン遅延である。
【０３１４】
いくつかの実施形態では、ＵＥにおけるヘッド・オブ・ライン遅延は、ＵＥから送信されるべき情報量、選択された数の過去のサブフレームにわたってＵＥへの送信のためにスケジュールされるべき情報量、またはＵＥにおける論理チャネル・グループから受信された情報量のうちの少なくとも１つに基づいて計算される。
【０３１５】
いくつかの実施形態では、１つまたは複数の調整メッセージの各々は、ＵＥのトラフィック優先度、ＢＳからＵＥへのチャネルの強度、サービングＢＳからＵＥへのチャネルの強度、またはＵＥが受けることを望む干渉の量のうちの１つまたは複数を含む。
【０３１６】
いくつかの実施形態では、ＵＥのトラフィック優先度は、サービス品質特性、サービス品質クラス識別子ラベル、ＵＥが過去にサービスされた平均レート、送信を待っているバッファ中のパケットの遅延数、ヘッド・オブ・ライン遅延、バイトでのバッファ長、またはパケット数でのバッファ長のうちの１つまたは複数に基づく。
【０３１７】
論理または物理グルーピング２００２は、記憶するための電気構成要素２０１４をも含むことができる。記憶するための電気構成要素２０１４は、干渉管理要求および／またはＲＵＭの送信に応答したデータ、情報の送信のためのスケジューリング情報を記憶するように構成され得る。
【０３１８】
図２１は、本明細書に記載する様々な態様による、干渉管理を可能にするための例示的なシステムのブロック図である。システム２１００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２１００は、干渉管理を可能にするための電気構成要素の論理または物理グルーピング２１０２を含むことができる。
【０３１９】
電気構成要素は、連携して働くことができる。たとえば、論理または物理グルーピング２１０２は、１つまたは複数の論理チャネル・グループを有するＵＥからバッファ・ステータス報告を受信するための電気構成要素２１０４を含むことができる。論理または物理グルーピング２１０２は、１つまたは複数の論理チャネル・グループのうちの少なくとも１つについての第１の優先度メトリックと第１のＰＢＲとを構成するための電気構成要素２１０６をも含むことができ、１つまたは複数の論理チャネル・グループのうちの少なくとも１つについての第１の優先度メトリックと第１のＰＢＲとを構成することは、バッファ・ステータス報告中に含まれる情報に応答する。論理または物理グルーピング２１０２は、ＵＥにおける干渉を判断するための電気構成要素２１０８をも含むことができる。論理または物理グルーピング２１０２は、ＵＥにおける干渉を判断することに応答して、１つまたは複数の論理チャネル・グループのうちの少なくとも１つについての第１の優先度メトリックと第１のＰＢＲとを再構成するための電気構成要素２１１０をも含むことができる。
【０３２０】
論理または物理グルーピング２１０２は、１つまたは複数の論理チャネル・グループからの送信の順序が優先度の降順になるように、１つまたは複数の論理チャネル・グループからの情報の送信をスケジュールするための電気構成要素２１１２をも含むことができる。
【０３２１】
論理または物理グルーピング２１０２は、１つまたは複数の論理チャネル・グループのうちの第２の論理チャネル・グループに関連する第２のＰＢＲと第２の優先度メトリックとを構成するための電気構成要素２１１４をも含むことができる。
【０３２２】
論理または物理グルーピング２１０２は、記憶するための電気構成要素２１１６をも含むことができる。記憶するための電気構成要素２１１６は、干渉、第１および第２の優先度メトリック、ならびに／または第１および第２のＰＢＲを示す情報を記憶するように構成され得る。
【０３２３】
いくつかの実施形態では、構成することは、無線リソース制御シグナリングを介して実行される。いくつかの実施形態では、本システムは、１つまたは複数の論理チャネル・グループからの送信の順序が優先度の降順になるように、１つまたは複数の論理チャネル・グループからの情報の送信をスケジュールするための手段を含む。
【０３２４】
図２２は、本明細書に記載する様々な態様による、干渉管理を可能にするための例示的なシステムのブロック図である。システム２２００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２２００は、干渉管理を可能にするための電気構成要素の論理または物理グルーピング２２０２を含むことができる。
【０３２５】
電気構成要素は、連携して働くことができる。たとえば、論理または物理グルーピング２２０２は、ＵＥにおける１つまたは複数のサービス品質フローをグループ化するための電気構成要素２２０４を含むことができ、ＵＥにおける１つまたは複数のサービス品質フローをグループ化することは、ＵＥにおけるトラフィック優先度またはＵＥにおけるトラフィックの遅延ターゲットに基づく。論理または物理グルーピング２２０２は、ＵＥにおける１つまたは複数の論理チャネル・グループのＰＢＲを構成するための電気構成要素２２０６と、ＵＥにおける１つまたは複数の論理チャネル・グループのヘッド・オブ・ライン遅延を判断するための電気構成要素２２０８とをも含むことができる。論理または物理グルーピング２１０２は、１つまたは複数の論理チャネル・グループの優先度の降順で、ＵＥにおける１つまたは複数の論理チャネル・グループに優先度を付けるための電気構成要素２２１０をも含むことができる。
【０３２６】
論理または物理グルーピング２２０２は、記憶するための電気構成要素２２１２をも含むことができる。記憶するための電気構成要素２１１２は、１つまたは複数の優先度、ヘッド・オブ・ライン遅延、優先度の降順、ＰＢＲ、および／またはＵＥにおけるサービス品質フローを示す情報を記憶するように構成され得る。
【０３２７】
いくつかの実施形態では、ＵＥにおける１つまたは複数の論理チャネル・グループのヘッド・オブ・ライン遅延を判断することは、ＵＥにおける１つまたは複数の論理チャネル・グループ中のバイト数を推定すること、物理ダウンリンク制御チャネルを通してＵＥのためにスケジュールされているが、サービングＢＳにおいて正常に復号されていない、バイト数を推定すること、またはＢＳにおける無線リンク・コントローラからのフィードバックを評価することであって、フィードバックが、ＵＥにおける１つまたは複数の論理チャネル・グループから正常に受信されたバイト数を示す、評価することによって、ＵＥにおける１つまたは複数の論理チャネル・グループのヘッド・オブ・ライン遅延を判断することを含むことができる。
【０３２８】
図２３は、本明細書に記載する様々な態様による、干渉管理を可能にするための例示的なシステムのブロック図である。システム２３００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２３００は、干渉管理を可能にするための電気構成要素の論理または物理グルーピング２３０２を含むことができる。
【０３２９】
電気構成要素は、連携して働くことができる。たとえば、論理または物理グルーピング２３０２は、１つまたは複数の論理チャネル・グループを有するＵＥからバッファ・ステータス報告を送信するための電気構成要素２３０４を含むことができる。論理または物理グルーピング２３０２は、１つまたは複数の論理チャネル・グループのうちの少なくとも１つについての第１の優先度メトリックと第１のＰＢＲとを構成するための情報を受信するための電気構成要素２３０６をも含むことができ、１つまたは複数の論理チャネル・グループのうちの少なくとも１つについての第１の優先度メトリックと第１のＰＢＲとを構成することは、バッファ・ステータス報告中に含まれる情報に応答する。論理または物理グルーピング２３０２は、１つまたは複数の論理チャネル・グループを有するＵＥのためのサービングＢＳが、１つまたは複数の論理チャネル・グループを有するＵＥにおける干渉を判断することに応答して、１つまたは複数の論理チャネル・グループのうちの少なくとも１つについての第１の優先度メトリックと第１のＰＢＲとを再構成するための情報を受信するための電気構成要素２３０８をも含むことができる。
【０３３０】
論理または物理グルーピング２３０２は、１つまたは複数の論理チャネル・グループからの送信の順序が優先度の降順になるように、１つまたは複数の論理チャネル・グループから情報を送信するための電気構成要素２３１０をも含むことができる。いくつかの実施形態では、構成することは、無線リソース制御シグナリングを介して実行される。
【０３３１】
論理または物理グルーピング２３０２は、記憶するための電気構成要素２３１２をも含むことができる。記憶するための電気構成要素２３１２は、スケジューリング情報、バッファ・ステータス報告、１つまたは複数の優先度、優先度メトリック、および／またはＰＢＲを示す情報を記憶するように構成され得る。
【０３３２】
図２４は、本明細書に記載する様々な態様による、干渉管理を可能にするための例示的なシステムのブロック図である。システム２４００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２４００は、干渉管理を可能にするための電気構成要素の論理または物理グルーピング２４０２を含むことができる。
【０３３３】
電気構成要素は、連携して働くことができる。たとえば、論理または物理グルーピング２４０２は、アップリンク上でスケジュールすべき第１のセルの１つまたは複数のＵＥを選択するための電気構成要素２４０４を含むことができ、選択することは、第１のセルの１つまたは複数のＵＥによって第２のセルの１つまたは複数のＢＳに対して引き起こされる干渉、第１のセルの１つまたは複数のＵＥについての干渉管理要求が送信された場合に受ける干渉、または第１のセルの１つまたは複数のＵＥのトラフィック優先度のうちの１つまたは複数に基づく。
【０３３４】
論理または物理グルーピング２４０２は、記憶するための電気構成要素２４０６をも含むことができる。記憶するための電気構成要素２４０６は、干渉および／またはトラフィック優先度を示す情報を記憶するように構成され得る。
【０３３５】
図２５は、本明細書に記載する様々な態様による、干渉管理を可能にするための例示的なシステムのブロック図である。システム２５００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２５００は、干渉管理を可能にするための電気構成要素の論理または物理グルーピング２５０２を含むことができる。
【０３３６】
電気構成要素は、連携して働くことができる。たとえば、論理または物理グルーピング２５０２は、バッファ・ステータス要求を受信するための電気構成要素２５０４を含むことができる。論理または物理グルーピング２５０２は、干渉管理要求を送信するための電気構成要素２５０６をも含むことができる。干渉管理要求はバッファ・ステータス要求に基づくことができる。
【０３３７】
いくつかの実施形態では、干渉管理要求を送信することは、無線で干渉管理要求をセル外ＵＥに送信することを含む。いくつかの実施形態では、干渉管理要求を送信することは、バックホールを介して干渉管理要求を第２のセル中のＢＳに送信することを含む。いくつかの実施形態では、干渉管理要求はＲＵＭである。
【０３３８】
論理または物理グルーピング２５０２は、１つまたは複数のセル外ＵＥが干渉管理要求を受信することに応答して、セル外ＵＥのうちの１つまたは複数から意図された送信電力を示す情報を受信するための電気構成要素２５０８をも含むことができる。
【０３３９】
論理または物理グルーピング２５０２は、第１のセル中のＵＥからのデータの送信をスケジュールする電気構成要素２５１０をも含むことができる。
【０３４０】
論理または物理グルーピング２５０２は、記憶するための電気構成要素２５１２をも含むことができる。記憶するための電気構成要素２５０２は、干渉、スケジューリング情報、および／またはバッファ・ステータス要求を示す情報を記憶するように構成され得る。
【０３４１】
いくつかの実施形態では、スケジュールすることは、意図された送信電力を示す情報に基づくことができる。いくつかの実施形態では、スケジュールすることは、第１のセル中のＵＥに向けられる判断されたトラフィック優先度に基づくことができる。いくつかの実施形態では、スケジュールすることは、第１のセル中のＵＥに関連する干渉情報に基づくことができる。
【０３４２】
いくつかの実施形態では、干渉情報は、第１のセル中のＵＥに割り当てられたリソース上の干渉インシデント、または第１のセル中のＵＥが第２のセル中のＢＳに対して引き起こす干渉を含むことができる。
【０３４３】
図２６は、本明細書に記載する様々な態様による、干渉管理を可能にするための例示的なシステムのブロック図である。システム２６００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２６００は、干渉管理を可能にするための電気構成要素の論理または物理グルーピング２６０２を含むことができる。
【０３４４】
電気構成要素は、連携して働くことができる。たとえば、論理または物理グルーピング２６０２は、ＵＥにおける１つまたは複数の論理チャネル・グループのバッファ・ステータスを示す情報を受信するための電気構成要素２６０４を含むことができる。論理または物理グルーピング２６０２は、干渉管理要求を１つまたは複数のセル外ＵＥに送信するための電気構成要素２６０６をも含むことができる。論理または物理グルーピング２６０２は、１つまたは複数のセル外ＵＥが干渉管理要求を受信することに応答して、セル外ＵＥのうちの１つまたは複数から意図された送信電力を示す情報を受信するための電気構成要素２６０８をも含むことができる。論理または物理グルーピング２６０２は、セル中のＵＥからのデータの送信をスケジュールするための電気構成要素２６１０をも含むことができ、スケジュールすることは、意図された送信電力を示す情報に基づく。
【０３４５】
いくつかの実施形態では、セル中のＵＥからのデータの送信をスケジュールすることは、セル中のＵＥに向けられる判断されたトラフィック優先度に基づく。いくつかの実施形態では、セル中のＵＥからのデータの送信をスケジュールすることは、セル中のＵＥに関連する干渉情報に基づく。
【０３４６】
いくつかの実施形態では、干渉情報は、セル中のＵＥに割り当てられたリソース上の干渉インシデント、またはセル中のＵＥがセル外ＢＳに対して引き起こす干渉を含むことができる。
【０３４７】
論理または物理グルーピング２６０２は、記憶するための電気構成要素２６１２をも含むことができる。記憶するための電気構成要素２６１２は、バッファ・ステータス、干渉管理要求、意図された送信電力、および／またはスケジューリング情報を示す情報を記憶するように構成され得る。
【０３４８】
図２７は、本明細書に記載する様々な態様による、干渉管理を可能にするための例示的なシステムのブロック図である。システム２７００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２７００は、干渉管理を可能にするための電気構成要素の論理または物理グルーピング２７０２を含むことができる。
【０３４９】
電気構成要素は、連携して働くことができる。たとえば、論理または物理グルーピング２７０２は、送信がそれに対してスケジュールされ得る第１のセル中のＵＥに対する利益を判断するための電気構成要素２７０４を含むことができる。論理または物理グルーピング２７０２は、送信に伴う劣化を判断するための電気構成要素２７０６をも含むことができる。上記劣化は、第２のセル中のＵＥに対する劣化とすることができる。第２のセルは第１のセルとは異なることがある。上記劣化は、第２のセル中のＢＳにおける干渉から生じ、第１のセル中のＵＥによって引き起こされることがある。
【０３５０】
論理または物理グルーピング２７０２は、上記利益を上記劣化と比較するための電気構成要素２７０８をも含むことができる。論理または物理グルーピング２７０２は、第１のセル中のＵＥに対する利益が第２のセル中のＵＥに対する劣化よりも大きい場合、第１のセル中のＵＥによる送信をスケジュールするための電気構成要素２７１０をも含むことができる。
【０３５１】
論理または物理グルーピング２７０２は、記憶するための電気構成要素２７１２をも含むことができる。記憶するための電気構成要素２７０２は、スケジューリング情報、ＵＥに対する利益および／または劣化、ならびに／あるいは上記利益と上記劣化との比較を示す情報を記憶するように構成され得る。
【０３５２】
図２８は、本明細書に記載する様々な態様による、干渉管理を可能にするための例示的なシステムのブロック図である。システム２８００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２８００は、干渉管理を可能にするための電気構成要素の論理または物理グルーピング２８０２を含むことができる。
【０３５３】
電気構成要素は、連携して働くことができる。たとえば、論理または物理グルーピング２８０２は、ＢＳがＢＳの送信電力を低下させるときのセル外ＵＥに対する利益を判断するための電気構成要素２８０４を含むことができる。
【０３５４】
論理または物理グルーピング２８０２は、ＢＳが高電力で送信するときのセル内のＵＥに対する利益を判断するための電気構成要素２８０６をも含むことができる。
【０３５５】
論理または物理グルーピング２８０２は、セル外ＵＥに対する利益をセル内のＵＥに対する利益と比較するための電気構成要素２８０８をも含むことができる。
【０３５６】
論理または物理グルーピング２８０２は、記憶するための電気構成要素２８１０をも含むことができる。記憶するための電気構成要素２８０２は、セル外ＵＥに対する利益、セル内のＵＥに対する利益、および／またはそれらの利益の比較を示す情報を記憶するように構成され得る。
【０３５７】
図２９は、本明細書に記載する様々な態様による、干渉管理を可能にするための例示的なシステムのブロック図である。システム２９００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２９００は、干渉管理を可能にするための電気構成要素の論理または物理グルーピング２９０２を含むことができる。
【０３５８】
電気構成要素は、連携して働くことができる。たとえば、論理または物理グルーピング２９０２は、１つまたは複数の異なる電力レベルの場合の、セル内のＵＥと１つまたは複数のセル外ＵＥとに対する総利益を計算するための電気構成要素２９０４を含むことができる。
【０３５９】
論理または物理グルーピング２９０２は、セル内のＵＥと１つまたは複数のセル外ＵＥとに対する総利益を最適化する電力レベルを選択するための電気構成要素２９０６をも含むことができる。
【０３６０】
論理または物理グルーピング２９０２は、記憶するための電気構成要素２９０８をも含むことができる。記憶するための電気構成要素２９０２は、１つまたは複数の異なる電力レベルの場合の、セル内のＵＥと１つまたは複数のセル外ＵＥとに対する総利益、および／またはセル内のＵＥと１つまたは複数のセル外ＵＥとに対する総利益を最適化する電力レベルを示す情報を記憶するように構成され得る。
【０３６１】
図３０は、本明細書に記載する様々な態様による、干渉管理を可能にするための例示的なシステムのブロック図である。システム３０００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム３０００は、干渉管理を可能にするための電気構成要素の論理または物理グルーピング３００２を含むことができる。
【０３６２】
電気構成要素は、連携して働くことができる。たとえば、論理または物理グルーピング３００２は、リソースを求めて競合するＵＥの第１のセットを判断するための電気構成要素３００４を含むことができる。
【０３６３】
いくつかの実施形態では、リソースを求めて競合するＵＥの第１のセットを判断することは、セル中の１つまたは複数のＵＥのバッファ状態を判断すること、セル中の１つまたは複数のＵＥの有効チャネル品質インジケータを判断すること、または１つまたは複数のＵＥと１つまたは複数のＢＳとの間のチャネル利得情報を判断することのうちの少なくとも１つを備える。
【０３６４】
いくつかの実施形態では、リソースを求めて競合するＵＥの第１のセットを判断することは、セル中の１つまたは複数の他のＵＥに関連する利益のレベルよりも大きいレベルで利益を得る、セル中の１つまたは複数のＵＥを判断することを備える。
【０３６５】
いくつかの実施形態では、リソースを求めて競合するＵＥの第１のセットを判断することは、セル中の１つまたは複数のＵＥに関連するトラフィック優先度を判断することを備え、セル中の１つまたは複数のＵＥに関連するトラフィック優先度を判断することは、セル中の１つまたは複数のＵＥに関連するトラフィック・タイプを判断することと、セル中の１つまたは複数のＵＥのバッファ状態を判断することと、セル中の１つまたは複数のＵＥに関連する１つまたは複数のパラメータを、セル中の１つまたは複数のＵＥに関連するトラフィックの１つまたは複数のフローの優先度メトリックにマッピングすることと、選択されたしきい値よりも大きい優先度メトリックを有する、セル中の１つまたは複数のＵＥのうちの複数を、リソースを求めて競合するＵＥの第１のセットとして選択することとを備える。
【０３６６】
いくつかの実施形態では、セル中の１つまたは複数のＵＥのバッファ状態は、セル中の１つまたは複数のＵＥに関連する１つまたは複数のパラメータに基づき、１つまたは複数のパラメータは、セル中のＵＥのヘッド・オブ・ライン遅延、セル中のＵＥのパケット遅延、セル中のＵＥのキュー長さ、セル中のＵＥのシステム・リセレクション、またはセル中のＵＥのキューが過去にサービスされた平均レートを含む。
【０３６７】
いくつかの実施形態では、リソースを求めて競合するＵＥの第１のセットを判断することは、セル中の１つまたは複数のＵＥに関連するトラフィック優先度を判断することを備え、セル中の１つまたは複数のＵＥに関連するトラフィック優先度を判断することは、セル中の１つまたは複数のＵＥに関連するトラフィック・タイプを判断することと、セル中の１つまたは複数のＵＥのバッファ状態を判断することと、セル中の１つまたは複数のＵＥに関連する１つまたは複数のパラメータを、セル中の１つまたは複数のＵＥに関連するトラフィックの１つまたは複数のフローの優先度メトリックにマッピングすることと、セル中の１つまたは複数のＵＥの第２のセットの優先度メトリックよりも大きい優先度メトリックを有する、セル中の１つまたは複数のＵＥのうちの複数を、リソースを求めて競合するＵＥの第１のセットとして選択することとを備える。いくつかの実施形態では、セル中の１つまたは複数のＵＥのバッファ状態は、セル中の１つまたは複数のＵＥに関連する１つまたは複数のパラメータに基づき、１つまたは複数のパラメータは、セル中のＵＥのヘッド・オブ・ライン遅延、セル中のＵＥのパケット遅延、セル中のＵＥのキュー長さ、セル中のＵＥのシステム・リセレクション、またはセル中のＵＥのキューが過去にサービスされた平均レートを含む。
【０３６８】
いくつかの実施形態では、バッファ状態は、セル中の１つまたは複数のＵＥの１つまたは複数の論理チャネルのバッファ状態である。
【０３６９】
いくつかの実施形態では、リソースを求めて競合するＵＥの第１のセットを判断することは、セル中の１つまたは複数のＵＥに関連するトラフィック優先度を判断することを備え、セル中の１つまたは複数のＵＥに関連するトラフィック優先度を判断することは、セル中の１つまたは複数のＵＥに関連するトラフィック・タイプを判断することと、セル中の１つまたは複数のＵＥのバッファ状態を判断することであって、セル中の１つまたは複数のＵＥのバッファ状態が、セル中の１つまたは複数のＵＥに関連する１つまたは複数のパラメータに基づき、１つまたは複数のパラメータが、セル中のＵＥのヘッド・オブ・ライン遅延、セル中のＵＥのパケット遅延、セル中のＵＥのキュー長さ、セル中のＵＥのシステム・リセレクション、またはセル中のＵＥのキューが過去にサービスされた平均レートを含む、判断することと、セル中の１つまたは複数のＵＥに関連する１つまたは複数のパラメータを、セル中の１つまたは複数のＵＥに関連するトラフィックの１つまたは複数のフローの優先度メトリックにマッピングすることと、セル中の１つまたは複数のＵＥのうちの複数を、リソースを求めて競合するＵＥの第１のセットとして選択することであって、選択することは、調整メッセージが送信されないときの予想される信号対干渉雑音比、調整メッセージが送信されるときの予想される信号対干渉雑音比、サービス品質クラス識別子ラベル、またはバッファ状態のうちの１つまたは複数に基づいて実行され、バッファ状態が、ヘッド・オブ・ライン遅延、パケット遅延、システム・リセレクション、キュー長さ、キューサイズ、平均レート、またはセル中のＵＥのキューが過去にサービスされた平均レートのうちの１つまたは複数によって示される、選択することと、を備える。
【０３７０】
いくつかの実施形態では、調整メッセージが送信されないときの予想される信号対干渉雑音比は、チャネル品質インジケータ報告を介して取得される。
【０３７１】
いくつかの実施形態では、調整メッセージが送信されるときの予想される信号対干渉雑音比は、測定報告に基づいて１つまたは複数の異なるＢＳにおいて受ける干渉を判断することによって取得される。
【０３７２】
いくつかの実施形態では、バッファ状態は、セル中の１つまたは複数のＵＥの１つまたは複数の論理チャネルのバッファ状態である。
【０３７３】
いくつかの実施形態では、リソースを求めて競合するＵＥの第１のセットを判断することは、ＵＥの第１のセットのうちの１つのＵＥのための調整メッセージが近隣セル中のＢＳに送信された場合、上記ＵＥが受ける可能性のある干渉の量を判断することを備える。
【０３７４】
いくつかの実施形態では、リソースを求めて競合するＵＥの第１のセットを判断することは、ＵＥの第１のセットのうちの上記ＵＥに対する利益が、選択されたしきい値よりも大きいかどうかを判断することと、上記利益が選択されたしきい値よりも大きい場合、ＵＥの第１のセットのうちの上記ＵＥを選択することとを備える。
【０３７５】
いくつかの実施形態では、リソースを求めて競合するＵＥの第１のセットを判断することは、ＵＥの第１のセットのうちの上記ＵＥに対する利益が、ＵＥの第２のセットに対する利益よりも大きいかどうかを判断することと、上記利益がＵＥの第２のセットよりも大きい場合、ＵＥの第１のセットのうちの上記ＵＥを選択することとを備える。
【０３７６】
いくつかの実施形態では、ＵＥの第２のセットのＵＥのうちの１つまたは複数は、ＵＥの第１のセット中に含まれる。
【０３７７】
いくつかの実施形態では、ＵＥの第１のセットは、１次セットと２次セットとを含み、１次セットは、ＵＥの第１のセットのうち、第１の値を有するチャネル品質インジケータまたはトラフィック優先度に関連するＵＥを含み、２次セットは、ＵＥの第１のセットのうち、第２の値を有するチャネル品質インジケータまたはトラフィック優先度に関連するＵＥを含み、第１の値は第２の値よりも大きく、ＵＥの第２のセットは１次セットである。
【０３７８】
論理または物理グルーピング３００２は、ＵＥの第１のセットによる１つまたは複数の調整メッセージの送信をスケジュールするための電気構成要素３００６をも含むことができる。
【０３７９】
いくつかの実施形態では、１つまたは複数の調整メッセージは、リソースを求めて競合するＵＥの第１のセットによる、リソースについての要求を示す情報を含む干渉管理要求である。
【０３８０】
論理または物理グルーピング３００２は、リソースを求めて競合するＵＥの第１のセットのうちの少なくとも１つから干渉情報を受信するための電気構成要素３００８をも含むことができる。
【０３８１】
いくつかの実施形態では、リソースを求めて競合するＵＥの第１のセットのうちの少なくとも１つからの干渉情報は、１つまたは複数のＢＳからの有効チャネル品質インジケータまたは送信電力レベルのうちの少なくとも１つを含む。
【０３８２】
いくつかの実施形態では、リソースを求めて競合するＵＥの第１のセットのうちの少なくとも１つからの干渉情報は、１つまたは複数のＢＳのうちの少なくとも１つによる送信におけるバックオフを示す情報を含む。
【０３８３】
論理または物理グルーピング３００２は、情報を送信するためのＵＥの第２のセットを判断するための電気構成要素３０１０をも含むことができる。いくつかの実施形態では、情報を送信するためのＵＥの第２のセットを判断することは、干渉情報、セル外ＵＥに対してＢＳのために行われた干渉コミットメント、リソースを求めて競合するＵＥの第１のセットのうちの少なくとも１つについてのチャネル品質インジケータまたはトラフィック優先度のうちの１つまたは複数を判断することに応答する。
【０３８４】
いくつかの実施形態では、データを送信するためのＵＥの第２のセットを判断することは、選択されたしきい値よりも小さい予測される干渉を有する複数のＵＥを選択することを備える。
【０３８５】
いくつかの実施形態では、データを送信するためのＵＥの第２のセットを判断することは、トラフィック優先度または品質チャネル・インジケータのうちの１つまたは複数に基づいて複数のＵＥを選択することをさらに備える。
【０３８６】
論理または物理グルーピング３００２は、ＵＥの第２のセットによる情報の送信をスケジュールするための電気構成要素３０１２をも含むことができる。いくつかの実施形態では、ＵＥの第２のセットによる情報の送信をスケジュールすることは、情報を送信するためのＵＥの第２のセットにダウンリンク送信許可を送信することを備える。
【０３８７】
論理または物理グルーピング３００２は、記憶するための電気構成要素３０１４をも含むことができる。記憶するための電気構成要素３００２は、干渉情報、スケジューリング情報、および／または調整メッセージを示す情報を記憶するように構成され得る。
【０３８８】
図３１は、本明細書に記載する様々な態様による、干渉管理を可能にするための例示的なシステムのブロック図である。システム３１００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム３１００は、干渉管理を可能にするための電気構成要素の論理または物理グルーピング３１０２を含むことができる。
【０３８９】
電気構成要素は、連携して働くことができる。たとえば、論理または物理グルーピング３１０２は、リソースを求めて競合するためのスケジューリング情報を受信するための電気構成要素３１０４を含むことができる。
【０３９０】
いくつかの実施形態では、リソースを求めて競合するためのスケジューリング情報は、選択されたしきい値よりも大きいレベルでＵＥが利益を得るかどうかを判断すること、セル中の１つまたは複数のＵＥのバッファ状態を判断すること、セル中の１つまたは複数のＵＥの有効チャネル品質インジケータを判断すること、またはセル中の１つまたは複数のＵＥと１つまたは複数のＢＳとの間のチャネル利得情報を判断することのうちの少なくとも１つに応答して、ＵＥにおいて受信される。
【０３９１】
いくつかの実施形態では、リソースを求めて競合するためのスケジューリング情報は、別のＵＥに対する利益よりも大きいレベルでＵＥが利益を得ると判断することに応答して、別のＵＥにおいてではなく、ＵＥにおいて受信される。
【０３９２】
いくつかの実施形態では、リソースを求めて競合するためのスケジューリング情報は、ＵＥにおけるトラフィック優先度が選択されたしきい値を上回るという判断に応答して、ＵＥにおいて受信され、ＵＥにおけるトラフィック優先度が選択されたしきい値を上回るという判断は、ＵＥに関連するトラフィック・タイプを判断することと、ＵＥのバッファ状態を判断することであって、ＵＥのバッファ状態が、ＵＥに関連する１つまたは複数のパラメータに基づく、判断することと、ＵＥに関連する１つまたは複数のパラメータを、ＵＥに関連するトラフィックの１つまたは複数のフローの優先度メトリックにマッピングすることと、を備える。
【０３９３】
いくつかの実施形態では、ＵＥに関連する１つまたは複数のパラメータのうちの少なくとも１つは、ＢＳにおける、ＵＥの論理チャネルにバッファされるトラフィックについてのヘッド・オブ・ライン遅延である。
【０３９４】
いくつかの実施形態では、ＵＥにおけるヘッド・オブ・ライン遅延は、ＵＥから送信されるべき情報量、選択された数の過去のサブフレームにわたってＵＥへの送信のためにスケジュールされるべき情報量、またはＵＥにおける論理チャネル・グループから受信された情報量のうちの少なくとも１つに基づいて計算される。
【０３９５】
論理または物理グルーピング３１０２は、１つまたは複数の調整メッセージを１つまたは複数のＢＳに送信するための電気構成要素３１０６をも含むことができる。いくつかの実施形態では、１つまたは複数の調整メッセージを１つまたは複数のＢＳに送信することは、リソースを求めて競合するためのスケジューリング情報を受信することに応答する。
【０３９６】
いくつかの実施形態では、１つまたは複数のＢＳへの１つまたは複数の調整メッセージは、リソースについての要求を示す情報を含む干渉管理要求である。
【０３９７】
いくつかの実施形態では、１つまたは複数の調整メッセージの各々は、ＵＥのトラフィック優先度、ＢＳからＵＥへのチャネルの強度、サービングＢＳからＵＥへのチャネルの強度、またはＵＥが受けることを望む干渉の量のうちの１つまたは複数を含む。
【０３９８】
いくつかの実施形態では、ＵＥのトラフィック優先度は、サービス品質特性、サービス品質クラス識別子ラベル、ＵＥが過去にサービスされた平均レート、送信を待っているバッファ中のパケットの遅延数、ヘッド・オブ・ライン遅延、バイトでのバッファ長、またはパケット数でのバッファ長のうちの１つまたは複数に基づく。
【０３９９】
論理または物理グルーピング３１０２は、１つまたは複数のＢＳのうちの少なくとも１つから干渉情報を受信するための電気構成要素３１０８をも含むことができる。
【０４００】
いくつかの実施形態では、１つまたは複数のＢＳのうちの少なくとも１つからの干渉情報は、１つまたは複数のＢＳからの有効チャネル品質インジケータまたは送信電力レベルのうちの少なくとも１つを含む。
【０４０１】
いくつかの実施形態では、１つまたは複数のＢＳのうちの少なくとも１つからの干渉情報は、１つまたは複数のＢＳのうちの少なくとも１つによる送信におけるバックオフを示す情報を含む。
【０４０２】
論理または物理グルーピング３１０２は、１つまたは複数のＢＳのうちの少なくとも１つからの予測される干渉を判断するために干渉情報をサービングＢＳに送信するための電気構成要素３１１０をも含むことができる。
【０４０３】
論理または物理グルーピング３１０２は、予測される干渉が選択されたしきい値よりも小さいことに応答して、情報の送信のためのスケジューリング情報を受信するための電気構成要素３１１２をも含むことができる。
【０４０４】
論理または物理グルーピング３１０２は、記憶するための電気構成要素３１１４をも含むことができる。記憶するための電気構成要素３１０２は、干渉情報、スケジューリング情報、および／または調整メッセージを示す情報を記憶するように構成され得る。
【０４０５】
図３２は、本明細書に記載する様々な態様による、干渉管理を可能にするための例示的なシステムのブロック図である。システム３２００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム３２００は、干渉管理を可能にするための電気構成要素の論理または物理グルーピング３２０２を含むことができる。
【０４０６】
電気構成要素は、連携して働くことができる。たとえば、論理または物理グルーピング３２０２は、いくつかの送信属性を用いて基地局が送信するときのセル外ユーザ機器に対する利益をセル内の基地局が判断するための電気構成要素３２０４であって、送信属性が、送信電力、ビーム・フォーミング・ベクトルまたは多入力多出力送信のうちの少なくとも１つである、電気構成要素３２０４を含むことができる。論理または物理グルーピング３２０２は、いくつかの送信属性を用いて基地局が送信するときのセル内のユーザ機器に対する利益を基地局が判断するための電気構成要素３２０６をも含むことができる。
【０４０７】
論理または物理グルーピング３２０２は、セル外ユーザ機器とセル内のユーザ機器とに対する総利益を基地局が判断するための電気構成要素３２０８をも含むことができる。
【０４０８】
論理または物理グルーピング３２０２は、記憶するための電気構成要素３２１０をも含むことができる。記憶するための電気構成要素３２１０は、送信属性などを記憶するように構成され得る。
【０４０９】
図３３は、本明細書に記載する様々な態様による、干渉管理を可能にするための例示的なシステムのブロック図である。システム３３００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム３３００は、干渉管理を可能にするための電気構成要素の論理または物理グルーピング３３０２を含むことができる。
【０４１０】
電気構成要素は、連携して働くことができる。たとえば、論理または物理グルーピング３３０２は、リソースを求めて競合するユーザ機器の第１のセットをサービング基地局が判断するための電気構成要素３３０４を含むことができる。論理または物理グルーピング３３０２は、ユーザ機器の第１のセットによる１つまたは複数の調整メッセージの送信をサービング基地局がスケジュールするための電気構成要素３３０６をも含むことができる。
【０４１１】
論理または物理グルーピング３３０２は、ユーザ機器の第１のセットから干渉情報をサービング基地局が受信するための電気構成要素３３０８をも含むことができる。論理または物理グルーピング３３０２は、情報を送信するためのユーザ機器の第２のセットをサービング基地局が判断するための電気構成要素３３１０をも含むことができる。
【０４１２】
論理または物理グルーピング３３０２は、ユーザ機器の第２のセットに対して情報の送信をサービング基地局がスケジュールするための電気構成要素３３１２をも含むことができる。
【０４１３】
論理または物理グルーピング３３０２は、情報、干渉情報、および／または調整メッセージを記憶するための電気構成要素３３１４をも含むことができる。
【０４１４】
いくつかの実施形態では、ユーザ機器の第２のセットのユーザ機器のうちの１つまたは複数は、ユーザ機器の第１のセット中に含まれる。ユーザ機器の第１のセットは１次セットと２次セットとを含むことができ、１次セットは、ユーザ機器の第１のセットのうち、干渉基地局が電力を低下させる場合に推定されるチャネル品質インジケータから判断される信号対干渉雑音比、干渉基地局が電力を低下させない場合に推定されるチャネル品質インジケータから判断される信号対干渉雑音比、トラフィック優先度、またはユーザ機器に対する利益のうちの少なくとも１つを有するユーザ機器を含む。
【０４１５】
いくつかの実施形態では、１つまたは複数の調整メッセージは、ユーザ機器の第１のセットによる、リソースを求めて競合したいという要求を示す情報を含む干渉管理要求である。
【０４１６】
いくつかの実施形態では、リソースを求めて競合するユーザ機器の第１のセットのうちの少なくとも１つからの干渉情報は、１つまたは複数の基地局からの送信電力レベル、１つまたは複数の基地局のうちの少なくとも１つによる送信におけるバックオフを示す情報、あるいは１つまたは複数のパイロットの電力から判断される信号対干渉雑音比またはチャネル品質インジケータを示す情報のうちの少なくとも１つを含む。
【０４１７】
いくつかの実施形態では、ユーザ機器の第２のセットに対して情報の送信をスケジュールすることは、情報を送信するためのユーザ機器の第２のセットにダウンリンク送信許可を送信することを備える。
【０４１８】
いくつかの実施形態では、データを送信するためのユーザ機器の第２のセットを判断することは、トラフィック優先度、ユーザ機器から受信した調整メッセージに応答して干渉基地局によってシグナリングされるパイロットのうちの少なくとも１つに基づいて干渉を測定した結果としてユーザ機器において計算された信号対干渉雑音比、またはチャネル品質インジケータを計算するために使用されるパイロットに基づいて計算された信号対干渉雑音比のうちの少なくとも１つに基づいて、複数のユーザ機器を選択することをさらに備える。
【０４１９】
いくつかの実施形態では、データを送信するためのユーザ機器の第２のセットを判断することは、選択されたしきい値よりも小さい予測される干渉または選択されたしきい値よりも大きい信号対干渉雑音比を有する複数のユーザ機器を選択することを備える。いくつかの実施形態では、リソースを求めて競合するユーザ機器の第１のセットを判断することは、セル中の１つまたは複数の他のユーザ機器に関連する利益のレベルよりも大きいレベルで利益を得る、セル中の１つまたは複数のユーザ機器を判断することを備える。いくつかの実施形態では、リソースを求めて競合するユーザ機器の第１のセットを判断することは、ユーザ機器の第１のセットのうちの１つのユーザ機器のための調整メッセージが近隣セル中の基地局に送信された場合、上記ユーザ機器が受ける可能性のある干渉の量を判断することを備える。
【０４２０】
いくつかの実施形態では、リソースを求めて競合するユーザ機器の第１のセットを判断することは、ユーザ機器の第１のセットのうちの上記ユーザ機器に対する利益が、選択されたしきい値よりも大きいかどうかを判断することと、上記利益が選択されたしきい値よりも大きい場合、ユーザ機器の第１のセットのうちの上記ユーザ機器を選択することとを備える。
【０４２１】
いくつかの実施形態では、リソースを求めて競合するユーザ機器の第１のセットを判断することは、ユーザ機器の第１のセットのうちの上記ユーザ機器に対する利益が、ユーザ機器の第２のセットに対する利益よりも大きいかどうかを判断することと、上記利益がユーザ機器の第２のセットよりも大きい場合、ユーザ機器の第１のセットのうちの上記ユーザ機器を選択することとを備える。
【０４２２】
いくつかの実施形態では、リソースを求めて競合するユーザ機器の第１のセットを判断することは、セル中の１つまたは複数のユーザ機器に関連するトラフィック優先度を判断することを備え、セル中の１つまたは複数のユーザ機器に関連するトラフィック優先度を判断することは、セル中の１つまたは複数のユーザ機器に関連するトラフィック・タイプを判断することと、セル中の１つまたは複数のユーザ機器のバッファ状態を判断することであって、セル中の１つまたは複数のユーザ機器のバッファ状態が、セル中の１つまたは複数のユーザ機器に関連する１つまたは複数のパラメータに基づき、１つまたは複数のパラメータが、セル中のユーザ機器のヘッド・オブ・ライン遅延、セル中のユーザ機器のパケット遅延、セル中のユーザ機器のキュー長さ、セル中のユーザ機器のシステム・リセレクション、またはセル中のユーザ機器のキューが過去にサービスされた平均レートを含む、判断することと、セル中の１つまたは複数のユーザ機器に関連する１つまたは複数のパラメータを、セル中の１つまたは複数のユーザ機器に関連するトラフィックの１つまたは複数のフローの優先度メトリックにマッピングすることと、リソースを求めて競合するユーザ機器の第１のセットとして選択することとを備える。
【０４２３】
いくつかの実施形態では、サービング基地局が、１つまたは複数の調整メッセージを送信するようにユーザ機器をスケジュールするときに、トラフィック優先度がユーザ機器に送信される。
【０４２４】
いくつかの実施形態では、選択することは、１つまたは複数のユーザ機器の第２のセットの優先度メトリックよりも大きい優先度メトリック、調整メッセージが送信されないときの予想される信号対干渉雑音比、調整メッセージが送信されるときの予想される信号対干渉雑音比、サービス品質クラス識別子ラベル、またはバッファ状態のうちの１つまたは複数に基づいて実行され、バッファ状態は、ヘッド・オブ・ライン遅延、パケット遅延、システム・リセレクション、キュー長さ、キューサイズ、平均レート、またはセル中のユーザ機器のキューが過去にサービスされた平均レートのうちの１つまたは複数によって示される。
【０４２５】
いくつかの実施形態では、リソースを求めて競合するユーザ機器の第１のセットとして選択することは、選択されたしきい値よりも大きい優先度メトリックを有する、セル中の１つまたは複数のユーザ機器のうちの複数を選択することを備える。いくつかの実施形態では、バッファ状態は、セル中の１つまたは複数のユーザ機器の１つまたは複数の論理チャネルのバッファ状態である。いくつかの実施形態では、調整メッセージが送信されないときの予想される信号対干渉雑音比は、チャネル品質インジケータ報告を介して取得される。
【０４２６】
いくつかの実施形態では、調整メッセージが送信されるときの予想される信号対干渉雑音比は、ユーザ機器よって報告された過去の干渉の履歴、またはユーザ機器から基地局への１つまたは複数の測定報告のうちの少なくとも１つを介して取得される。
【０４２７】
図３４は、本明細書に記載する様々な態様による、干渉管理を可能にするための例示的なシステムのブロック図である。システム３４００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム３４００は、干渉管理を可能にするための電気構成要素の論理または物理グルーピング３４０２を含むことができる。
【０４２８】
電気構成要素は、連携して働くことができる。たとえば、論理または物理グルーピング３４０２は、リソースを求めて競合するユーザ機器の第１のセットをサービング基地局が判断するための電気構成要素３４０４を含むことができる。論理または物理グルーピング３４０２は、セル外ユーザ機器に対する１つまたは複数の調整メッセージの送信をサービング基地局がスケジュールするための電気構成要素３４０６を含むことができる。
【０４２９】
論理または物理グルーピング３４０２は、干渉情報をサービング基地局が受信するための電気構成要素３４０８を含むことができる。論理または物理グルーピング３４０２は、情報を送信するためのユーザ機器の第２のセットをサービング基地局が判断するための電気構成要素３４１０を含むことができ、情報を送信するためのユーザ機器の第２のセットを判断することは、干渉情報、またはユーザ機器の第１のセットのために行われた干渉コミットメントのうちの１つまたは複数を判断することに応答する。
【０４３０】
論理または物理グルーピング３４０２は、ユーザ機器の第２のセットによる情報の送信をサービング基地局がスケジュールするための電気構成要素３４１２を含むことができる。いくつかの実施形態では、ユーザ機器の第２のセットのうちの１つまたは複数のユーザ機器は、ユーザ機器の第１のセット中に含まれる。
【０４３１】
論理または物理グルーピング３４０２は、記憶するための電気構成要素３４１２を含むことができる。
【０４３２】
図３５は、本明細書に記載する様々な態様による、干渉管理を可能にするための例示的なシステムのブロック図である。システム３５００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム３５００は、干渉管理を可能にするための電気構成要素の論理または物理グルーピング３５０２を含むことができる。
【０４３３】
電気構成要素は、連携して働くことができる。たとえば、論理または物理グルーピング３５０２は、ユーザ機器における１つまたは複数の論理チャネル・グループのバッファ・ステータスを示す情報を、セル中のユーザ機器をサービスするセル中の基地局が受信するための電気構成要素３５０４を含むことができる。
【０４３４】
論理または物理グルーピング３５０２は、干渉管理要求を１つまたは複数のセル外ユーザ機器に基地局が送信するための電気構成要素３５０６を含むことができる。
【０４３５】
論理または物理グルーピング３５０２は、１つまたは複数のセル外ユーザ機器が干渉管理要求を受信することに応答して、１つまたは複数のセル外ユーザ機器からの意図された送信電力を示す情報と、セル中のユーザ機器による電力コミットメントとを基地局が受信するための電気構成要素３５０８を含むことができる。
【０４３６】
論理または物理グルーピング３５０２は、セル中のユーザ機器からのデータの送信を基地局がスケジュールするための電気構成要素３５１０を含むことができ、スケジュールすることは、意図された送信電力を示す情報に基づく。
【０４３７】
論理または物理グルーピング３５０２は、意図された送信電力、スケジューリング情報、および／または干渉管理要求を示す情報を記憶するための電気構成要素３５１２を含むことができる。
【０４３８】
図３６は、本明細書に記載する様々な態様による、干渉管理を可能にするための例示的なシステムのブロック図である。システム３６００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム３６００は、干渉管理を可能にするための電気構成要素の論理または物理グルーピング３６０２を含むことができる。
【０４３９】
電気構成要素は、連携して働くことができる。たとえば、論理または物理グルーピング３６０２は、１つまたは複数の論理チャネル・グループを有するユーザ機器からバッファ・ステータス報告をサービング基地局が受信するための電気構成要素３６０４を含むことができる。
【０４４０】
論理または物理グルーピング３６０２は、１つまたは複数の論理チャネル・グループのうちの少なくとも１つについての第１の優先度メトリックと第１の優先ビットレートとをサービング基地局が構成するための電気構成要素３６０６を含むことができ、１つまたは複数の論理チャネル・グループのうちの少なくとも１つについての第１の優先度メトリックと第１の優先ビットレートとを構成することは、バッファ・ステータス報告中に含まれる情報に応答する。
【０４４１】
論理または物理グルーピング３６０２は、ユーザ機器における干渉をサービング基地局が判断するための電気構成要素３６０８を含むことができる。論理または物理グルーピング３６０２は、ユーザ機器における干渉を判断することに応答して、１つまたは複数の論理チャネル・グループのうちの少なくとも１つについての第１の優先度メトリックと第１の優先ビットレートとをサービング基地局が再構成するための電気構成要素３６１０を含むことができる。
【０４４２】
論理または物理グルーピング３６０２は、優先度メトリック、優先ビットレート、論理チャネル・グループ情報、および／またはバッファ・ステータス報告を記憶するための電気構成要素３６１２を含むことができる。
【０４４３】
いくつかの実施形態では、第１の優先ビットレートは、ヘッド・オブ・ライン遅延、バッファ中のパケット数、関連するユーザ機器からサービング基地局へのチャネルの強度、ユーザ機器から非サービング基地局へのチャネルの１つまたは複数の強度、または論理チャネル・グループに関連するトラフィックのサービス品質特性のうちの１つまたは複数に基づく。いくつかの実施形態では、第１の優先ビットレートを構成することは、無線リソース制御シグナリングを介して実行される。
【０４４４】
いくつかの実施形態では、第１の優先度メトリックまたは第２の優先度メトリックは、論理チャネル・グループの優先度、推定されるヘッド・オブ・ライン遅延、推定されるキュー長さ、推定されるパケット遅延、推定されるシステム・リセレクション、キューが過去にサービスされた推定される平均レートのうちの１つまたは複数に基づく。
【０４４５】
図３７は、本明細書に記載する様々な態様による、干渉管理を可能にするための例示的なシステムのブロック図である。システム３７００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム３７００は、干渉管理を可能にするための電気構成要素の論理または物理グルーピング３７０２を含むことができる。
【０４４６】
電気構成要素は、連携して働くことができる。たとえば、論理または物理グルーピング３７０２は、ユーザ機器における１つまたは複数の論理チャネル・グループのヘッド・オブ・ライン遅延を基地局が判断するための電気構成要素３７０４を含むことができ、ユーザ機器における１つまたは複数の論理チャネル・グループのヘッド・オブ・ライン遅延を判断することは、ユーザ機器における１つまたは複数の論理チャネル・グループ中のバイト数を推定すること、物理ダウンリンク制御チャネルを通してユーザ機器のためにスケジュールされているが、サービング基地局において正常に復号されていない、バイト数を推定すること、またはサービング基地局における無線リンク・コントローラからのフィードバックを評価することであって、フィードバックが、ユーザ機器における１つまたは複数の論理チャネル・グループから正常に受信されたバイト数を示す、評価することを備える。
【０４４７】
論理または物理グルーピング３７０２は、ヘッド・オブ・ライン遅延、論理チャネル・グループ情報、論理チャネル・グループ中のバイト、スケジューリング情報、フィードバック情報および／または無線リンク情報を記憶するための電気構成要素３７０６を含むことができる。
【０４４８】
図３８は、本明細書に記載する様々な態様による、干渉管理を可能にするための例示的なシステムのブロック図である。システム３８００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム３８００は、干渉管理を可能にするための電気構成要素の論理または物理グルーピング３８０２を含むことができる。
【０４４９】
電気構成要素は、連携して働くことができる。たとえば、論理または物理グルーピング３８０２は、１つまたは複数の論理チャネル・グループを有するユーザ機器からバッファ・ステータス報告をユーザ機器が送信するための電気構成要素３８０４を含むことができる。
【０４５０】
論理または物理グルーピング３８０２は、１つまたは複数の論理チャネル・グループのうちの少なくとも１つについての優先度メトリックと優先ビットレートとを構成するための情報をユーザ機器が受信するための電気構成要素３８０６を含むことができ、１つまたは複数の論理チャネル・グループのうちの少なくとも１つについての優先度メトリックと優先ビットレートとを構成することは、バッファ・ステータス報告中に含まれる情報に応答する。
【０４５１】
論理または物理グルーピング３８０２は、１つまたは複数の論理チャネル・グループを有するユーザ機器のためのサービング基地局が、１つまたは複数の論理チャネル・グループを有するユーザ機器における干渉を判断することに応答して、１つまたは複数の論理チャネル・グループのうちの少なくとも１つについての優先度メトリックと優先ビットレートとを再構成するための情報をユーザ機器が受信するための電気構成要素３８０８を含むことができる。いくつかの実施形態では、構成することは、無線リソース制御シグナリングを介して実行される。
【０４５２】
論理または物理グルーピング３８０２は、優先度メトリック、優先ビットレート、論理チャネル・グループ情報、干渉情報および／または無線リソース制御シグナリング情報を記憶するための電気構成要素３８１０を含むことができる。
【０４５３】
図３９は、本明細書に記載する様々な態様による、干渉管理を可能にするための例示的なシステムのブロック図である。システム３９００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム３９００は、干渉管理を可能にするための電気構成要素の論理または物理グルーピング３９０２を含むことができる。
【０４５４】
電気構成要素は、連携して働くことができる。たとえば、論理または物理グルーピング３９０２は、アップリンク上でスケジュールすべき第１のセルの１つまたは複数のユーザ機器を第１のセル中の基地局が選択するための電気構成要素３９０４を含むことができ、選択することは、第１のセルの１つまたは複数のユーザ機器によって第２のセルの１つまたは複数の基地局に対して引き起こされる干渉、第１のセルの１つまたは複数のユーザ機器についての干渉管理要求が送信された場合に受ける干渉、第１のセルの１つまたは複数のユーザ機器のトラフィック優先度、第１のセルの１つまたは複数のユーザ機器から基地局へのサービング・リンク利得、第１のセルの１つまたは複数のユーザ機器の瞬時バッファ状態、第１のセルの１つまたは複数のユーザ機器のチャネル品質インジケータ、第１のセルの１つまたは複数のユーザ機器のヘッド・オブ・ライン遅延のうちの１つまたは複数に基づく。
【０４５５】
論理または物理グルーピング３９０２は、干渉、トラフィック優先度、瞬時バッファ状態、チャネル品質インジケータ情報、サービング・リンク利得情報および／またはヘッド・オブ・ライン遅延情報を記憶するための電気構成要素３９０６を含むことができる。
【０４５６】
図４０は、本明細書に記載する様々な態様による、干渉管理を可能にするための例示的なシステムのブロック図である。システム４０００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム４０００は、干渉管理を可能にするための電気構成要素の論理または物理グルーピング４００２を含むことができる。
【０４５７】
電気構成要素は、連携して働くことができる。たとえば、論理または物理グルーピング４００２は、バッファ・ステータス要求を第１のセル中の基地局が受信するための電気構成要素４００４を含むことができる。論理または物理グルーピング４００２は、干渉管理要求を基地局が送信するための電気構成要素４００６であって、干渉管理要求がバッファ・ステータス要求に基づく、電気構成要素４００６を含むことができ、干渉管理要求を送信することは、バックホールを介して干渉管理要求を第２のセル中の基地局に送信することを備える。
【０４５８】
論理または物理グルーピング４００２は、干渉管理要求情報、バッファ・ステータス要求情報、および／またはバックホール情報を記憶するための電気構成要素４００８を含むことができる。
【０４５９】
図５Ａおよび図５Ｂに関して与えた装置の説明に加えて、装置の実施形態は、本明細書で説明および／または請求する方法の１つまたは複数のステップを実行するように構成されたモジュールを含むように構成され得る。さらに、コンピュータ・プログラム製品は、本明細書で説明および／または請求する方法の１つまたは複数のステップをコンピュータに実行させるための命令を有するコンピュータ可読媒体を含むことができる。
【０４６０】
ワイヤレス多元接続通信システムは、複数のワイヤレスアクセス端末のための通信を同時にサポートすることができる。上述のように、各端末は、順方向リンクおよび逆方向リンク上での送信を介して１つまたは複数のＢＳと通信することができる。順方向リンク（またはダウンリンク）とは、ＢＳから端末への通信リンクを指し、逆方向リンク（またはアップリンク）とは、端末からＢＳへの通信リンクを指す。この通信リンクは、単入力単出力システム、多入力多出力（ＭＩＭＯ）システム、または何らかの他のタイプのシステムを介して確立され得る。
【０４６１】
ＭＩＭＯシステムは、データ送信用の複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０４６２】
ＭＩＭＯシステムは時分割複信（ＴＤＤ）と周波数分割複信（ＦＤＤ）とをサポートすることができる。ＴＤＤシステムでは、順方向および逆方向リンク送信が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビーム・フォーミング利得を抽出することが可能になる。
【０４６３】
図４１に、本明細書で説明する実施形態が採用され得る例示的なワイヤレス通信システムを示す。本明細書の教示は、少なくとも１つの他のノードと通信するための様々な構成要素を採用するノード（たとえば、デバイス）に組み込まれ得る。図４１に、ノード間の通信を可能にするために採用され得るいくつかの例示的な構成要素を示す。特に、図４１に、ワイヤレス通信システム４１１０（たとえば、ＭＩＭＯシステム）のワイヤレスデバイス４１００（たとえば、アクセスポイント）とワイヤレスデバイス４１５０（たとえば、アクセス端末）とを示す。デバイス４１１０では、いくつかのデータ・ストリームのトラフィック・データが、データ・ソース４１１２から送信（ＴＸ）データ・プロセッサ４１１４に供給される。
【０４６４】
いくつかの態様では、各データ・ストリームは、それぞれの送信アンテナを介して送信される。ＴＸデータ・プロセッサ４１１４は、符号化データを供給するために、そのデータ・ストリーム用に選択された特定の符号化方式に基づいて、データ・ストリームごとにトラフィック・データをフォーマットし、符号化し、インターリーブする。
【０４６５】
各データ・ストリームの符号化データは、ＯＦＤＭ技法を使用してパイロットデータで多重化され得る。パイロットデータは、典型的には、知られている方法で処理され、チャネル応答を推定するために受信機システムにおいて使用され得ることが知られているデータパターンである。次いで、各データ・ストリームの多重化されたパイロットデータおよび符号化データは、変調シンボルを供給するために、そのデータ・ストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データ・ストリームのデータレート、符号化、および変調は、プロセッサ４１３０によって実行される命令によって判断され得る。データメモリ４１３２は、プロセッサ４１３０またはデバイス４１１０の他の構成要素によって使用されるプログラム・コード、データ、および他の情報を記憶し得る。
【０４６６】
次いで、すべてのデータ・ストリームの変調シンボルがＴＸ  ＭＩＭＯプロセッサ４１２０に供給され、ＴＸ  ＭＩＭＯプロセッサ４１２０はさらに（たとえば、ＯＦＤＭ用に）その変調シンボルを処理し得る。次いで、ＴＸ  ＭＩＭＯプロセッサ４１２０は、ＮT個の変調シンボル・ストリームをＮT個のトランシーバ（ＸＣＶＲ）４１２２Ａ〜４１２２Ｔに供給する。いくつかの態様では、ＴＸ  ＭＩＭＯプロセッサ４１２０は、データ・ストリームのシンボルと、シンボルの送信元のアンテナとにビーム・フォーミング重みを付加する。
【０４６７】
各トランシーバ４１２２は、それぞれのシンボル・ストリームを受信し、処理して、１つまたは複数のアナログ信号を供給し、さらに、それらのアナログ信号を調整（たとえば、増幅、フィルタリング、およびアップ・コンバート）して、ＭＩＭＯチャネルを介して送信するのに適した変調信号を供給する。次いで、トランシーバ４１２２Ａ〜４１２２ＴからのＮT個の変調信号は、それぞれ、ＮT個のアンテナ４１２４Ａ〜４１２４Ｔから送信される。
【０４６８】
デバイス４１５０では、送信された変調信号はＮR個のアンテナ４１５２Ａ〜４１５２Ｒによって受信され、各アンテナ４１５２からの受信信号は、それぞれのトランシーバ（ＸＣＶＲ）４１５４Ａ〜４１５４Ｒに供給される。各トランシーバ４１５４は、それぞれの受信信号を調整（たとえば、フィルタリング、増幅、およびダウン・コンバート）し、調整された信号をデジタル化して、サンプルを供給し、さらにそれらのサンプルを処理して、対応する「受信」シンボル・ストリームを供給する。
【０４６９】
次いで、受信（ＲＸ）データ・プロセッサ４１６０は、特定の受信機処理技法に基づいてＮR個のトランシーバ４１５４からＮR個の受信シンボル・ストリームを受信し、処理して、ＮT個の「検出」シンボル・ストリームを供給する。次いで、ＲＸデータ・プロセッサ４１６０は、各検出シンボル・ストリームを復調し、デインターリーブし、復号して、データ・ストリームに対するトラフィック・データを復元する。ＲＸデータ・プロセッサ４１６０による処理は、デバイス４１１０におけるＴＸ  ＭＩＭＯプロセッサ４１２０およびＴＸデータ・プロセッサ４１１４によって実行される処理を補足するものである。
【０４７０】
プロセッサ４１７０は、どのプリコーディング行列を使用すべきかを周期的に判断する（後述）。プロセッサ４１７０は、行列インデックス部とランク値部とを備える逆方向リンク・メッセージを作成する。データメモリ４１７２は、プロセッサ４１７０またはデバイス４１５０の他の構成要素によって使用されるプログラム・コード、データ、および他の情報を記憶し得る。
【０４７１】
逆方向リンク・メッセージは、通信リンクおよび／または受信データ・ストリームに関する様々なタイプの情報を備え得る。次いで、逆方向リンク・メッセージは、データ・ソース４１３６からいくつかのデータ・ストリームのトラフィック・データをも受信するＴＸデータ・プロセッサ４１３８によって処理され、変調器４１８０によって変調され、トランシーバ４１５４Ａ〜４１５４Ｒによって調整され、デバイス４１１０に戻される。
【０４７２】
デバイス４１１０では、デバイス４１５０からの変調信号は、アンテナ４１２４によって受信され、トランシーバ４１２２によって調整され、復調器（ＤＥＭＯＤ）４１４０によって復調され、ＲＸデータ・プロセッサ４１４２によって処理されて、デバイス４１５０によって送信された逆方向リンク・メッセージが抽出される。次いで、プロセッサ４１３０は、ビーム・フォーミング重みを判断するためにどのプリコーディング行列を使用すべきかを判断し、次いで、抽出されたメッセージを処理する。
【０４７３】
図４１はまた、通信構成要素が、本明細書で教示する干渉制御動作を実行する１つまたは複数の構成要素を含み得ることを示す。たとえば、干渉（「ＩＮＴＥＲ」）制御構成要素４１９０は、プロセッサ４１３０および／またはデバイス４１１０の他の構成要素と協働して、本明細書で教示する別のデバイス（たとえば、デバイス４１５０）との間で信号を送信／受信し得る。同様に、干渉制御構成要素４１９２は、プロセッサ４１７０および／またはデバイス４１５０の他の構成要素と協働して、別のデバイス（たとえば、デバイス４１１０）との間で信号を送信／受信し得る。各デバイス４１１０および４１５０について、説明する構成要素の２つ以上の機能が単一の構成要素によって提供され得ることを諒解されたい。たとえば、単一の処理構成要素が干渉制御構成要素４１９０およびプロセッサ４１３０の機能を提供し得、また、単一の処理構成要素が干渉制御構成要素４１９２およびプロセッサ４１７０の機能を提供し得る。
【０４７４】
一態様では、論理チャネルは、制御チャネルとトラフィック・チャネルとに分類され得る。論理制御チャネルは、システム制御情報をブロードキャストするためのＤＬチャネルであるブロードキャスト制御チャネル（ＢＣＣＨ）を含むことができる。さらに、論理制御チャネルは、ページング情報を転送するＤＬチャネルであるページング制御チャネル（ＰＣＣＨ）を含むことができる。その上、論理制御チャネルはマルチキャスト制御チャネル（ＭＣＣＨ）を含むことができ、マルチキャスト制御チャネルは、１つまたは複数のマルチキャストトラフィック・チャネル（ＭＴＣＨ）についてのマルチメディア・ブロードキャストおよびマルチキャスト・サービス（ＭＢＭＳ）のスケジューリングおよび制御情報を送信するために使用されるポイント・ツー・マルチポイントＤＬチャネルである。概して、無線リソース制御（ＲＲＣ）接続を確立した後、このチャネルは、ＭＢＭＳ（たとえば、古いＭＣＣＨ＋ＭＳＣＨ）を受信するＵＥによって使用されるだけである。さらに、論理制御チャネルは専用制御チャネル（ＤＣＣＨ）を含むことができ、専用制御チャネルは、専用制御情報を送信するポイントツーポイント双方向チャネルであり、ＲＲＣ接続を有するＵＥによって使用され得る。一態様では、論理トラフィック・チャネルは、ユーザ情報を転送するための１つのＵＥに専用のポイントツーポイント双方向チャネルである専用トラフィック・チャネル（ＤＴＣＨ）を備えることができる。また、論理トラフィック・チャネルは、トラフィック・データを送信するためのポイント・ツー・マルチポイントＤＬチャネルのためのＭＴＣＨを含むことができる。
【０４７５】
一態様では、トランスポート・チャネルは、ＤＬとＵＬとに分類される。ＤＬトランスポート・チャネルは、ブロードキャスト・チャネル（ＢＣＨ）、ダウンリンク共有データ・チャネル（ＤＬ−ＳＤＣＨ）、およびページング・チャネル（ＰＣＨ）を含むことができる。ＰＣＨは、セル全体にわたってブロードキャストされることと、他の制御／トラフィック・チャネルのために使用することができる物理レイヤ（ＰＨＹ）リソースにマッピングされることとによって、ＵＥ節電（たとえば、ネットワークが不連続受信（ＤＲＸ）サイクルをＵＥに示すことがある）をサポートすることができる。ＵＬトランスポート・チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備えることができる。
【０４７６】
ＰＨＹチャネルは、ＤＬチャネルとＵＬチャネルとのセットを含むことができる。たとえば、ＤＬ  ＰＨＹチャネルは、共通パイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当てチャネル（ＳＵＡＣＨ）、肯定応答チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または負荷インジケータ・チャネル（ＬＩＣＨ）を含むことができる。さらなる例として、ＵＬ  ＰＨＹチャネルは、物理ランダム・アクセス・チャネル（ＰＲＡＣＨ）、チャネル品質インジケータ・チャネル（ＣＱＩＣＨ）、肯定応答チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードバンド・パイロット・チャネル（ＢＰＩＣＨ）を含むことができる。
【０４７７】
本明細書で説明する実施形態は、ハードウェア、ソフトウェア、ファームウェア、ミドルウェア、マイクロコード、またはそれらの任意の組合せで実装できることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲートアレイ（ＦＰＧＡ）、プロセッサ、コントローラ、マイクロコントローラ、マイクロプロセッサ、および／または本明細書で説明する機能を実行するように設計された他の電子ユニット、またはそれらの組合せ内で実装され得る。
【０４７８】
実施形態は、ソフトウェア、ファームウェア、ミドルウェアまたはマイクロコード、プログラム・コードまたはコード・セグメントで実装された場合、記憶構成要素などの機械可読媒体（またはコンピュータ可読媒体）に記憶され得る。コード・セグメントは、プロシージャ、関数、サブプログラム、プログラム、ルーチン、サブルーチン、モジュール、ソフトウェアパッケージ、クラス、または命令、データ構造もしくはプログラム・ステートメントの任意の組合せを表すことができる。コード・セグメントは、情報、データ、引数、パラメータ、またはメモリ内容をパスおよび／または受信することによって、別のコード・セグメントまたはハードウェア回路に結合され得る。情報、引数、パラメータ、データなどは、メモリ共有、メッセージ・パッシング、トークン・パッシング、ネットワーク送信などを含む、適切な手段を使用してパス、フォワーディング、または送信され得る。
【０４７９】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装され得、その場合、当技術分野で知られているように様々な手段によってプロセッサに通信可能に結合され得る。
【０４８０】
以上の説明は、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識されよう。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。
【図１】
2012527855.tif 000015
【図２】
2012527855.tif 000016
【図３】
2012527855.tif 000017
【図４】
2012527855.tif 000018
【図５Ａ】
2012527855.tif 000019
【図５Ｂ】
2012527855.tif 000020
【図６】
2012527855.tif 000021
【図７Ａ】
2012527855.tif 000022
【図７Ｂ】
2012527855.tif 000023
【図８】
2012527855.tif 000024
【図９】
2012527855.tif 000025
【図１０】
2012527855.tif 000026
【図１１】
2012527855.tif 000027
【図１２Ａ】
2012527855.tif 000028
【図１２Ｂ】
2012527855.tif 000029
【図１２Ｃ】
2012527855.tif 000030
【図１２Ｄ】
2012527855.tif 000031
【図１２Ｅ】
2012527855.tif 000032
【図１２Ｆ】
2012527855.tif 000033
【図１２Ｇ】
2012527855.tif 000034
【図１２Ｈ】
2012527855.tif 000035
【図１２Ｉ】
2012527855.tif 000036
【図１２Ｊ】
2012527855.tif 000037
【図１２Ｋ】
2012527855.tif 000038
【図１２Ｌ】
2012527855.tif 000039
【図１２Ｍ】
2012527855.tif 000040
【図１２Ｎ】
2012527855.tif 000041
【図１２Ｏ】
2012527855.tif 000042
【図１３】
2012527855.tif 000043
【図１４】
2012527855.tif 000044
【図１５Ａ】
2012527855.tif 000045
【図１５Ｂ】
2012527855.tif 000046
【図１５Ｃ】
2012527855.tif 000047
【図１５Ｄ】
2012527855.tif 000048
【図１５Ｅ】
2012527855.tif 000049
【図１６】
2012527855.tif 000050
【図１７】
2012527855.tif 000051
【図１８】
2012527855.tif 000052
【図１９】
2012527855.tif 000053
【図２０】
2012527855.tif 000054
【図２１】
2012527855.tif 000055
【図２２】
2012527855.tif 000056
【図２３】
2012527855.tif 000057
【図２４】
2012527855.tif 000058
【図２５】
2012527855.tif 000059
【図２６】
2012527855.tif 000060
【図２７】
2012527855.tif 000061
【図２８】
2012527855.tif 000062
【図２９】
2012527855.tif 000063
【図３０】
2012527855.tif 000064
【図３１】
2012527855.tif 000065
【図３２】
2012527855.tif 000066
【図３３】
2012527855.tif 000067
【図３４】
2012527855.tif 000068
【図３５】
2012527855.tif 000069
【図３６】
2012527855.tif 000070
【図３７】
2012527855.tif 000071
【図３８】
2012527855.tif 000072
【図３９】
2012527855.tif 000073
【図４０】
2012527855.tif 000074
【図４１】
2012527855.tif 000075
【国際調査報告】
2012527855.tif 000076
2012527855.tif 000077
2012527855.tif 000078